(57)【要約】照明インフラストラクチャアプリケーションフレームワークおよびネットワーク、ならびに関連付けられる収益モデルを実装するための方法、機器、およびシステムを提供する。一態様では、コンピューティング機器は、照明インフラストラクチャアプリケーションフレームワークからのデータへのアクセスを求める第1の機器からの要求を受信することができ、照明インフラストラクチャアプリケーションフレームワークからのデータは、照明ノードプラットフォームからのデータを含みうる。一態様では、コンピューティング機器は、データを求める要求に対する応答を送信すると共に、データへのアクセスの提供に関連した許可を実行しうる。また、照明インフラストラクチャ内のプラットフォーム、センサ、およびコントローラの使用量に基づいてアプリケーションと関連付けられるコストおよび収益も実行されうる。一態様では、ソフトウェア、アプリケーション、および他の命令が、要求の受信に応答してコンピューティング機器によって送信されうる。別の態様では、コンピューティング機器は、受信データ（例えば、照明ノードプラットフォームからのセンサデータ）を処理して、アプリケーションに関連した傾向またはイベントを検出することができる。2015529869.tif 000003
2015529869.tif 000002
【特許請求の範囲】
【請求項１】
照明インフラストラクチャに関連した収益モデルを実装するためのコンピューティング機器のための方法であって、
照明インフラストラクチャアプリケーションフレームワークからのデータへのアクセスを求める第1の機器からの要求を、前記コンピューティング機器で受信する工程であって、前記照明インフラストラクチャアプリケーションフレームワークからの前記データが、複数の照明ノードプラットフォーム機器のうちの少なくとも一つの照明ノードプラットフォーム機器からのデータを含む、前記工程;
要求のあった前記照明インフラストラクチャアプリケーションフレームワークからの前記データに少なくとも一部基づいて、前記第1の機器からの前記要求に対する応答を送信する工程;および
前記送信された応答に関連した料金および収益のうちの少なくとも一つを計算する工程
を含む方法。
【請求項２】
受信登録情報に基づいて機器を登録する工程であって、前記登録情報が、アプリケーション提供者と関連付けられた機器および第1の機器のうちの一つによって送信される、前記工程をさらに含む、請求項1記載の方法。
【請求項３】
登録情報が、認証資格情報、アクセス制御資格情報、使用許諾情報、広告許可情報、支払情報、および複数のデータタイプのうちの少なくとも一つの選択、のうちの少なくとも一つを含む、請求項2記載の方法。
【請求項４】
複数のデータタイプが、エネルギー使用量データ、占有センサデータ、光センサデータ、環境センサデータ、セキュリティセンサデータ、オーディオデータ、ビジュアルデータ、ガス検知センサデータ、侵入検知器データ、動きセンサデータ、振動センサデータ、車両検知センサデータ、安全センサデータ、バイオハザードセンサデータ、スキャンセンサデータ、位置センサデータ、バイオメトリックセンサデータ、力学的センサデータ、信号検出器、および産業特有のセンサデータ、相関データ、ならびに集約データを含む、請求項3記載の方法。
【請求項５】
要求のあった照明インフラストラクチャアプリケーションフレームワークからのデータに第1の機器がアクセスするための許可を、受信登録情報に基づいて前記第1の機器が許可されているかどうか判定することによって検証する工程;および
前記第1の機器が許可されていないと判定された場合に前記第1の機器からの登録情報を求める要求を送信する工程
をさらに含む方法であって、
要求のあった前記照明インフラストラクチャアプリケーションフレームワークからの前記データに少なくとも一部基づいて前記第1の機器からの要求に対する応答を送信する工程が、前記第1の機器が許可されていると判定された場合に前記第1の機器からの前記要求に対する前記応答を送信する工程を含む、
請求項2記載の方法。
【請求項６】
照明インフラストラクチャアプリケーションフレームワークが、少なくとも一つのサービスプラットフォームコンピューティング機器と、少なくとも一つのゲートウェイプラットフォーム機器と、複数の照明ノードプラットフォーム機器とを含み、かつ
前記少なくとも一つのゲートウェイプラットフォーム機器が、前記少なくとも一つのサービスプラットフォームコンピューティング機器と通信を交換するように構成されており、かつ
前記複数の照明ノードプラットフォーム機器が、前記複数の照明ノードプラットフォーム機器と関連付けられたデータが前記少なくとも一つのゲートウェイプラットフォーム機器を介して前記少なくとも一つのサービスプラットフォームコンピューティング機器へ送信されるように、前記少なくとも一つのゲートウェイプラットフォーム機器と通信を交換するように構成されている、請求項1記載の方法。
【請求項７】
送信された応答に関連した料金および収益のうちの少なくとも一つを計算する工程が、
要求に基づいて第1の機器についての使用特性を決定する工程;および
前記決定された使用特性に基づいて前記料金を計算する工程
を含む、請求項1記載の方法。
【請求項８】
使用特性が、データのタイプ、データアクセスの頻度、データの量、データソース位置、データ需要、および要求時間のうちの少なくとも一つを含む、請求項7記載の方法。
【請求項９】
送信された応答に関連した料金および収益のうちの少なくとも一つを計算する工程が、
前記送信された応答に関連した照明インフラストラクチャアプリケーションフレームワークによる照明ノードプラットフォーム機器使用量を決定する工程;および
前記決定された照明ノードプラットフォーム機器使用量に関連した照明インフラストラクチャ所有者のための収益を計算する工程であって、前記照明インフラストラクチャ所有者が、照明ノードプラットフォーム機器を含む照明インフラストラクチャと関連付けられている、前記工程
を含む、請求項1記載の方法。
【請求項１０】
少なくとも一つの照明ノードプラットフォーム機器が、
電力を受け取るための電源と、
前記電源に結合された照明ソケットと、
前記電源に結合されたプロセッサを含むノードアプリケーションコントローラと、
サービスプラットフォームコンピュータに通信可能に結合されている、前記プロセッサに結合されたネットワークインターフェースと、
前記少なくとも一つの照明ノードプラットフォーム機器での条件を検出し、応答して前記条件に関する情報を前記プロセッサに提供するための、前記プロセッサに結合されたセンサと
を含む、請求項1記載の方法。
【請求項１１】
電力のための電源が、交流電力を受け取るための電源入力端子を含み、かつ
第1の照明ノードプラットフォーム機器が、
前記電源入力端子に結合された交流直流変換器と、
前記交流直流変換器に結合されたLEDドライバと、
前記交流直流変換器から第1のセンサへと電力を提供するために前記LEDドライバに結合された電力インターフェースと
をさらに含む、請求項10記載の方法。
【請求項１２】
照明インフラストラクチャアプリケーションフレームワークが、複数の照明ノードプラットフォーム機器の各々が複数のセンサのうちの少なくとも一つのセンサを含むように前記複数のセンサを含み、かつ
前記複数のセンサの各センサが、サービスプラットフォームコンピュータにセンサデータを提供する、請求項1記載の方法。
【請求項１３】
複数のセンサが、エネルギー使用センサ、光センサ、動き検出器、占有センサ、エネルギー使用量センサ、光センサ、環境センサ、セキュリティセンサ、動き検出器、オーディオセンサ、カメラ、ガス検知センサ、侵入検知器、振動センサ、人検知センサ、車両検知センサ、安全センサ、バイオハザードセンサ、スキャンセンサ、位置センサ、バイオメトリックセンサ、力学的センサ、信号検出器、および産業特有のセンサを含む、請求項12記載の方法。
【請求項１４】
照明インフラストラクチャアプリケーションフレームワークに関連した料金および収益を計算するためのコンピューティング機器のための方法であって、
センサおよびコントローラのうちの少なくとも一つに関連したセンサデータおよびコントローラ情報のうちの少なくとも一つを含むデータを前記コンピューティング機器で受信する工程であって、前記センサおよび前記コントローラが、前記コンピューティング機器に結合されたローカルエリアネットワーク内にあり、かつ少なくとも一つの照明ノードプラットフォーム機器と関連付けられている、前記工程;
前記受信データと関連付けられる前記料金および前記収益を記述する情報を計算する工程であって、前記収益が、前記コンピューティング機器と関連付けられた照明インフラストラクチャ所有者のためのものである、前記工程;ならびに
前記計算された情報を、前記照明インフラストラクチャアプリケーションフレームワークと関連付けられた別の機器へ送信する工程
を含む方法。
【請求項１５】
照明インフラストラクチャアプリケーションフレームワークと関連付けられる節約情報を計算するためのコンピューティング機器のための方法であって、
前記照明インフラストラクチャアプリケーションフレームワーク内の複数の照明ノードプラットフォーム機器からリアルタイムのエネルギー使用量データを前記コンピューティング機器で受信する工程;
前記複数の照明ノードプラットフォーム機器の管理および使用と関連付けられるエネルギー節約情報を計算する工程;
前記複数の照明ノードプラットフォーム機器の前記管理および前記使用と関連付けられる前記計算されたエネルギー節約情報に基づいて炭素クレジット情報を自動的に計算する工程;ならびに
前記計算された炭素クレジット情報に基づいて炭素クレジットを求める要求を送信する工程
を含む方法。
【請求項１６】
照明インフラストラクチャアプリケーションフレームワークに関連したソフトウェアを配信するためのコンピューティング機器のための方法であって、
前記ソフトウェアを前記コンピューティング機器で受信する工程であって、前記ソフトウェアが、前記照明インフラストラクチャアプリケーションフレームワーク内の複数の照明ノードプラットフォーム機器のうちの少なくとも一つによって実行されるべきものであり、前記ソフトウェアが、スクリプト、アプリケーション、アプリ、およびルーチンのうちの少なくとも一つである、前記工程;
前記受信したソフトウェアを前記ソフトウェアの提供者に関連して記憶する工程であって、前記提供者がアプリケーション提供者および照明インフラストラクチャ所有者のうちの1者である、前記工程;ならびに
要求の受信に応答して前記ソフトウェアを宛先機器へ送信する工程
を含む方法。
【請求項１７】
ソフトウェアに対する更新をコンピューティング機器で受信する工程であって、前記更新が、バイナリ更新、ファームウェア更新、および構成データのうちの少なくとも一つである、前記工程;ならびに
前記更新の受信に応答して前記更新を送信する工程
をさらに含む、請求項16記載の方法。
【請求項１８】
要求が、照明インフラストラクチャ所有者と関係していない第三者機器、ゲートウェイプラットフォーム機器、および複数の照明ノードプラットフォーム機器のうちの一つ、のうちの一つからのものである、請求項16記載の方法。
【請求項１９】
宛先機器が、複数の照明ノードプラットフォーム機器のうちの少なくとも一つである、請求項16記載の方法。
【請求項２０】
照明インフラストラクチャアプリケーションフレームワークに関連して受信したデータを処理するためのコンピューティング機器のための方法であって、
前記照明インフラストラクチャアプリケーションフレームワーク内の複数の照明ノードプラットフォーム機器によって報告されるデータを前記コンピューティング機器で受信する工程;
前記受信データを分析することまたは集約することの少なくとも一方によって前記受信データを処理する工程;
前記受信データの前記処理に基づいて複数の事前定義のイベントのうちの少なくとも一つの発生を検出する工程;
前記受信データの前記処理に基づいて前記受信データ内の傾向を特定する工程;ならびに
前記データの前記処理に基づいて前記複数の事前定義のイベントのうちの少なくとも一つの将来の発生を予測する工程
を含む方法。
【請求項２１】
受信データの分析を報告するメッセージを送信する工程をさらに含む、請求項20記載の方法。
【請求項２２】
受信データおよび受信データの分析のうちの少なくとも一つに基づいてコマンドを送信する工程であって、前記コマンドが、ソフトウェア、スクリプト、および構成データのうちの少なくとも一つを含む、前記工程をさらに含む、請求項20記載の方法。
【請求項２３】
コマンドが、複数の照明ノードプラットフォーム機器と関連付けられたセンサのための動作命令を含む、請求項22記載の方法。
【請求項２４】
照明インフラストラクチャに関連した収益モデルを実装するように構成されたコンピューティング機器であって、
照明インフラストラクチャアプリケーションフレームワークからのデータへのアクセスを求める第1の機器からの要求を受信するための手段であって、前記照明インフラストラクチャアプリケーションフレームワークからの前記データが、複数の照明ノードプラットフォーム機器のうちの少なくとも一つの照明ノードプラットフォーム機器からのデータを含む、前記手段と、
要求のあった前記照明インフラストラクチャアプリケーションフレームワークからの前記データに少なくとも一部基づいて前記第1の機器からの前記要求に対する応答を送信するための手段と、
前記送信された応答に関連した料金および収益のうちの少なくとも一つを計算するための手段と
を含むコンピューティング機器。
【請求項２５】
受信登録情報に基づいて機器を登録するための手段であって、前記登録情報が、アプリケーション提供者と関連付けられた機器および第1の機器のうちの一つによって送信される、前記手段をさらに含む、請求項24記載のコンピューティング機器。
【請求項２６】
登録情報が、認証資格情報、アクセス制御資格情報、使用許諾情報、広告許可情報、支払情報、および複数のデータタイプのうちの少なくとも一つの選択、のうちの少なくとも一つを含む、請求項25記載のコンピューティング機器。
【請求項２７】
複数のデータタイプが、エネルギー使用量データ、占有センサデータ、光センサデータ、環境センサデータ、セキュリティセンサデータ、オーディオデータ、ビジュアルデータ、ガス検知センサデータ、侵入検知器データ、動きセンサデータ、振動センサデータ、車両検知センサデータ、安全センサデータ、バイオハザードセンサデータ、スキャンセンサデータ、位置センサデータ、バイオメトリックセンサデータ、力学的センサデータ、信号検出器、および産業特有のセンサデータ、相関データ、ならびに集約データを含む、請求項26記載のコンピューティング機器。
【請求項２８】
要求のあった照明インフラストラクチャアプリケーションフレームワークからのデータに第1の機器がアクセスするための許可を、受信登録情報に基づいて前記第1の機器が許可されているかどうか判定することによって検証するための手段と、
前記第1の機器が許可されていないと判定された場合に前記第1の機器からの登録情報を求める要求を送信するための手段と
をさらに含むコンピューティング機器であって、
要求のあった前記照明インフラストラクチャアプリケーションフレームワークからの前記データに少なくとも一部基づいて前記第1の機器からの要求に対する応答を送信するための手段が、前記第1の機器が許可されていると判定された場合に前記第1の機器からの前記要求に対する前記応答を送信することを含む、
請求項25記載のコンピューティング機器。
【請求項２９】
照明インフラストラクチャアプリケーションフレームワークが、少なくとも一つのサービスプラットフォームコンピューティング機器と、少なくとも一つのゲートウェイプラットフォーム機器と、複数の照明ノードプラットフォーム機器とを含み、かつ
前記少なくとも一つのゲートウェイプラットフォーム機器が、前記少なくとも一つのサービスプラットフォームコンピューティング機器と通信を交換するように構成されており、かつ
前記複数の照明ノードプラットフォーム機器が、前記複数の照明ノードプラットフォーム機器と関連付けられたデータが前記少なくとも一つのゲートウェイプラットフォーム機器を介して前記少なくとも一つのサービスプラットフォームコンピューティング機器へ送信されるように、前記少なくとも一つのゲートウェイプラットフォーム機器と通信を交換するように構成されている、請求項24記載のコンピューティング機器。
【請求項３０】
送信された応答に関連した料金および収益のうちの少なくとも一つを計算するための手段が、
要求に基づいて第1の機器についての使用特性を決定するための手段と、
前記決定された使用特性に基づいて前記料金を計算するための手段と
を含む、請求項24記載のコンピューティング機器。
【請求項３１】
使用特性が、データのタイプ、データアクセスの頻度、データの量、データソース位置、データ需要、および要求時間のうちの少なくとも一つを含む、請求項30記載のコンピューティング機器。
【請求項３２】
送信された応答に関連した料金および収益のうちの少なくとも一つを計算するための手段が、
前記送信された応答に関連した照明インフラストラクチャアプリケーションフレームワークによる照明ノードプラットフォーム機器使用量を決定するための手段と、
前記決定された照明ノードプラットフォーム機器使用量に関連した照明インフラストラクチャ所有者のための収益を計算するための手段であって、前記照明インフラストラクチャ所有者が、照明ノードプラットフォーム機器を含む照明インフラストラクチャと関連付けられている、前記手段と
を含む、請求項24記載のコンピューティング機器。
【請求項３３】
少なくとも一つの照明ノードプラットフォーム機器が、
電力を受け取るための電源と、
前記電源に結合された照明ソケットと、
前記電源に結合されたプロセッサを含むノードアプリケーションコントローラと、
サービスプラットフォームコンピュータに通信可能に結合されている、前記プロセッサに結合されたネットワークインターフェースと、
前記少なくとも一つの照明ノードプラットフォーム機器での条件を検出し、応答して前記条件に関する情報を前記プロセッサに提供するための、前記プロセッサに結合されたセンサと
を含む、請求項24記載のコンピューティング機器。
【請求項３４】
電力のための電源が、交流電力を受け取るための電源入力端子を含み、かつ
照明ノードプラットフォーム機器が、
前記電源入力端子に結合された交流直流変換器と、
前記交流直流変換器に結合されたLEDドライバと、
前記交流直流変換器から第1のセンサへと電力を提供するために前記LEDドライバに結合された電力インターフェースと
をさらに含む、請求項33記載のコンピューティング機器。
【請求項３５】
照明インフラストラクチャアプリケーションフレームワークが、複数の照明ノードプラットフォーム機器の各々が複数のセンサのうちの少なくとも一つのセンサを含むように前記複数のセンサを含み、かつ
前記複数のセンサの各センサが、サービスプラットフォームコンピュータにセンサデータを提供する、請求項24記載のコンピューティング機器。
【請求項３６】
複数のセンサが、エネルギー使用センサ、光センサ、動き検出器、占有センサ、エネルギー使用量センサ、光センサ、環境センサ、セキュリティセンサ、オーディオセンサ、カメラ、ガス検知センサ、侵入検知器、動きセンサ、振動センサ、人検知センサ、車両検知センサ、安全センサ、バイオハザードセンサ、スキャンセンサ、位置センサ、バイオメトリックセンサ、力学的センサ、信号検出器、および産業特有のセンサを含む、請求項35記載のコンピューティング機器。
【請求項３７】
照明インフラストラクチャアプリケーションフレームワークに関連した料金および収益を計算するように構成されたコンピューティング機器であって、
センサおよびコントローラのうちの少なくとも一つに関連したセンサデータおよびコントローラ情報のうちの少なくとも一つを含むデータを受信するための手段であって、前記センサおよび前記コントローラが、前記コンピューティング機器に結合されたローカルエリアネットワーク内にあり、かつ少なくとも一つの照明ノードプラットフォーム機器と関連付けられている、前記手段と、
前記受信データと関連付けられる前記料金および前記収益を記述する情報を計算するための手段であって、前記収益が、前記コンピューティング機器と関連付けられた照明インフラストラクチャ所有者のためのものである、前記手段と、
前記計算された情報を、前記照明インフラストラクチャアプリケーションフレームワークと関連付けられた別の機器へ送信するための手段と
を含むコンピューティング機器。
【請求項３８】
照明インフラストラクチャアプリケーションフレームワークと関連付けられる節約情報を計算するように構成されたコンピューティング機器であって、
前記照明インフラストラクチャアプリケーションフレームワーク内の複数の照明ノードプラットフォーム機器からリアルタイムのエネルギー使用量データを受信するための手段と、
前記複数の照明ノードプラットフォーム機器の管理および使用と関連付けられるエネルギー節約情報を計算するための手段と、
前記複数の照明ノードプラットフォーム機器の前記管理および前記使用と関連付けられる前記計算されたエネルギー節約情報に基づいて炭素クレジット情報を自動的に計算するための手段と、
前記計算された炭素クレジット情報に基づいて炭素クレジットを求める要求を送信するための手段と
を含むコンピューティング機器。
【請求項３９】
照明インフラストラクチャアプリケーションフレームワークに関連したソフトウェアを配信するように構成されたコンピューティング機器であって、
前記ソフトウェアを受信するための手段であって、前記ソフトウェアが、前記照明インフラストラクチャアプリケーションフレームワーク内の複数の照明ノードプラットフォーム機器のうちの少なくとも一つによって実行されるべきものであり、前記ソフトウェアが、スクリプト、アプリケーション、アプリ、およびルーチンのうちの少なくとも一つである、前記手段と、
前記受信したソフトウェアを前記ソフトウェアの提供者に関連して記憶するための手段であって、前記提供者がアプリケーション提供者および照明インフラストラクチャ所有者のうちの1者である、前記手段と、
要求の受信に応答して前記ソフトウェアを宛先機器へ送信するための手段と
を含むコンピューティング機器。
【請求項４０】
ソフトウェアに対する更新を受信するための手段であって、前記更新が、バイナリ更新、ファームウェア更新、および構成データのうちの少なくとも一つである、前記手段と、
前記更新の受信に応答して前記更新を送信するための手段と
をさらに含む、請求項39記載のコンピューティング機器。
【請求項４１】
要求が、照明インフラストラクチャ所有者と関係していない第三者機器、ゲートウェイプラットフォーム機器、および複数の照明ノードプラットフォーム機器のうちの一つ、のうちの一つからのものである、請求項39記載のコンピューティング機器。
【請求項４２】
宛先機器が、複数の照明ノードプラットフォーム機器のうちの少なくとも一つである、請求項39記載のコンピューティング機器。
【請求項４３】
照明インフラストラクチャアプリケーションフレームワークに関連して受信したデータを処理するように構成されたコンピューティング機器であって、
前記照明インフラストラクチャアプリケーションフレームワーク内の複数の照明ノードプラットフォーム機器によって報告されるデータを受信するための手段と、
前記受信データを分析することまたは集約することの少なくとも一方によって前記受信データを処理するための手段と、
前記データの前記処理に基づいて複数の事前定義のイベントのうちの少なくとも一つの発生を検出するための手段と、
前記データの前記処理に基づいて前記受信データ内の傾向を特定するための手段と、
前記データの前記処理に基づいて前もってイベントを予測するための手段と
を含むコンピューティング機器。
【請求項４４】
データの処理を報告するメッセージを送信するための手段をさらに含む、請求項43記載のコンピューティング機器。
【請求項４５】
受信データおよび前記データの処理のうちの少なくとも一つに基づいてコマンドを送信するための手段であって、前記コマンドが、ソフトウェア、スクリプト、および構成データのうちの少なくとも一つを含む、前記手段をさらに含む、請求項43記載のコンピューティング機器。
【請求項４６】
コマンドが、複数の照明ノードプラットフォーム機器と関連付けられたセンサのための動作命令を含む、請求項45記載のコンピューティング機器。
【請求項４７】
照明インフラストラクチャに関連した収益モデルを実装するように構成されたコンピューティング機器であって、
メモリと、
前記メモリに結合されたプロセッサであって、
照明インフラストラクチャアプリケーションフレームワークからのデータへのアクセスを求める第1の機器からの要求を受信する動作であって、前記照明インフラストラクチャアプリケーションフレームワークからの前記データが、複数の照明ノードプラットフォーム機器のうちの少なくとも一つの照明ノードプラットフォーム機器からのデータを含む、前記動作と、
要求のあった前記照明インフラストラクチャアプリケーションフレームワークからの前記データに少なくとも一部基づいて前記第1の機器からの前記要求に対する応答を送信する動作と、
前記送信された応答に関連した料金および収益のうちの少なくとも一つを計算する動作と
を含む動作を実行するためのプロセッサ実行可能命令を用いて構成される前記プロセッサと
を含むコンピューティング機器。
【請求項４８】
プロセッサが、
受信登録情報に基づいて機器を登録する動作であって、前記登録情報が、アプリケーション提供者と関連付けられた機器および第1の機器のうちの一つによって送信される、前記動作
をさらに含むプロセッサ実行可能命令を用いて、構成される、請求項47記載のコンピューティング機器。
【請求項４９】
登録情報が、認証資格情報、アクセス制御資格情報、使用許諾情報、広告許可情報、支払情報、および複数のデータタイプのうちの少なくとも一つの選択、のうちの少なくとも一つを含む、請求項48記載のコンピューティング機器。
【請求項５０】
複数のデータタイプが、エネルギー使用量データ、占有センサデータ、光センサデータ、環境センサデータ、セキュリティセンサデータ、オーディオデータ、ビジュアルデータ、ガス検知センサデータ、侵入検知器データ、動きセンサデータ、振動センサデータ、車両検知センサデータ、安全センサデータ、バイオハザードセンサデータ、スキャンセンサデータ、位置センサデータ、バイオメトリックセンサデータ、力学的センサデータ、信号検出器、および産業特有のセンサデータ、相関データ、ならびに集約データを含む、請求項49記載のコンピューティング機器。
【請求項５１】
プロセッサが、
要求のあった照明インフラストラクチャアプリケーションフレームワークからのデータに第1の機器がアクセスするための許可を、受信登録情報に基づいて前記第1の機器が許可されているかどうか判定することによって検証する動作と、
前記第1の機器が許可されていないと判定された場合に前記第1の機器からの登録情報を求める要求を送信する動作と
をさらに含むプロセッサ実行可能命令を用いて、構成され、かつ
前記プロセッサが、
要求のあった前記照明インフラストラクチャアプリケーションフレームワークからの前記データに少なくとも一部基づいて前記第1の機器からの要求に対する応答を送信する動作が、前記第1の機器が許可されていると判定された場合に前記第1の機器からの前記要求に対する前記応答を送信する動作を含むようになっているプロセッサ実行可能命令を用いて、構成される、請求項48記載のコンピューティング機器。
【請求項５２】
照明インフラストラクチャアプリケーションフレームワークが、少なくとも一つのサービスプラットフォームコンピューティング機器と、少なくとも一つのゲートウェイプラットフォーム機器と、複数の照明ノードプラットフォーム機器とを含み、かつ
前記少なくとも一つのゲートウェイプラットフォーム機器が、前記少なくとも一つのサービスプラットフォームコンピューティング機器と通信を交換するように構成されており、かつ
前記複数の照明ノードプラットフォーム機器が、前記複数の照明ノードプラットフォーム機器と関連付けられたデータが前記少なくとも一つのゲートウェイプラットフォーム機器を介して前記少なくとも一つのサービスプラットフォームコンピューティング機器へ送信されるように、前記少なくとも一つのゲートウェイプラットフォーム機器と通信を交換するように構成されている、請求項47記載のコンピューティング機器。
【請求項５３】
プロセッサが、
送信された応答に関連した料金および収益のうちの少なくとも一つを計算する動作が、
要求に基づいて第1の機器についての使用特性を決定する動作と、
前記決定された使用特性に基づいて前記料金を計算する動作と
を含むようになっているプロセッサ実行可能命令を用いて、構成される、請求項47記載のコンピューティング機器。
【請求項５４】
使用特性が、データのタイプ、データアクセスの頻度、データの量、データソース位置、データ需要、および要求時間のうちの少なくとも一つを含む、請求項53記載のコンピューティング機器。
【請求項５５】
プロセッサが、
送信された応答に関連した料金および収益のうちの少なくとも一つを計算する動作が、
前記送信された応答に関連した照明インフラストラクチャアプリケーションフレームワークによる照明ノードプラットフォーム機器使用量を決定する動作と、
前記決定された照明ノードプラットフォーム機器使用量に関連した照明インフラストラクチャ所有者のための収益を計算する動作であって、前記照明インフラストラクチャ所有者が、照明ノードプラットフォーム機器を含む照明インフラストラクチャと関連付けられている、前記動作と
を含むようになっているプロセッサ実行可能命令を用いて、構成される、請求項47記載のコンピューティング機器。
【請求項５６】
少なくとも一つの照明ノードプラットフォーム機器が、
電力を受け取るための電源と、
前記電源に結合された照明ソケットと、
前記電源に結合されたデータプロセッサを含むノードアプリケーションコントローラと、
サービスプラットフォームコンピュータに通信可能に結合されている、前記プロセッサに結合されたネットワークインターフェースと、
前記少なくとも一つの照明ノードプラットフォーム機器での条件を検出し、応答して前記条件に関する情報を前記プロセッサに提供するための、前記プロセッサに結合されたセンサと
を含む、請求項47記載のコンピューティング機器。
【請求項５７】
電力のための電源が、交流電力を受け取るための電源入力端子を含み、かつ
照明ノードプラットフォーム機器が、
前記電源入力端子に結合された交流直流変換器と、
前記交流直流変換器に結合されたLEDドライバと、
前記交流直流変換器から第1のセンサへと電力を提供するために前記LEDドライバに結合された電力インターフェースと
をさらに含む、請求項56記載のコンピューティング機器。
【請求項５８】
照明インフラストラクチャアプリケーションフレームワークが、複数の照明ノードプラットフォーム機器の各々が複数のセンサのうちの少なくとも一つのセンサを含むように前記複数のセンサを含み、かつ
前記複数のセンサの各センサが、サービスプラットフォームコンピュータにセンサデータを提供する、請求項47記載のコンピューティング機器。
【請求項５９】
複数のセンサが、エネルギー使用センサ、光センサ、動き検出器、占有センサ、エネルギー使用量センサ、光センサ、環境センサ、セキュリティセンサ、オーディオセンサ、カメラ、ガス検知センサ、侵入検知器、振動センサ、人検知センサ、車両検知センサ、動きセンサ、安全センサ、バイオハザードセンサ、スキャンセンサ、位置センサ、バイオメトリックセンサ、力学的センサ、信号検出器、および産業特有のセンサを含む、請求項58記載のコンピューティング機器。
【請求項６０】
照明インフラストラクチャアプリケーションフレームワークに関連した料金および収益を計算するように構成されたコンピューティング機器であって、
メモリと、
前記メモリに結合されたプロセッサであって、
センサおよびコントローラのうちの少なくとも一つに関連したセンサデータおよびコントローラ情報のうちの少なくとも一つを含むデータを受信する動作であって、前記センサおよび前記コントローラが、前記コンピューティング機器に結合されたローカルエリアネットワーク内にあり、かつ少なくとも一つの照明ノードプラットフォーム機器と関連付けられている、前記動作と、
前記受信データと関連付けられる前記料金および前記収益を記述する情報を計算する動作であって、前記収益が、前記コンピューティング機器と関連付けられた照明インフラストラクチャ所有者のためのものである、前記動作と、
前記計算された情報を、前記照明インフラストラクチャアプリケーションフレームワークと関連付けられた別の機器へ送信する動作と
を含む動作を実行するためのプロセッサ実行可能命令を用いて構成される前記プロセッサと
を含むコンピューティング機器。
【請求項６１】
照明インフラストラクチャアプリケーションフレームワークと関連付けられる節約情報を計算するように構成されたコンピューティング機器であって、
メモリと、
前記メモリに結合されたプロセッサであって、
前記照明インフラストラクチャアプリケーションフレームワーク内の複数の照明ノードプラットフォーム機器からリアルタイムのエネルギー使用量データを受信する動作と、
前記複数の照明ノードプラットフォーム機器の管理および使用と関連付けられるエネルギー節約情報を計算する動作と、
前記複数の照明ノードプラットフォーム機器の前記管理および前記使用と関連付けられる前記計算されたエネルギー節約情報に基づいて炭素クレジット情報を自動的に計算する動作と、
前記計算された炭素クレジット情報に基づいて炭素クレジットを求める要求を送信する動作と
を含む動作を実行するためのプロセッサ実行可能命令を用いて構成される前記プロセッサと
を含むコンピューティング機器。
【請求項６２】
照明インフラストラクチャアプリケーションフレームワークに関連したソフトウェアを配信するように構成されたコンピューティング機器であって、
メモリと、
前記メモリに結合されたプロセッサであって、
前記ソフトウェアを受信する動作であって、前記ソフトウェアが、前記照明インフラストラクチャアプリケーションフレームワーク内の複数の照明ノードプラットフォーム機器のうちの少なくとも一つによって実行されるべきものであり、前記ソフトウェアが、スクリプト、アプリケーション、アプリ、およびルーチンのうちの少なくとも一つである、前記動作と、
前記受信したソフトウェアを前記ソフトウェアの提供者に関連して記憶する動作であって、前記提供者がアプリケーション提供者および照明インフラストラクチャ所有者のうちの1者である、前記動作と、
要求の受信に応答して前記ソフトウェアを宛先機器へ送信する動作と
を含む動作を実行するためのプロセッサ実行可能命令を用いて構成される前記プロセッサと
を含むコンピューティング機器。
【請求項６３】
プロセッサが、
ソフトウェアに対する更新を受信する動作であって、前記更新が、バイナリ更新、ファームウェア更新、および構成データのうちの少なくとも一つである、前記動作と、
前記更新の受信に応答して前記更新を送信する動作と
をさらに含むプロセッサ実行可能命令を用いて、構成される、請求項62記載のコンピューティング機器。
【請求項６４】
要求が、照明インフラストラクチャ所有者と関係していない第三者機器、ゲートウェイプラットフォーム機器、および複数の照明ノードプラットフォーム機器のうちの一つ、のうちの一つからのものである、請求項62記載のコンピューティング機器。
【請求項６５】
宛先機器が、複数の照明ノードプラットフォーム機器のうちの少なくとも一つである、請求項62記載のコンピューティング機器。
【請求項６６】
照明インフラストラクチャアプリケーションフレームワークに関連して受信したデータを処理するように構成されたコンピューティング機器であって、
メモリと、
前記メモリに結合されたプロセッサであって、
前記照明インフラストラクチャアプリケーションフレームワーク内の複数の照明ノードプラットフォーム機器によって報告されるデータを受信する動作と、
前記受信データを分析することまたは集約することの少なくとも一方によって前記受信データを処理する動作と、
前記データの前記処理に基づいて複数の事前定義のイベントのうちの少なくとも一つの発生を検出する動作と、
前記データの前記処理に基づいて前記受信データ内の傾向を特定する動作と、
前記データの前記処理に基づいて前もってイベントを予測する動作と
を含む動作を実行するためのプロセッサ実行可能命令を用いて構成される前記プロセッサと
を含むコンピューティング機器。
【請求項６７】
プロセッサが、データの処理を報告するメッセージを送信する動作をさらに含むプロセッサ実行可能命令を用いて構成される、請求項66記載のコンピューティング機器。
【請求項６８】
プロセッサが、
受信データおよび前記データの処理のうちの少なくとも一つに基づいてコマンドを送信する動作であって、前記コマンドが、ソフトウェア、スクリプト、および構成データのうちの少なくとも一つを含む、前記動作
をさらに含むプロセッサ実行可能命令を用いて、構成される、請求項66記載のコンピューティング機器。
【請求項６９】
コマンドが、複数の照明ノードプラットフォーム機器と関連付けられたセンサのための動作命令を含む、請求項68記載のコンピューティング機器。
【請求項７０】
照明インフラストラクチャに関連した収益モデルを実装するための動作をプロセッサに実行させるように構成されたプロセッサ実行可能ソフトウェア命令が記憶されている非一時的プロセッサ可読記憶媒体であって、前記動作が、
照明インフラストラクチャアプリケーションフレームワークからのデータへのアクセスを求める第1の機器からの要求を受信する動作であって、前記照明インフラストラクチャアプリケーションフレームワークからの前記データが、複数の照明ノードプラットフォーム機器のうちの少なくとも一つの照明ノードプラットフォーム機器からのデータを含む、前記動作と、
要求のあった前記照明インフラストラクチャアプリケーションフレームワークからの前記データに少なくとも一部基づいて前記第1の機器からの前記要求に対する応答を送信する動作と、
前記送信された応答に関連した料金および収益のうちの少なくとも一つを計算する動作と
を含む、非一時的プロセッサ可読記憶媒体。
【請求項７１】
記憶されたプロセッサ実行可能ソフトウェア命令が、
受信登録情報に基づいて機器を登録する動作であって、前記登録情報が、アプリケーション提供者と関連付けられた機器および第1の機器のうちの一つによって送信される、前記動作
をさらに含む動作を、プロセッサに実行させるように構成されている、請求項70記載の非一時的プロセッサ可読記憶媒体。
【請求項７２】
登録情報が、認証資格情報、アクセス制御資格情報、使用許諾情報、広告許可情報、支払情報、および複数のデータタイプのうちの少なくとも一つの選択、のうちの少なくとも一つを含む、請求項71記載の非一時的プロセッサ可読記憶媒体。
【請求項７３】
複数のデータタイプが、エネルギー使用量データ、占有センサデータ、光センサデータ、環境センサデータ、セキュリティセンサデータ、オーディオデータ、ビジュアルデータ、ガス検知センサデータ、侵入検知器データ、動きセンサデータ、振動センサデータ、車両検知センサデータ、安全センサデータ、バイオハザードセンサデータ、スキャンセンサデータ、位置センサデータ、バイオメトリックセンサデータ、力学的センサデータ、信号検出器、および産業特有のセンサデータ、相関データ、ならびに集約データを含む、請求項72記載の非一時的プロセッサ可読記憶媒体。
【請求項７４】
記憶されたプロセッサ実行可能ソフトウェア命令が、
要求のあった照明インフラストラクチャアプリケーションフレームワークからのデータに第1の機器がアクセスするための許可を、受信登録情報に基づいて前記第1の機器が許可されているかどうか判定することによって検証する動作と、
前記第1の機器が許可されていないと判定された場合に前記第1の機器からの登録情報を求める要求を送信する動作と
をさらに含む動作を、プロセッサに実行させるように構成されており、かつ
前記記憶されたプロセッサ実行可能ソフトウェア命令が、
要求のあった前記照明インフラストラクチャアプリケーションフレームワークからの前記データに少なくとも一部基づいて前記第1の機器からの要求に対する応答を送信する動作が、前記第1の機器が許可されていると判定された場合に前記第1の機器からの前記要求に対する前記応答を送信する動作を含むようになっている動作を、プロセッサに実行させるように構成されている、請求項71記載の非一時的プロセッサ可読記憶媒体。
【請求項７５】
照明インフラストラクチャアプリケーションフレームワークが、少なくとも一つのサービスプラットフォームコンピューティング機器と、少なくとも一つのゲートウェイプラットフォーム機器と、複数の照明ノードプラットフォーム機器とを含み、かつ
前記少なくとも一つのゲートウェイプラットフォーム機器が、前記少なくとも一つのサービスプラットフォームコンピューティング機器と通信を交換するように構成されており、かつ
前記複数の照明ノードプラットフォーム機器が、前記複数の照明ノードプラットフォーム機器と関連付けられたデータが前記少なくとも一つのゲートウェイプラットフォーム機器を介して前記少なくとも一つのサービスプラットフォームコンピューティング機器へ送信されるように、前記少なくとも一つのゲートウェイプラットフォーム機器と通信を交換するように構成されている、請求項70記載の非一時的プロセッサ可読記憶媒体。
【請求項７６】
記憶されたプロセッサ実行可能ソフトウェア命令が、
送信された応答に関連した料金および収益のうちの少なくとも一つを計算する動作が、
要求に基づいて第1の機器についての使用特性を決定する動作と、
前記決定された使用特性に基づいて前記料金を計算する動作と
を含むようになっている動作を、プロセッサに実行させるように構成されている、請求項70記載の非一時的プロセッサ可読記憶媒体。
【請求項７７】
使用特性が、データのタイプ、データアクセスの頻度、データの量、データソース位置、データ需要、および要求時間のうちの少なくとも一つを含む、請求項76記載の非一時的プロセッサ可読記憶媒体。
【請求項７８】
記憶されたプロセッサ実行可能ソフトウェア命令が、
送信された応答に関連した料金および収益のうちの少なくとも一つを計算する動作が、
前記送信された応答に関連した照明インフラストラクチャアプリケーションフレームワークによる照明ノードプラットフォーム機器使用量を決定する動作と、
前記決定された照明ノードプラットフォーム機器使用量に関連した照明インフラストラクチャ所有者のための収益を計算する動作であって、前記照明インフラストラクチャ所有者が、照明ノードプラットフォーム機器を含む照明インフラストラクチャと関連付けられている、前記動作と
を含むようになっている動作を、プロセッサに実行させるように構成されている、請求項70記載の非一時的プロセッサ可読記憶媒体。
【請求項７９】
少なくとも一つの照明ノードプラットフォーム機器が、
電力を受け取るための電源と、
前記電源に結合された照明ソケットと、
前記電源に結合されたデータプロセッサを含むノードアプリケーションコントローラと、
サービスプラットフォームコンピュータに通信可能に結合されている、前記プロセッサに結合されたネットワークインターフェースと、
前記少なくとも一つの照明ノードプラットフォーム機器での条件を検出し、応答して前記条件に関する情報を前記プロセッサに提供するための、前記プロセッサに結合されたセンサと
を含む、請求項70記載の非一時的プロセッサ可読記憶媒体。
【請求項８０】
電力のための電源が、交流電力を受け取るための電源入力端子を含み、かつ
照明ノードプラットフォーム機器が、
前記電源入力端子に結合された交流直流変換器と、
前記交流直流変換器に結合されたLEDドライバと、
前記交流直流変換器から第1のセンサへと電力を提供するために前記LEDドライバに結合された電力インターフェースと
をさらに含む、請求項79記載の非一時的プロセッサ可読記憶媒体。
【請求項８１】
照明インフラストラクチャアプリケーションフレームワークが、複数の照明ノードプラットフォーム機器の各々が複数のセンサのうちの少なくとも一つのセンサを含むように前記複数のセンサを含み、かつ
前記複数のセンサの各センサが、サービスプラットフォームコンピュータにセンサデータを提供する、請求項70記載の非一時的プロセッサ可読記憶媒体。
【請求項８２】
複数のセンサが、エネルギー使用センサ、光センサ、動き検出器、占有センサ、エネルギー使用量センサ、光センサ、環境センサ、セキュリティセンサ、オーディオセンサ、カメラ、ガス検知センサ、侵入検知器、振動センサ、人検知センサ、車両検知センサ、動きセンサ、安全センサ、バイオハザードセンサ、スキャンセンサ、位置センサ、バイオメトリックセンサ、力学的センサ、信号検出器、および産業特有のセンサを含む、請求項81記載の非一時的プロセッサ可読記憶媒体。
【請求項８３】
照明インフラストラクチャアプリケーションフレームワークに関連した料金および収益を計算するための動作をプロセッサに実行させるように構成されたプロセッサ実行可能ソフトウェア命令が記憶されている非一時的プロセッサ可読記憶媒体であって、前記動作が、
センサおよびコントローラのうちの少なくとも一つに関連したセンサデータおよびコントローラ情報のうちの少なくとも一つを含むデータを受信する動作であって、前記センサおよび前記コントローラが、前記プロセッサを有するコンピューティング機器に結合されたローカルエリアネットワーク内にあり、かつ少なくとも一つの照明ノードプラットフォーム機器と関連付けられている、前記動作と、
前記受信データと関連付けられる前記料金および前記収益を記述する情報を計算する動作であって、前記収益が、前記コンピューティング機器と関連付けられた照明インフラストラクチャ所有者のためのものである、前記動作と、
前記計算された情報を、前記照明インフラストラクチャアプリケーションフレームワークと関連付けられた別の機器へ送信する動作と
を含む、非一時的プロセッサ可読記憶媒体。
【請求項８４】
照明インフラストラクチャアプリケーションフレームワークと関連付けられる節約情報を計算するための動作をプロセッサに実行させるように構成されたプロセッサ実行可能ソフトウェア命令が記憶されている非一時的プロセッサ可読記憶媒体であって、前記動作が、
前記照明インフラストラクチャアプリケーションフレームワーク内の複数の照明ノードプラットフォーム機器からリアルタイムのエネルギー使用量データを受信する動作と、
前記複数の照明ノードプラットフォーム機器の管理および使用と関連付けられるエネルギー節約情報を計算する動作と、
前記複数の照明ノードプラットフォーム機器の前記管理および前記使用と関連付けられる前記計算されたエネルギー節約情報に基づいて炭素クレジット情報を自動的に計算する動作と、
前記計算された炭素クレジット情報に基づいて炭素クレジットを求める要求を送信する動作と
を含む、非一時的プロセッサ可読記憶媒体。
【請求項８５】
照明インフラストラクチャアプリケーションフレームワークに関連したソフトウェアを配信するための動作をプロセッサに実行させるように構成されたプロセッサ実行可能ソフトウェア命令が記憶されている非一時的プロセッサ可読記憶媒体であって、前記動作が、
前記ソフトウェアを受信する動作であって、前記ソフトウェアが、前記照明インフラストラクチャアプリケーションフレームワーク内の複数の照明ノードプラットフォーム機器のうちの少なくとも一つによって実行されるべきものであり、前記ソフトウェアが、スクリプト、アプリケーション、アプリ、およびルーチンのうちの少なくとも一つである、前記動作と、
前記受信したソフトウェアを前記ソフトウェアの提供者に関連して記憶する動作であって、前記提供者がアプリケーション提供者および照明インフラストラクチャ所有者のうちの1者である、前記動作と、
要求の受信に応答して前記ソフトウェアを宛先機器へ送信する動作と
を含む、非一時的プロセッサ可読記憶媒体。
【請求項８６】
記憶されたプロセッサ実行可能ソフトウェア命令が、
ソフトウェアに対する更新を受信する動作であって、前記更新が、バイナリ更新、ファームウェア更新、および構成データのうちの少なくとも一つである、前記動作と、
前記更新の受信に応答して前記更新を送信する動作と
をさらに含む動作を、プロセッサに実行させるように構成されている、請求項85記載の非一時的プロセッサ可読記憶媒体。
【請求項８７】
要求が、照明インフラストラクチャ所有者と関係していない第三者機器、ゲートウェイプラットフォーム機器、および複数の照明ノードプラットフォーム機器のうちの一つ、のうちの一つからのものである、請求項85記載の非一時的プロセッサ可読記憶媒体。
【請求項８８】
宛先機器が、複数の照明ノードプラットフォーム機器のうちの少なくとも一つである、請求項85記載の非一時的プロセッサ可読記憶媒体。
【請求項８９】
照明インフラストラクチャアプリケーションフレームワークに関連して受信したデータを処理するための動作をプロセッサに実行させるように構成されたプロセッサ実行可能ソフトウェア命令が記憶されている非一時的プロセッサ可読記憶媒体であって、前記動作が、
前記照明インフラストラクチャアプリケーションフレームワーク内の複数の照明ノードプラットフォーム機器によって報告されるデータを受信する動作と、
前記受信データを分析することまたは集約することの少なくとも一方によって前記受信データを処理する動作と、
前記データの前記処理に基づいて複数の事前定義のイベントのうちの少なくとも一つの発生を検出する動作と、
前記データの前記処理に基づいて前記受信データ内の傾向を特定する動作と、
前記データの前記処理に基づいて前もってイベントを予測する動作と
を含む、非一時的プロセッサ可読記憶媒体。
【請求項９０】
記憶されたプロセッサ実行可能ソフトウェア命令が、データの処理を報告するメッセージを送信する動作をさらに含む動作をプロセッサに実行させるように構成されている、請求項89記載の非一時的プロセッサ可読記憶媒体。
【請求項９１】
記憶されたプロセッサ実行可能ソフトウェア命令が、
受信データおよび前記データの処理のうちの少なくとも一つに基づいてコマンドを送信する動作であって、前記コマンドが、ソフトウェア、スクリプト、および構成データのうちの少なくとも一つを含む、前記動作
をさらに含む動作を、プロセッサに実行させるように構成されている、請求項89記載の非一時的プロセッサ可読記憶媒体。
【請求項９２】
コマンドが、複数の照明ノードプラットフォーム機器と関連付けられたセンサのための動作命令を含む、請求項91記載の非一時的プロセッサ可読記憶媒体。
【請求項９３】
照明インフラストラクチャへのソフトウェアの配信、料金もしくは収益の計算、または照明ノードプラットフォーム機器から受信したデータの処理のうちの少なくとも一つを実行するように構成されたサービスプラットフォームコンピューティング機器と、
前記照明インフラストラクチャ内の複数の照明ノードプラットフォーム機器内の第1の照明ノードプラットフォーム機器と、
前記複数の照明ノードプラットフォーム機器と関連付けられたゲートウェイプラットフォーム機器と
を含む、照明インフラストラクチャアプリケーションフレームワークと照明インフラストラクチャに関連した収益モデルとを実装するためのシステムであって、
前記複数の照明ノードプラットフォーム機器内の各照明ノードプラットフォーム機器が、
電力を受け取るための電源と、
前記電源に結合された照明ソケットと、
第1のメモリと、
前記電源と前記第1のメモリと第1のネットワークインターフェースとに結合された第1のプロセッサと、
条件を検出し、かつ前記条件に関する情報を前記第1のプロセッサへ提供するための少なくとも一つのセンサと、
各照明ノードプラットフォーム機器の前記第1のネットワークインターフェースを相互に結合するネットワークと
を含み、かつ
前記第1の照明ノードプラットフォーム機器の前記第1のプロセッサが、
前記照明ノードプラットフォーム機器に関連したデータを、前記第1のネットワークインターフェースを介して前記ゲートウェイプラットフォーム機器へ送信する動作であって、前記データが、電力使用量情報、光状況情報、ならびに、占有センサデータ、エネルギー使用量センサデータ、光センサデータ、環境センサデータ、セキュリティセンサデータ、オーディオデータ、ビジュアルデータ、ガス検知センサデータ、侵入検知器データ、動きセンサデータ、振動センサデータ、人検知センサデータ、車両検知センサデータ、人検知センサデータ、安全センサデータ、バイオハザードセンサデータ、スキャンセンサデータ、位置センサデータ、バイオメトリックセンサデータ、力学的センサデータ、信号検出器、および産業特有のセンサデータのうちの少なくとも一つを含む前記少なくとも一つのセンサからのセンサデータ、のうちの少なくとも一つを含む、前記動作
を含む動作を実行するためのプロセッサ実行可能命令を用いて、構成され、かつ
前記ゲートウェイプラットフォーム機器が、
第2のメモリと、
前記複数の照明ノードプラットフォーム機器と通信を交換するように構成された第2のネットワークインターフェースと、
広域ネットワーク上で通信を交換するように構成された第3のネットワーク化インターフェースと、
前記第2のネットワークインターフェースと前記第3のネットワークインターフェースと前記第2のメモリとに結合された第2のプロセッサであって、
前記照明ノードプラットフォーム機器によって送信された前記データを、前記第2のネットワークインターフェースを介して受信する動作と、
前記受信データを、前記第3のネットワークインターフェースを介して前記サービスプラットフォームコンピューティング機器へ送信する動作と
を含む動作を実行するためのプロセッサ実行可能命令を用いて構成される前記第2のプロセッサと
を含み、かつ
前記サービスプラットフォームコンピューティング機器が、
第3のメモリと、
前記広域ネットワーク上で通信を交換するように構成された第4のネットワークインターフェースと、
前記第4のネットワークインターフェースと前記第3のメモリとに結合された第3のプロセッサであって、
前記ゲートウェイプラットフォーム機器によって報告され送信された前記データを、前記第4のネットワークインターフェースを介して受信する動作
を含む動作を実行するためのプロセッサ実行可能命令を用いて構成される前記第3のプロセッサと
を含む、システム。
【請求項９４】
第1の機器をさらに含むシステムであって、
前記第1の機器が、
広域ネットワーク上で通信を交換するように構成された第5のネットワークインターフェースと、
前記第5のネットワークインターフェースに結合された第4のプロセッサであって、
前記第5のネットワークインターフェースを介して前記サービスプラットフォームコンピューティング機器へ要求を送信する動作
を含む動作を実行するためのプロセッサ実行可能命令を用いて構成される前記第4のプロセッサと
を含み、かつ
第3のプロセッサが、
前記第4のネットワークインターフェースを介して前記要求を受信する動作と、
要求のあったデータに少なくとも一部基づいて前記第1の機器からの前記要求に対する応答を、前記第4のネットワークインターフェースを介して前記第1の機器へ送信する動作と、
前記送信された応答に関連した料金および収益のうちの少なくとも一つを計算する動作と
をさらに含む動作を実行するためのプロセッサ実行可能命令を用いて、構成される、請求項93記載のシステム。
【請求項９５】
第3のプロセッサが、
受信登録情報に基づいて機器を登録する動作であって、前記登録情報が第1の機器によって送信される、前記動作
をさらに含むプロセッサ実行可能命令を用いて、構成される、請求項94記載のシステム。
【請求項９６】
登録情報が、認証資格情報、アクセス制御資格情報、使用許諾情報、広告許可情報、支払情報、および複数のデータタイプのうちの少なくとも一つの選択、のうちの少なくとも一つを含む、請求項95記載のシステム。
【請求項９７】
複数のデータタイプが、エネルギー使用量データ、占有センサデータ、光センサデータ、環境センサデータ、セキュリティセンサデータ、オーディオデータ、ビジュアルデータ、ガス検知センサデータ、侵入検知器データ、動きセンサデータ、振動センサデータ、人検知センサデータ、車両検知センサデータ、安全センサデータ、バイオハザードセンサデータ、スキャンセンサデータ、位置センサデータ、バイオメトリックセンサデータ、力学的センサデータ、信号検出器、および産業特有のセンサデータ、相関データ、ならびに集約データを含む、請求項96記載のシステム。
【請求項９８】
第3のプロセッサが、
要求のあった照明インフラストラクチャアプリケーションフレームワークからのデータに第1の機器がアクセスするための許可を、受信登録情報に基づいて前記第1の機器が許可されているかどうか判定することによって検証する動作と、
前記第1の機器が許可されていないと判定された場合に前記第1の機器からの登録情報を求める要求を送信する動作と
をさらに含むプロセッサ実行可能命令を用いて、構成され、かつ
前記第3のプロセッサが、
要求のあった前記照明インフラストラクチャアプリケーションフレームワークからの前記データに少なくとも一部基づいて前記第1の機器からの要求に対する応答を送信する動作が、前記第1の機器が許可されていると判定された場合に前記第1の機器からの前記要求に対する前記応答を送信する動作を含むようになっているプロセッサ実行可能命令を用いて、構成される、請求項94記載のシステム。
【請求項９９】
第3のプロセッサが、
送信された応答に関連した料金および収益のうちの少なくとも一つを計算する動作が、
要求に基づいて第1の機器についての使用特性を決定する動作と、
前記決定された使用特性に基づいて前記料金を計算する動作と
を含むようになっているプロセッサ実行可能命令を用いて、構成される、請求項94記載のシステム。
【請求項１００】
使用特性が、データのタイプ、データアクセスの頻度、データの量、データソース位置、データ需要、および要求時間のうちの少なくとも一つを含む、請求項99記載のシステム。
【請求項１０１】
第3のプロセッサが、
送信された応答に関連した料金および収益のうちの少なくとも一つを計算する動作が、
前記送信された応答に関連した照明ノードプラットフォーム機器使用量を決定する動作と、
前記決定された照明ノードプラットフォーム機器使用量に関連した照明インフラストラクチャ所有者のための収益を計算する動作であって、前記照明インフラストラクチャ所有者が、複数の照明ノードプラットフォーム機器を含む照明インフラストラクチャと関連付けられている、前記動作と
を含むようになっているプロセッサ実行可能命令を用いて、構成される、請求項94記載のシステム。
【請求項１０２】
第2のプロセッサが、
受信データと関連付けられる料金および収益を記述する情報を計算する動作であって、前記収益が、照明インフラストラクチャ所有者のためのものである、前記動作
をさらに含む動作を実行するためのプロセッサ実行可能命令を用いて、構成される、請求項93記載のシステム。
【請求項１０３】
第3のプロセッサが、
受信データに基づいて複数の照明ノードプラットフォーム機器の管理および使用と関連付けられるエネルギー節約情報を計算する動作と、
前記複数の照明ノードプラットフォーム機器の前記管理および前記使用と関連付けられる前記計算されたエネルギー節約情報に基づいて炭素クレジット情報を自動的に計算する動作と、
前記計算された炭素クレジット情報に基づいて炭素クレジットを求める要求を送信する動作と
をさらに含む動作を実行するためのプロセッサ実行可能命令を用いて、構成される、請求項93記載のシステム。
【請求項１０４】
第3のプロセッサが、
第4のネットワークインターフェースを介して第三者からソフトウェアを受信する動作であって、前記ソフトウェアが、複数の照明ノードプラットフォーム機器のうちの少なくとも一つによって実行されるべきものであり、かつ前記ソフトウェアが、スクリプト、アプリケーション、アプリ、およびルーチンのうちの少なくとも一つである、前記動作と、
前記受信したソフトウェアを前記第三者に関連して記憶する動作と、
前記第4のネットワークインターフェースを介して、前記ソフトウェアをゲートウェイプラットフォーム機器へ送信する動作と
をさらに含む動作を実行するためのプロセッサ実行可能命令を用いて、構成され、かつ
第2のプロセッサが、
第3のネットワークインターフェースを介して前記ソフトウェアを受信する動作と、
前記受信したソフトウェアを、第2のネットワークインターフェースを介して前記複数の照明ノードプラットフォーム機器のうちの少なくとも一つへ送信する動作と
をさらに含む動作を実行するためのプロセッサ実行可能命令を用いて、構成され、かつ
第1のプロセッサが、
第1のネットワークインターフェースを介して前記ゲートウェイプラットフォーム機器から前記ソフトウェアを受信する動作
をさらに含む動作を実行するためのプロセッサ実行可能命令を用いて、構成される、請求項93記載のシステム。
【請求項１０５】
第3のプロセッサが、
第4のネットワークインターフェースを介してソフトウェアに対する更新を受信する動作であって、前記更新が、バイナリ更新、ファームウェア更新、および構成データのうちの少なくとも一つである、前記動作と、
前記ソフトウェア更新の受信に応答して、前記ソフトウェア更新を、前記第4のネットワークインターフェースを介してゲートウェイプラットフォーム機器へ送信する動作と
をさらに含むプロセッサ実行可能命令を用いて、構成され、かつ
第2のプロセッサが、
第3のネットワークインターフェースを介して前記ソフトウェア更新を受信する動作と、
前記受信したソフトウェア更新を、第2のネットワークインターフェースを介して複数の照明ノードプラットフォーム機器のうちの少なくとも一つへ送信する動作と
をさらに含む動作を実行するためのプロセッサ実行可能命令を用いて、構成され、かつ
第1のプロセッサが、
第1のネットワークインターフェースを介して前記ゲートウェイプラットフォーム機器から前記ソフトウェア更新を受信する動作
をさらに含む動作を実行するためのプロセッサ実行可能命令を用いて、構成される、請求項104記載のシステム。
【請求項１０６】
第3のプロセッサが、
受信データを分析することまたは集約することの少なくとも一方によって前記受信データを処理する動作と、
前記データの前記処理に基づいて複数の事前定義のイベントのうちの少なくとも一つの発生を検出する動作と、
前記データの前記処理に基づいて前記受信データ内の傾向を特定する動作と、
前記データの前記処理に基づいて前もってイベントを予測する動作と、
前記受信データおよび前記データの前記処理のうちの少なくとも一つに基づいて、第4のネットワークインターフェースを介してゲートウェイプラットフォーム機器へコマンドを送信する動作であって、前記コマンドが、ソフトウェア、スクリプト、および構成データのうちの少なくとも一つを含む、前記動作と
を含む動作を実行するためのプロセッサ実行可能命令を用いて、構成され、かつ
第2のプロセッサが、
第3のネットワークインターフェースを介してサービスプラットフォームコンピューティング機器から前記コマンドを受信する動作と、
前記受信したコマンドを、第2のネットワークインターフェースを介して複数の照明ノードプラットフォーム機器のうちの少なくとも一つへ送信する動作と
をさらに含む動作を実行するためのプロセッサ実行可能命令を用いて、構成され、かつ
第1のプロセッサが、
第1のネットワークインターフェースを介して前記ゲートウェイプラットフォーム機器から前記コマンドを受信する動作と、
前記受信したコマンドを実行する動作と
をさらに含む動作を実行するためのプロセッサ実行可能命令を用いて、構成される、請求項93記載のシステム。
【請求項１０７】
照明インフラストラクチャアプリケーションフレームワークからのデータへのアクセスを求める第1の機器からの要求を、コンピューティング機器で受信する工程が、照明インフラストラクチャアプリケーションフレームワークからのデータへのアクセスを求める、第1の機器上で実行されているアプリケーションによって送信された前記要求を、前記コンピューティング機器で受信する工程を含み、前記第1の機器が、第三者機器およびサービスプラットフォームコンピュータのうちの少なくとも一つである、請求項1記載の方法。
【請求項１０８】
照明インフラストラクチャアプリケーションフレームワーク事業者および複数の照明ノードプラットフォーム機器と関連付けられた照明インフラストラクチャ所有者のうちの少なくとも1者のための追加収益を求める要求に応答して受信した炭素クレジットを売買する工程をさらに含む、請求項15記載の方法。
【請求項１０９】
照明インフラストラクチャアプリケーションフレームワークからのデータへのアクセスを求める第1の機器からの要求を、コンピューティング機器で受信するための手段が、照明インフラストラクチャアプリケーションフレームワークからのデータへのアクセスを求める、第1の機器上で実行されているアプリケーションによって送信された前記要求を、前記コンピューティング機器で受信するための手段を含み、前記第1の機器が、第三者機器およびサービスプラットフォームコンピュータのうちの少なくとも一つである、請求項24記載のコンピューティング機器。
【請求項１１０】
照明インフラストラクチャアプリケーションフレームワーク事業者および複数の照明ノードプラットフォーム機器と関連付けられた照明インフラストラクチャ所有者のうちの少なくとも1者のための追加収益を求める要求に応答して受信した炭素クレジットを売買するための手段をさらに含む、請求項38記載のコンピューティング機器。
【請求項１１１】
プロセッサが、
照明インフラストラクチャアプリケーションフレームワークからのデータへのアクセスを求める第1の機器からの要求を、コンピューティング機器で受信する動作が、照明インフラストラクチャアプリケーションフレームワークからのデータへのアクセスを求める、第1の機器上で実行されているアプリケーションによって送信された前記要求を、前記コンピューティング機器で受信する動作を含むようになっているプロセッサ実行可能命令を用いて、構成され、
前記第1の機器が、第三者機器およびサービスプラットフォームコンピュータのうちの少なくとも一つである、請求項47記載のコンピューティング機器。
【請求項１１２】
プロセッサが、照明インフラストラクチャアプリケーションフレームワーク事業者および複数の照明ノードプラットフォーム機器と関連付けられた照明インフラストラクチャ所有者のうちの少なくとも1者のための追加収益を求める要求に応答して受信した炭素クレジットを売買する動作をさらに含むプロセッサ実行可能命令を用いて構成される、請求項61記載のコンピューティング機器。
【請求項１１３】
記憶されたプロセッサ実行可能ソフトウェア命令が、
照明インフラストラクチャアプリケーションフレームワークからのデータへのアクセスを求める第1の機器からの要求を受信する動作が、照明インフラストラクチャアプリケーションフレームワークからのデータへのアクセスを求める、第1の機器上で実行されているアプリケーションによって送信された前記要求を受信する動作を含むようになっている動作を、プロセッサに実行させるように構成されており、
前記第1の機器が、第三者機器およびサービスプラットフォームコンピュータのうちの少なくとも一つである、請求項70記載の非一時的プロセッサ可読記憶媒体。
【請求項１１４】
記憶されたプロセッサ実行可能ソフトウェア命令が、照明インフラストラクチャアプリケーションフレームワーク事業者および複数の照明ノードプラットフォーム機器と関連付けられた照明インフラストラクチャ所有者のうちの少なくとも1者のための追加収益を求める要求に応答して受信した炭素クレジットを売買する動作をさらに含む動作をプロセッサに実行させるように構成されている、請求項84記載の非一時的プロセッサ可読記憶媒体。
【請求項１１５】
第4のプロセッサが、
前記第4のプロセッサを用いてアプリケーションを実行する動作
をさらに含む動作を実行するためのプロセッサ実行可能命令を用いて、構成され、かつ
前記第4のプロセッサが、
サービスプラットフォームコンピューティング機器へ要求を送信する動作が、前記アプリケーションと共に使用するためのデータの少なくとも一部分へのアクセスを求める要求を、第5のネットワークインターフェースを介して前記サービスプラットフォームコンピューティング機器へ送信する動作を含むようになっている動作を実行するためのプロセッサ実行可能命令を用いて、構成される、請求項94記載のシステム。
【請求項１１６】
第3のプロセッサが、
照明インフラストラクチャアプリケーションフレームワーク事業者および複数の照明ノードプラットフォーム機器と関連付けられた照明インフラストラクチャ所有者のうちの少なくとも1者のための追加収益を求める要求に応答して受信した炭素クレジットを売買する動作
をさらに含む動作を実行するためのプロセッサ実行可能命令を用いて、構成される、請求項103記載のシステム。
【請求項１１７】
照明インフラストラクチャアプリケーションフレームワークと関連付けられたデータ市場を提供するためのコンピューティング機器のための方法であって、
少なくとも一つの照明ノードプラットフォーム機器を含む照明インフラストラクチャに関連したデータを前記コンピューティング機器で受信する工程;
価値要因に基づいて受信データの価値および入札条件を計算する工程であって、前記価値要因が少なくともデータタイプおよび収集区域を含む、前記工程;
前記受信データについての入札メッセージを受信する工程;
前記計算された入札条件に基づいて入札条件が満たされたかどうか判定する工程;ならびに
前記入札条件が満たされたと判定された場合に、受信した入札メッセージと関連付けられた受領側機器へ前記データを送信する工程
を含む方法。
【請求項１１８】
照明インフラストラクチャアプリケーションフレームワークと関連付けられたデータ市場を提供するためのコンピューティング機器であって、
少なくとも一つの照明ノードプラットフォーム機器を含む照明インフラストラクチャに関連したデータを前記コンピューティング機器で受信するための手段と、
価値要因に基づいて受信データの価値および入札条件を計算するための手段であって、前記価値要因が少なくともデータタイプおよび収集区域を含む、前記手段と、
前記受信データについての入札メッセージを受信するための手段と、
前記計算された入札条件に基づいて入札条件が満たされたかどうか判定するための手段と、
前記入札条件が満たされたと判定された場合に、受信した入札メッセージと関連付けられた受領側機器へ前記データを送信するための手段と
を含むコンピューティング機器。
【請求項１１９】
照明インフラストラクチャアプリケーションフレームワークと関連付けられたデータ市場を提供するように構成されたコンピューティング機器であって、
メモリと、
前記メモリに結合されたプロセッサであって、
少なくとも一つの照明ノードプラットフォーム機器を含む照明インフラストラクチャに関連したデータを前記コンピューティング機器で受信する動作と、
価値要因に基づいて受信データの価値および入札条件を計算する動作であって、前記価値要因が少なくともデータタイプおよび収集区域を含む、前記動作と、
前記受信データについての入札メッセージを受信する動作と、
前記計算された入札条件に基づいて入札条件が満たされたかどうか判定する動作と、
前記入札条件が満たされたと判定された場合に、受信した入札メッセージと関連付けられた受領側機器へ前記データを送信する動作と
を含む動作を実行するためのプロセッサ実行可能命令を用いて構成される前記プロセッサと
を含むコンピューティング機器。
【請求項１２０】
照明インフラストラクチャアプリケーションフレームワークと関連付けられたデータ市場を提供するためのコンピューティング機器のための動作をプロセッサに実行させるように構成されたプロセッサ実行可能ソフトウェア命令が記憶されている非一時的プロセッサ可読記憶媒体であって、前記動作が、
少なくとも一つの照明ノードプラットフォーム機器を含む照明インフラストラクチャに関連したデータを前記コンピューティング機器で受信する動作と、
価値要因に基づいて受信データの価値および入札条件を計算する動作であって、前記価値要因が少なくともデータタイプおよび収集区域を含む、前記動作と、
前記受信データについての入札メッセージを受信する動作と、
前記計算された入札条件に基づいて入札条件が満たされたかどうか判定する動作と、
前記入札条件が満たされたと判定された場合に、受信した入札メッセージと関連付けられた受領側機器へ前記データを送信する動作と
を含む、非一時的プロセッサ可読記憶媒体。
【請求項１２１】
第3のプロセッサが、
価値要因に基づいてデータの価値および入札条件を計算する動作であって、前記価値要因が少なくともデータタイプおよび収集区域を含む、前記動作と、
前記受信データについての入札メッセージを受信する動作と、
前記計算された入札条件に基づいて入札条件が満たされたかどうか判定する動作と、
前記入札条件が満たされたと判定された場合に、前記入札メッセージと関連付けられた機器へ、第4のネットワークインターフェースを介してデータを送信する動作と
をさらに含む動作を実行するためのプロセッサ実行可能命令を用いて、構成される、請求項93記載のシステム。
【請求項１２２】
ソフトウェアの送信に応答して料金および収益のうちの少なくとも一つを計算する工程;ならびに
前記料金または前記収益の価値を指し示すメッセージを送信する工程であって、前記メッセージが、アプリケーション提供者および照明インフラストラクチャ所有者のうちの1者へ送信される、前記工程
をさらに含む、請求項16記載の方法。
【請求項１２３】
料金および収益のうちの少なくとも一つが、ソフトウェアを実行している複数の照明ノードプラットフォーム機器のうちの少なくとも一つと関連付けて送信されたデータに基づくものである、請求項122記載の方法。
【請求項１２４】
ソフトウェアの送信に応答して料金および収益のうちの少なくとも一つを計算するための手段と、
前記料金または前記収益の価値を指し示すメッセージを送信するための手段であって、前記メッセージが、アプリケーション提供者および照明インフラストラクチャ所有者のうちの1者へ送信される、前記手段と
をさらに含む、請求項39記載のコンピューティング機器。
【請求項１２５】
料金および収益のうちの少なくとも一つが、ソフトウェアを実行している複数の照明ノードプラットフォーム機器のうちの少なくとも一つと関連付けて送信されたデータに基づくものである、請求項124記載のコンピューティング機器。
【請求項１２６】
プロセッサが、
ソフトウェアの送信に応答して料金および収益のうちの少なくとも一つを計算する動作と、
前記料金または前記収益の価値を指し示すメッセージを送信する動作であって、前記メッセージが、アプリケーション提供者および照明インフラストラクチャ所有者のうちの1者へ送信される、前記動作と
をさらに含む動作を実行するためのプロセッサ実行可能命令を用いて、構成される、請求項62記載のコンピューティング機器。
【請求項１２７】
料金および収益のうちの少なくとも一つが、ソフトウェアを実行している複数の照明ノードプラットフォーム機器のうちの少なくとも一つと関連付けて送信されたデータに基づくものである、請求項126記載のコンピューティング機器。
【請求項１２８】
記憶されたプロセッサ実行可能ソフトウェア命令が、
ソフトウェアの送信に応答して料金および収益のうちの少なくとも一つを計算する動作と、
前記料金または前記収益の価値を指し示すメッセージを送信する動作であって、前記メッセージが、アプリケーション提供者および照明インフラストラクチャ所有者のうちの1者へ送信される、前記動作と
をさらに含む動作を、プロセッサに実行させるように構成されている、請求項85記載の非一時的プロセッサ可読記憶媒体。
【請求項１２９】
料金および収益のうちの少なくとも一つが、ソフトウェアを実行している複数の照明ノードプラットフォーム機器のうちの少なくとも一つと関連付けて送信されたデータに基づくものである、請求項128記載の非一時的プロセッサ可読記憶媒体。
【請求項１３０】
第3のプロセッサが、
ソフトウェアの送信に応答して料金および収益のうちの少なくとも一つを計算する動作と、
前記料金または前記収益の価値を指し示すメッセージを送信する動作であって、前記メッセージが、アプリケーション提供者および照明インフラストラクチャ所有者のうちの1者へ送信される、前記動作と
をさらに含む動作を実行するためのプロセッサ実行可能命令を用いて、構成される、請求項104記載のシステム。
【請求項１３１】
料金および収益のうちの少なくとも一つが、ソフトウェアを実行している複数の照明ノードプラットフォーム機器のうちの少なくとも一つと関連付けて送信されたデータに基づくものである、請求項130記載のシステム。
【発明の詳細な説明】
【技術分野】
【０００１】
関連出願
本出願は、2012年6月12日付けで出願された、「Street Lamp Revenue Model」という名称の米国仮特許出願第61/658,874号、および2013年4月15付けで出願された、「Lighting Infrastructure and Revenue Model」という名称の米国仮特許出願第61/812,219号の優先権の恩典を主張するものである。
【背景技術】
【０００２】
背景
世界中の先進工業国が、屋内および屋外の照明の広範囲に及ぶネットワークを有する。街路、幹線道路、駐車場、工場、オフィスビル、およびあらゆるタイプの施設が、多くの場合、広範囲に及ぶ屋内および屋外の照明を有する。この照明の実質的にすべてが、最近まで、白熱技術を使用していた。しかし、白熱照明は電力から光出力への変換に際して非効率的である。白熱照明に使用される電力のかなりの割合が熱として放散される。これは、エネルギーを浪費するのみならず、多くの場合、照明装置の故障はもとより、白熱電球自体の故障も引き起こす。
【０００３】
これらの不都合点と、発光ダイオードまたは他の固体照明技術の稼動および保守コストの効率性との結果として、多数の白熱照明器具の多くの所有者が、固体照明を使用するためにそれらの白熱照明器具を変換しつつある。固体照明は、より長寿命の電球を提供し、それによって交換のための人件費を低減するのみならず、結果として得られる照明器具も低温でより長い期間にわたって稼動し、器具を保守する必要がさらに低減される。現在の照明サービスおよび照明機器は、様々な自治体および民間所有者らに、それらの施設が、低保守コストおよび低エネルギーコストであると同時に、動的データ収集を利用して照明システムを改善しうる改善を伴って稼動できるようにする照明インフラストラクチャを提供するものではない。
【発明の概要】
【０００４】
概要
様々な態様は、統合されたアプリケーションプラットフォーム、ネットワーク、およびセンサ機能を有する街路照明および/または他の照明インフラストラクチャと通信しかつそれ以外にそれらを管理する照明インフラストラクチャアプリケーションフレームワークまたはネットワークを提供するためのシステムおよび方法を含む。
【０００５】
一態様では、コンピューティング機器は、照明インフラストラクチャに関連した収益モデルを実装するための方法を実行することができ、方法は、照明インフラストラクチャアプリケーションフレームワークからのデータへのアクセスを求める第1の機器からの要求を、コンピューティング機器で受信する工程であって、照明インフラストラクチャアプリケーションフレームワークからのデータが複数の照明ノードプラットフォーム機器のうちの少なくとも一つの照明ノードプラットフォーム機器からのデータを含む、前記工程、要求のあった照明インフラストラクチャアプリケーションフレームワークからのデータに少なくとも一部基づいて、第1の機器からの要求に対する応答を送信する工程、ならびに送信された応答に関連した料金および収益のうちの少なくとも一つを計算する工程を含む。別の態様では、方法は、受信登録情報に基づいて機器を登録する工程であって、登録情報がアプリケーション提供者と関連付けられた機器および第1の機器のうちの一つによって送信される、前記工程をさらに含みうる。一態様では、登録情報は、認証資格情報、アクセス制御資格情報、使用許諾情報、広告許可情報、支払情報、および複数のデータタイプのうちの少なくとも一つの選択、のうちの少なくとも一つを含みうる。一態様では、複数のデータタイプは、占有センサデータ、エネルギー使用量センサデータ、光センサデータ（例えば、昼光センサデータ、周囲光センサデータ、光度センサデータなど）、環境センサデータ（例えば、温度センサデータ、風センサデータ、湿度センサデータ、気象センサデータ、汚染センサデータ、微粒子センサデータ、気圧センサデータなど）、セキュリティセンサデータ（例えば、動き検出センサデータ、ガラス破損センサデータ、ビデオ/オーディオデータなど）、オーディオ/マイクロフォンセンサデータ、ビジュアルデータ（例えばビデオカメラなど）、ガス検出センサデータ（例えば、二酸化炭素センサデータ、一酸化炭素センサデータ、メタンセンサデータ、天然ガスセンサデータ、酸素センサデータ、プロパンセンサデータ、ブタンセンサデータ、アンモニアセンサデータ、硫化水素センサデータなど）、侵入検知器データ、動きセンサデータ、振動センサデータ、人検知センサデータ、車両検知センサデータ、安全センサデータ（例えば、放射線センサデータ、他の有毒ガスセンサデータなど）、バイオハザードセンサデータ、スキャンセンサデータ（例えば、アクティブ、パッシブ、およびハイブリッドRFID）、位置センサデータ（例えばGPS）、バイオメトリックセンサデータ（例えば人の存在）、力学的センサデータ（例えば、力/ひずみ、加速度計など）、信号検出器（例えば、無線周波数検出器、WiFi検出器、Bluetooth検出器など）、産業特有のセンサデータ（例えば、交通、駐車、医療、法執行、地震センサデータ、発砲センサデータなど）、相関データ、ならびに集約データを含みうる。一態様では、方法は、要求のあった照明インフラストラクチャアプリケーションフレームワークからのデータに第1の機器がアクセスするための許可を、受信登録情報に基づいて第1の機器が許可されているかどうか判定することによって検証する工程、および第1の機器が許可されていない���判定された場合に第1の機器からの登録情報を求める要求を送信する工程をさらに含んでいてよく、要求のあった照明インフラストラクチャアプリケーションフレームワークからのデータに少なくとも一部基づいて第1の機器からの要求に対する応答を送信する工程は、第1の機器が許可されていると判定された場合に第1の機器からの要求に対する応答を送信する工程を含む。一態様では、照明インフラストラクチャアプリケーションフレームワークは、少なくとも一つのサービスプラットフォームコンピューティング機器と、少なくとも一つのゲートウェイプラットフォーム機器と、複数の照明ノードプラットフォーム機器とを含んでいてよく、少なくとも一つのゲートウェイプラットフォーム機器は、少なくとも一つのサービスプラットフォームコンピューティング機器と通信を交換するように構成されていてよく、複数の照明ノードプラットフォーム機器は、複数の照明ノードプラットフォーム機器と関連付けられたデータが少なくとも一つのゲートウェイプラットフォーム機器を介して少なくとも一つのサービスプラットフォームコンピューティング機器へ送信されるように、少なくとも一つのゲートウェイプラットフォーム機器と通信を交換するように構成されていてよい。一態様では、送信された応答に関連した料金および収益のうちの少なくとも一つを計算する工程は、要求に基づいて第1の機器についての使用特性を決定する工程、および決定された使用特性に基づいて料金を計算する工程を含みうる。一態様では、使用特性は、データのタイプ、データアクセスの頻度、データの量、データソース位置、データ需要、および要求時間のうちの少なくとも一つを含みうる。一態様では、送信された応答に関連した料金および収益のうちの少なくとも一つを計算する工程は、送信された応答に関連した照明インフラストラクチャアプリケーションフレームワークによる照明ノードプラットフォーム機器使用量を決定する工程、ならびに決定された照明ノードプラットフォーム機器使用量に関連した照明インフラストラクチャ所有者のための収益を計算する工程を含んでいてよく、照明インフラストラクチャ所有者は、照明ノードプラットフォーム機器を含む照明インフラストラクチャと関連付けられている。一態様では、少なくとも一つの照明ノードプラットフォーム機器は、電力を受け取るための電源と、電源に結合された照明ソケットと、電源に結合されたプロセッサを含むノードアプリケーションコントローラと、ゲートウェイまたは直接接続によってサービスプラットフォームコンピュータに通信可能に結合されている、プロセッサに結合されたネットワークインターフェースと、少なくとも一つの照明ノードプラットフォーム機器での条件を検出し、応答して条件に関する情報をプロセッサに提供するための、プロセッサに結合されたセンサとを含みうる。一態様では、電力のための電源は、交流電力を受け取るための電源入力端子を含み、第1の照明ノードプラットフォーム機器は、電源入力端子に結合された交流直流変換器と、交流直流変換器に結合されたLEDドライバと、交流直流変換器から第1のセンサへと電力を提供するためにLEDドライバに結合された電力インターフェースとをさらに含みうる。一態様では、照明インフラストラクチャアプリケーションフレームワークは、複数の照明ノードプラットフォーム機器の各々が複数のセンサのうちの少なくとも一つのセンサを含むように複数のセンサを含んでいてよく、複数のセンサの各センサはサービスプラットフォームコンピュータへセンサデータを提供する。一態様では、複数のセンサは、エネルギー使用センサ、光センサ、動き検出器、占有センサ、エネルギー使用量センサ、光センサ、環境センサ、セキュリティセンサ、オーディオセンサ、カメラ、ガス検知センサ、侵入検知器、振動センサ、人検知センサ、ガラス破損センサ、車両検知センサ、安全センサ、バイオハザードセンサ、スキャンセンサ、動きセンサ、位置センサ、バイオメトリックセンサ、力学的センサ、信号検出器、および産業特有のセンサを含む。一態様では、方法は、照明インフラストラクチャアプリケーションフレームワークからのデータへのアクセスを求める、第1の機器上で実行されているアプリケーションによって送信される要求を、コンピューティング機器で受信する工程を含んでいてよく、第1の機器は、第三者機器およびサービスプラットフォームコンピュータのうちの少なくとも一つである。
【０００６】
別の態様では、コンピューティング機器は、照明インフラストラクチャアプリケーションフレームワークに関連した料金および収益を計算するための方法を実行するように構成されてよく、方法は、センサおよび/またはコントローラのうちの少なくとも一つに関連したセンサデータおよび/またはコントローラ情報のうちの少なくとも一つを含むデータをコンピューティング機器で受信する工程であって、センサおよびコントローラが、コンピューティング機器に結合されたローカルエリアネットワーク内にあり、かつ少なくとも一つの照明ノードプラットフォーム機器と関連付けられている、前記工程、受信データと関連付けられる料金および収益を記述する情報を計算する工程であって、収益が、コンピューティング機器と関連付けられた照明インフラストラクチャ所有者のためのものである、前記工程、ならびに計算された情報を、照明インフラストラクチャアプリケーションフレームワークと関連付けられた別の機器へ送信する工程を含む。
【０００７】
別の態様では、コンピューティング機器は、照明インフラストラクチャアプリケーションフレームワークと関連付けられる節約情報を計算するための方法を実行するように構成されてよく、方法は、照明インフラストラクチャアプリケーションフレームワーク内の複数の照明ノードプラットフォーム機器からリアルタイムのエネルギー使用量データをコンピューティング機器で受信する工程、複数の照明ノードプラットフォーム機器の管理および使用と関連付けられるエネルギー節約情報を計算する工程、複数の照明ノードプラットフォーム機器の管理および使用と関連付けられる計算されたエネルギー節約情報に基づいて炭素クレジット情報を自動的に計算する工程、ならびに計算された炭素クレジット情報に基づいて炭素クレジットを求める要求を送信する工程を含む。一態様では、方法は、照明インフラストラクチャアプリケーションフレームワーク事業者および複数の照明ノードプラットフォーム機器と関連付けられた照明インフラストラクチャ所有者のうちの少なくとも1者のための追加収益を求める要求に応答して受信した炭素クレジットを売買する工程も含みうる。
【０００８】
別の態様では、コンピューティング機器は、照明インフラストラクチャアプリケーションフレームワークに関連したソフトウェアを配信するための方法を実行するように構成されてよく、方法は、ソフトウェアをコンピューティング機器で受信する工程であって、ソフトウェアが、照明インフラストラクチャアプリケーションフレームワーク内の複数の照明ノードプラットフォーム機器のうちの少なくとも一つによって実行されるべきものであり、ソフトウェアが、スクリプト、アプリケーション、アプリ、およびルーチンのうちの少なくとも一つである、前記工程、受信したソフトウェアをソフトウェアの提供者に関連して記憶する工程であって、提供者がアプリケーション提供者および照明インフラストラクチャ所有者のうちの1者である、前記工程、ならびに要求の受信に応答してソフトウェアを宛先機器へ送信する工程を含む。一態様では、方法は、ソフトウェアに対する更新をコンピューティング機器で受信する工程であって、更新が、バイナリ更新、ファームウェア更新、および構成データのうちの少なくとも一つである、前記工程、ならびに更新の受信に応答して更新を送信する工程も含みうる。一態様では、要求は、照明インフラストラクチャ所有者と関係していない第三者機器、ゲートウェイプラットフォーム機器、および複数の照明ノードプラットフォーム機器のうちの一つ、のうちの一つからのものであってよい。一態様では、宛先機器は、複数の照明ノードプラットフォーム機器のうちの少なくとも一つであってよい。一態様では、方法は、ソフトウェアの送信に応答して料金および収益のうちの少なくとも一つを計算する工程、ならびに料金および収益のうちの少なくとも一つを指し示すメッセージを送信する工程であって、メッセージが、アプリケーション提供者および照明インフラストラクチャ所有者のうちの1者へ送信される、前記工程も含みうる。別の態様では、料金および収益のうちの少なくとも一つは、ソフトウェアを実行している複数の照明ノードプラットフォーム機器のうちの少なくとも一つと関連付けて送信されたデータに基づくものである。
【０００９】
別の態様では、コンピューティング機器は、照明インフラストラクチャアプリケーションフレームワークに関連して受信したデータを処理するための方法を実行するように構成されてよく、方法は、照明インフラストラクチャアプリケーションフレームワーク内の複数の照明ノードプラットフォーム機器によって報告されるデータをコンピューティング機器で受信する工程、受信データを分析することまたは集約することの少なくとも一方によって受信データを処理する工程、受信データの処理に基づいて複数の事前定義のイベントのうちの少なくとも一つの発生を検出する工程、受信データの処理に基づいて受信データ内の傾向を特定する工程、ならびにデータの処理に基づいて複数の事前定義のイベントのうちの少なくとも一つの将来の発生を予測する工程を含む。一態様では、方法は、受信データの分析を報告するメッセージを送信する工程も含みうる。一態様では、方法は、受信データおよび受信データの分析のうちの少なくとも一つに基づいてコマンドを送信する工程であって、コマンドが、ソフトウェア、スクリプト、および構成データのうちの少なくとも一つを含む、前記工程も含みうる。一態様では、コマンドは、複数の照明ノードプラットフォーム機器と関連付けられたセンサのための動作命令を含む。
【００１０】
別の態様では、コンピューティング機器は、照明インフラストラクチャアプリケーションフレームワークと関連付けられたデータ市場を提供するための方法を実行するように構成されてよく、方法は、少なくとも一つの照明ノードプラットフォーム機器を含む照明インフラストラクチャに関連したデータをコンピューティング機器で受信する工程、価値要因に基づいて受信データの価値および入札条件を計算する工程であって、価値要因が少なくともデータタイプおよび収集区域を含む、前記工程、受信データについての入札メッセージを受信する工程、計算された入札条件に基づいて入札条件が満たされたかどうか判定する工程、ならびに入札条件が満たされたと判定された場合に、受信した入札メッセージと関連付けられた受領側機器へデータを送信する工程を含みうる。
【図面の簡単な説明】
【００１１】
添付の図面は、本明細書に組み入れられ、本明細書の一部を構成し、本発明の例示的態様を例示し、前述した概要および後述する詳細な説明と併せて、本発明の特徴を説明する役割を果たすものである。
【００１２】
【図１Ａ】ネットワーク化照明システム（または照明インフラストラクチャアプリケーションフレームワーク）のアーキテクチャの態様を例示する構成要素ブロック図である。
【図１Ｂ】ネットワーク化を強調したよりハイレベルのネットワーク化照明システムのアーキテクチャの態様を例示する構成要素ブロック図である。
【図２】照明インフラストラクチャアプリケーションフレームワークシステムのアーキテクチャの態様を例示する構成要素ブロック図である。
【図３】照明ノードプラットフォームの態様を例示する構成要素ブロック図である。
【図４】ゲートウェイプラットフォームの態様を例示する構成要素ブロック図である。
【図５Ａ】サービスプラットフォームの態様を例示する構成要素ブロック図である。
【図５Ｂ】照明インフラストラクチャアプリケーションフレームワーク内の構成要素の態様を例示する構成要素ブロック図である。
【図６】照明インフラストラクチャアプリケーションフレームワーク内で一般的な収益モデルを実装するための方法の態様を例示するプロセス流れ図である。
【図７Ａ】照明インフラストラクチャアプリケーションフレームワークと連携して料金/収益を計算する、コンピューティング機器のための方法の態様を例示するプロセス流れ図である。
【図７Ｂ】照明インフラストラクチャアプリケーションフレームワークと連携して料金/収益を計算する、コンピューティング機器のための方法の態様を例示するプロセス流れ図である。
【図８】照明インフラストラクチャアプリケーションフレームワーク内での使用量と関連付けられる料金および/または収益を計算するためのゲートウェイプラットフォーム機器のための方法の態様を例示するプロセス流れ図である。
【図９Ａ】照明ノードプラットフォームと関連付けられるエネルギー節約および炭素クレジット情報を計算するためのコンピューティング機器のための方法の態様を例示するプロセス流れ図である。
【図９Ｂ】LIAFデータの受信に入札を利用するデータ市場を提供するためのコンピューティング機器のための方法の態様を例示するプロセス流れ図である。
【図１０Ａ】照明インフラストラクチャアプリケーションフレームワーク内で使用するためのソフトウェア/ファームウェア/スクリプトを送信するためのコンピューティング機器のための方法の態様を例示するプロセス流れ図である。
【図１０Ｂ】照明インフラストラクチャアプリケーションフレームワーク内で使用するためのソフトウェア/ファームウェア/スクリプトを送信するためのコンピューティング機器のための方法の態様を例示するプロセス流れ図である。
【図１１】照明インフラストラクチャアプリケーションフレームワーク内の照明ノードプラットフォームから受信したデータを処理するためのコンピューティング機器のための方法の態様を例示するプロセス流れ図である。
【図１２Ａ】照明インフラストラクチャアプリケーションフレームワーク内の照明ノードプラットフォームと関連付けられるデータの処理の応用の態様を例示する図である。
【図１２Ｂ】照明インフラストラクチャアプリケーションフレームワーク内の照明ノードプラットフォームと関連付けられるデータの処理の応用の態様を例示する図である。
【図１３】照明インフラストラクチャアプリケーションフレームワーク内の照明ノードプラットフォームと関連付けられるデータの処理の応用の態様を例示する図である。
【図１４】様々な態様における使用に適するコンピューティングシステムの構成要素ブロック図である。
【発明を実施するための形態】
【００１３】
詳細な説明
添付の図面を参照して様々な態様を詳細に説明する。可能な限り、図面全体を通じて同じ、または類似の部分を指すのに同じ符番を使用する。特定の例および実装に言及するのは例示のためであり、本発明または特許請求の範囲を限定するためではない。
【００１４】
「例示的（exemplary）」という語は、本明細書では、「代表例、具体例、または例証としての役割を果たすこと」を意味するのに使用される。本明細書で「例示的」と記述する実装は、必ずしも他の実装に優って好ましい、または好適であると解釈すべきものではない。
【００１５】
「コンピューティングシステム（computing system）」または［コンピューティング機器（computing device）」という用語は、本明細書では、サーバ、モバイルコンピューティング機器、デスクトップコンピュータ、サーバブレード、ラップトップコンピュータ、パーソナルコンピュータ、および、少なくとも一つのプロセッサと、広域ネットワーク（WAN）またはローカルエリアネットワーク（LAN）接続（例えば、LTE、3Gもしくは4G無線広域ネットワーク送受信機、インターネットへの有線接続、WiFi、Bluetoothなど）を確立するように構成されたネットワーク送受信機とを装備した類似の電子機器、のうちのいずれか一つまたは全部を指すのに使用される。
【００１６】
様々な態様は、センサを照明機器と組み合わせて利用することにより照明空間を超えた機能性を可能にするためのシステムのための方法および方法を提供する。本明細書で記述する様々なフレームワークの態様では、照明インフラストラクチャが業務アプリケーションおよび消費者アプリケーションのためのプラットフォームとして利用されうる。フレームワークの主要構成要素は、データ収集、分析、動作呼び出し、ならびにアプリケーションおよび/または様々なユーザとの通信を可能にするセキュアな分散フレームワークにおけるハードウェア、ソフトウェア、およびネットワークリソースを含みうる。
【００１７】
街路または他の照明システムで配備するためのネットワーク化アプリケーションフレームワーク内で統合されるセンサ情報へのアクセスを提供するためのシステムおよび方法が開示される。そうしたシステムおよび方法は、照明システムと統合されたネットワーク化機器を収益化するための様々な収益モデルの一部としてそうしたネットワークからのセンサ情報へのアクセスを提供するための様々なモデルを含みうる。そうしたシステムのアーキテクチャは、すでに設置されている、または初期設置時における照明インフラストラクチャ内でのネットワーク化システムの配備を可能にする。システムは屋外の街路照明で配備されうるが、屋内、例えば工場やオフィスビルでも配備されうる。また、いくつかの態様では、システムが屋外で配置される場合、システムは、街灯電球を、白熱照明から発光ダイオード（LED）を用いた照明といったより効率のよい照明に交換するときに設置されてもよい。そうした白熱電球の交換コストは、主として、人件費と、各街灯の各電球に到達するのに特殊な装置を使用する必要とが原因で高つく。そのときに本明細書で記述するネットワークを設置することにより、増分コストは、単に既存の白熱電球をLED電球と交換するだけの場合と比べて、最小限に抑えられる。
【００１８】
システムは多数の異なる用途を可能にするため、配備されるセンサシステムを照明インフラストラクチャアプリケーションフレームワーク（LIAF: Lighting Infrastructure Application Framework）と呼び、システムがセンサを含む場合にはこれを光センサネットワーク（LSN: Light Sensory Network）とも呼ぶ。システムは照明インフラストラクチャを、行政、自治体、企業、および消費者の各アプリケーションのためのプラットフォームとして使用する。フレームワークの主要構成要素は、データ収集、分析、動作呼び出し、ならびにアプリケーションおよびユーザとの通信を可能にするハードウェア、ソフトウェア、およびネットワークリソースである。本明細書ではシステムを街路照明のコンテキストで記述するが、システムが他の環境に対しても、例えば屋内のオフィスや工場環境でも適用性を有することが以下の説明から明らかになるであろう。
【００１９】
そうしたLIAFを介してアクセス可能な個別機器のネットワークがますます大規模になるに従って、システムおよびそうしたシステムを介して利用可能なデータを管理する際のコストおよび複雑さも増加する。したがって、改善されたリソース使用法および情報へのアクセスを提供するようにそうしたシステムへのアクセスを管理するためのシステムおよび方法が求められうる。さらに、LIAF内のセンサおよび他の機器の配置に利用可能なサイト数を管理し、改善するためのシステム管理も必要とされうる。例えばユーザは、LIAFからの情報を用いて動作するアプリケーションに料金を提供しうる。アプリケーションは、LIAFからの情報へのアクセスと引き換えにその収益の一部分を提供しうる。異なるレベルの料金が情報のタイプおよび量と関連付けられうる。LIAFの事業者は、さらには、アプリケーションからの収入の一部分を、所有物所有者の所有物上の照明システム内で所有物に対して作用する機器からの情報の使用について所有物所有者に支払うのに使用しうる。そうした所有物を「照明インフラストラクチャ」と呼ぶことができ、そうした所有物所有者も、「照明インフラストラクチャ所有者」と呼ぶことができる。
【００２０】
一態様では、システムは、既存の街灯を用いた照明システムのネットワークを提供する。各街灯は、ネットワークにおける照明ノードプラットフォームになり（または照明ノードプラットフォームを備え）、各照明ノードプラットフォームは、電力を受け取るための電源と、電源に結合された照明ソケットまたは光源と、電源に結合されたプロセッサと、プロセッサと照明ノードプラットフォームのネットワークとの間に結合されたネットワークインターフェースと、照明ノードプラットフォームでの条件を検出するためにプロセッサに結合された一つまたは複数のセンサとを含む。これは、組み合わさって、各照明ノードプラットフォームが、各照明ノードプラットフォームでの条件に関して、他の照明ノードプラットフォームと中心的な場所とに情報を伝えることを可能にする。各照明は、異なる照明インフラストラクチャ所有者および異なる機器セットと関連付けられていてよく、照明インフラストラクチャ所有者に提供される料金は、照明システム内の各機器の位置と、各照明ノードプラットフォームからの情報のタイプ、量および質とに基づいて異なりうる。
【００２１】
そうしたシステムの特有の利点は、ネットワーク化ハードウェアおよびネットワーク化ハードウェアを利用しうるセンサが、照明システム内の照明に電力供給するのと同じ電源から電力供給を受けられることである。以前に白熱電球に使用された入力電力が、終端点において、LED光源と一つもしくは複数のセンサまたは電子機器の両方に電力供給するドライバと共に使用されうる。よって、WiFiアクセスポイント、様々なセンサ（例えば、セキュリティカメラ、気象センサ、動き検出器など）、距離計、および他のそうした機器と連携したこれらの任意の組み合わせが照明において電力供給されうる。よって、そうしたセンサおよびLED光源に電力供給するように適合されたモジュラードライバが、照明システムにおいてネットワークによって使用されうる任意の数の機器に柔軟に電力供給することできるように、様々な態様に含まれうる。
【００２２】
一態様では、システムは、照明ノードプラットフォームのところのセンサから、データが第三者アプリケーションへ配信され、場合によってはアプリケーションソフトウェアが実行されるサービスプラットフォームへと情報を提供するために、各照明ノードプラットフォームのネットワークインターフェースに結合されたゲートウェイを使用する。このソフトウェアは、照明ノードプラットフォームのところのセンサによって検出された条件に関連した所望の動作を実行する。加えてゲートウェイは、サービスプラットフォームから情報を受信し、その情報を照明ノードプラットフォームのところのネットワークインターフェースへ提供しうる。その情報は、照明の保守、照明の制御、または、その多くが照明とは無関係である多数の他のアプリケーションを円滑化するのに使用されてよく、それらのアプリケーションのうちのいくつかを本明細書で記述する。照明ノードプラットフォームのところのセンサは、光源を制御すると共に、照明ノードプラットフォームに結合された装置へ制御信号を提供する（例えば、駐車区域をロックまたはロック解除する、屋内駐車場の換気扇の電源を入れるなど）ためのコントローラ（例えばハードウェアコントローラおよび/またはソフトウェアコントローラ）と共に使用されうる。複数のゲートウェイが、単一のアプリケーションを目的として照明システムの複数の領域を相互に結合するのに使用されうる。典型的には、各照明ノードプラットフォームは、街灯の交流電力をプロセッサ、センサなどが使用する直流に変換するための交流直流変換器を含むことになる。ゲートウェイは、セルラ、WiFi、またはサービスプラットフォームへの他の手段を介して相互に通信しうる。センサは、典型的には、例えば、オーディオ、ビデオ、動き、光、気象、または他の条件を検出する機器である。照明インフラストラクチャ所有者へのそうしたアップグレードおよび/またはネットワーク化サービスの提供と関連付けられるコストは、照明インフラストラクチャ所有者の照明ノードプラットフォームからの情報を使用するアプリケーションへLIAFの一部として提供される情報から受け取られる料金によって相殺されうる。
【００２３】
別の態様では、システムは、光源を備える器具を有する既存の照明システムを用いることにより情報を収集するためのセンサのネットワークを提供しうる。方法は、各器具のところの光源を、既存の照明器具の電源に接続された電源入力端子、交換光源、プロセッサ、プロセッサに結合されたネットワークインターフェース、およびプロセッサに結合されたセンサを含むモジュールと交換する工程を含む。センサは、照明ノードプラットフォームのところの条件を検出し、その条件に関する情報をプロセッサへ提供する。各器具のところの各モジュールのネットワークインターフェースは、通信ネットワークを用いて相互に結合される。通信ネットワークを用いて、情報がセンサから収集され、その情報がネットワーク上でコンピューティング機器へ提供される。
【００２４】
別の態様では、器具の各々のところの各モジュールが、コントローラと、コントローラに結合された装置とを含み、コントローラは装置に動作を実行させるのに使用される。前述のように、コンピューティング機器から通信ネットワーク上で各モジュールへ、よってコントローラへ信号を送信することにより、照明システムの装置に動作を実行させることができる。様々な態様において、そうしたコントローラはソフトウェアおよび/またはハードウェアとしうる。
【００２５】
これら追加の態様の各々において、様々な方法およびシステムが、LIAFにおける特定の照明ノードプラットフォームのところで利用可能なセンサおよび他の機器と関連付けられるコストおよび収益を、アプリケーションへのセンサおよび装置のアクセスを提供する際の処理およびエネルギー消費が、一部は照明ノードプラットフォームにおいてローカルで行われるか、それともLIAFの提供者によって運営されるサーバコンピュータにおいてリモートで行われるかに一部基づいて、求めるのに使用されうる。よって、代替のシステムでは、LIAF内の機器へのアクセスおよび統合を改善するために、異なる収益モデルが使用されうる。
【００２６】
本明細書に記載する態様は、照明インフラストラクチャアプリケーションフレームワークまたはネットワーク（本明細書では「LIAF」ともいう）における機器のネットワークに関するものである。特に、そうしたネットワークと関連付けられる収益アプリケーションならびにアクセス制御および収益ストリームの動作が記述される。本明細書で記述するLIAFは、照明ノードプラットフォーム、ゲートウェイ、およびサービスプラットフォームに基づくものであり、LIAFからの情報へのアクセスを提供するための様々な代替の態様を有する。ある態様では、照明ノードプラットフォームアーキテクチャは、照明インフラストラクチャ内の様々な位置で（例えば個々の街路照明器具で）配備される照明ノードプラットフォームからなる。照明ノードプラットフォームのうちの少なくともいくつかは、データを収集し、他の照明ノードプラットフォームへ、場合によってはアーキテクチャ内の上位レベルへ報告するセンサを含む。その場合、LIAF内のセンサおよびコントローラのためのセンサデータまたはコントローラアクセスが、様々なアプリケーションへ提供されうる。アプリケーションは、アプリケーションがLIAFからのデータにアクセスすることを可能にするためにLIAFに登録を行いうる。そうしたアプリケーションの事業者は、例えば、LIAFから利用可能な情報の一部または全部へのアクセスについて料金を支払いうる。別の態様では、個別アプリケーションユーザがLIAF情報へのアクセスについて支払い、または個別ユーザがLIAFからのデータの受信と引き換えに広告を有効にすることに同意しうる。
【００２７】
よって、本明細書で記述するように、システムユーザおよびアプリケーション提供者は、照明ノードプラットフォームの場所を賃貸することと関連付けられる費用またはLIAFと関連付けられる他のそうしたコストと共に、LIAFの運営を支援し、その運営に資金提供しうる。図1Aに、照明インフラストラクチャアプリケーションフレームワークシステム100（またはLIAFシステム100）の態様の全体アーキテクチャの一部分を例示する。システム100は光センサネットワーク（LSN）とも呼びうる。街灯などの照明柱102は、光源自体に加えて照明ノードプラットフォーム104（または照明ノードプラットフォーム機器）も含みうる。照明ノードプラットフォーム104は、所望の特定の用途に応じて照明柱102の所有者によって選択される様々なタイプのセンサ116を含みうる。ある態様は、例えば、周囲光または昼光センサ117を含みうる。代替の態様は、特定の駐車スペース内の車といったように空間が物体で埋められたときにそれを識別しうる占有センサ118を含みうる。様々な態様において、センサ116は任意の組み合わせのセンサを含んでいてよく、それらのセンサは例えば、占有センサ118、エネルギー使用量センサ、光センサ（例えば、昼光センサ117、周囲光センサ、光度センサなど）、環境センサ（例えば、温度センサ、風センサ、湿度センサ、気象センサ、汚染センサ、微粒子センサ、気圧センサなど）、セキュリティセンサ（例えば、動き検出センサ、ガラス破損センサ、ビデオ/オーディオセンサなど）、オーディオ/マイクロフォンセンサ、カメラ（例えばビデオカメラなど）、ガス検知センサ（例えば、二酸化炭素センサ、一酸化炭素センサ、メタンセンサ、天然ガスセンサ、酸素センサ、プロパンセンサ、ブタンセンサ、アンモニアセンサ、硫化水素センサなど）、侵入検知器、動きセンサ、振動センサ、人検知センサ、車両検知センサ、安全センサ（例えば、放射線センサ、他の有毒ガスセンサなど）、バイオハザードセンサ、スキャンセンサ（例えば、アクティブ、パッシブ、およびハイブリッドRFID）、位置センサ（例えばGPS）、バイオメトリックセンサ（例えば人の存在）、力学的センサ（例えば、力/ひずみ、加速度計など）、信号検出器（例えば、無線周波数検出器、WiFi検出器、Bluetooth検出器など）、産業特有のセンサ（例えば、交通、駐車、医療、法執行、地震センサ、発砲センサなど）である。また照明ノードプラットフォーム104は、センサ116に応答して機能を果たすための、または他のソースから受信した制御信号に応答して機能を果たすためのコントローラ120も含みうる。様々な態様で使用されうる3つの可能なコントローラが、灌漑システムを制御するための灌漑制御121、近くのゲートを開閉するためのゲート制御122、および照明柱102の照明を制御するための照明コントローラ123である。照明コントローラ123は、照明柱102の光源を制御するのに使用されてよく、例えば、光源を異なる時間帯に点灯もしくは消灯し、光源を調光し、光源を点滅させ、保守が必要かどうか判定するために光源自体の条件を感知し、または他の機能を提供する。様々な態様において、コントローラ120は、ハードウェアおよび/またはソフトウェアとしうる。例えば、換気扇を制御するためのコントローラがソフトウェアであってもよい。
【００２８】
これらの、または類似したハードウェアコントローラおよび/またはソフトウェアコントローラ120が可能にする制御機能の他の例には、配電の管理、電力供給の測定およびモニタリング、ならびに需要/応答管理が含まれうる。様々な態様において、ソフトウェアコントローラは、ノードプラットフォーム104、後述するノードアプリケーションコントローラ、または専用のコントローラプラットフォーム上で実行されうる。コントローラ120は、センサを作動し、作動解除し、センサ出力を測定し、モニタしうる。加えてコントローラ120は、ソフトウェアダウンロードおよびセキュリティ管理のためのゲートウェイ動作といった通信機能の管理、ならびにビデオおよびオーディオ処理、例えばイベントの検出やモニタリングの管理も提供しうる。一態様では、照明ノードプラットフォーム104およびコントローラ120は、検出されたセンサデータに基づいてコントローラ動作を呼び出すことのできる標準的なコントローラ動作呼び出しインターフェース156を利用しうる。
【００２９】
一態様では、ネットワーク化照明システムのアーキテクチャは、照明ノードプラットフォーム104におけるセンサ116の「プラグ-アンド-プレイ」配備を可能にしうる。照明インフラストラクチャアプリケーションフレームワーク（LIAF）は、センサのプラグ-アンド-プレイアーキテクチャの実装を可能にするハードウェアおよびソフトウェアを提供しうる。新しいセンサが配備される場合、ソフトウェアおよびハードウェアがセンサを管理しうるが、LIAFは、センサと関連付けられる一般的な機能のサポートを提供することができ、それによって、センサのためのカスタムハードウェアおよびカスタムソフトウェアをサポートする必要がなくなる。センサは電力、典型的には電池または配線による低電圧直流を必要とし、ある態様では、センサは出力としてアナログ信号またはディジタル信号を生成しうる。
【００３０】
LIAFは、追加のハードウェア構成要素およびソフトウェア構成要素なしで照明ノードプラットフォーム104でのセンサ116の配備を可能にしうる。LIAFは、必要に応じてセンサ116へ直流電力150を提供しうる。またLIAFは、照明ノードプラットフォーム104における他のすべての活動と共に、センサ116と関連付けられたアナログまたはディジタルインターフェース152をモニタすることもできる。
【００３１】
個々の照明柱102（例えば、街灯、照明器具など）のところの照明ノードプラットフォーム104は、まとめてゲートウェイプラットフォーム106に結合されうる。ゲートウェイプラットフォーム106は、さらに後述する技術を用いて照明ノードプラットフォーム104と通信するが、無線接続または有線接続を含むことができる。一態様では、ゲートウェイプラットフォーム106と照明ノードプラットフォーム104は、イーサネットによって、有線または無線で通信しうる。一態様では、ゲートウェイプラットフォーム106と照明ノードプラットフォーム104は、標準的な管理インターフェース（例えば、センサを作動し、作動解除し、初期設定するインターフェース）および/または標準的な動作インターフェース（例えば、アナログまたはディジタルセンサのデータを取得し、イベントタイプに変換するためのインターフェース）といったインターフェース154を利用しうる。ゲートウェイプラットフォーム106は、ある態様では、広帯域ネットワーク、セルラネットワーク、WiFi、汎用パケット無線サービス（GPRS: general packet radio service）、または他の手段（例えば、セルタワー、WiFiルータ、アクセスポイント、イーサネットスイッチ、IPルータなど）といった広域ネットワーク通信技術108を用いてネットワーク112と通信しうる。当然ながら、ゲートウェイプラットフォーム106は独立型実装でなくてもよい。一態様では、ゲートウェイプラットフォーム106は、照明ノードプラットフォーム104で配備されていてもよく、あるいは任意選択としてもよい。例えば一態様では、照明ノードプラットフォーム104は、ゲートウェイプラットフォーム106の動作/機能を実行しうる。ゲートウェイプラットフォーム106は、照明ノードプラットフォーム104によって提供される機能に加えて、広域ネットワーク（WAN）機能を提供し、複雑なデータ処理機能を提供しうる。
【００３２】
ゲートウェイプラットフォーム106は、照明ノードプラットフォーム104が様々なアプリケーション114へデータを提供し、またはアプリケーション114から命令を受信することを可能にするサービスプラットフォーム110にアクセスしうる。サービスプラットフォーム110は、様々なアプリケーションまたはサービスを可能にするためにクラウドにおいて実装されうる。サービスプラットフォーム110は、システム100のための様々なアプリケーション114と関連付けられうる。一態様では、サービスプラットフォーム110は、アプリケーションがセンサによって生成されたデータおよび/またはセンサ/センサデータのために定義されたイベントにアクセスするためのインターフェースといった様々なアプリケーションインターフェースを利用しうる。アプリケーション114は、所有者、提携先、消費者、または他の実体によって、照明インフラストラクチャの所望の機能または他の業務上/商用のニーズを可能にするために提供されうる。一つの可能なアプリケーションは、例えば、照明ノードプラットフォーム104での現在の気象条件に関する報告を提供しうる。アプリケーション114は通常、照明インフラストラクチャ所有者以外によって開発され、照明インフラストラクチャ所有者に使用許諾され（あるいは無料で提供され）うるが、アプリケーション114を照明インフラストラクチャ所有者が提供することもでき、それ以外に様々な照明ノードプラットフォーム104上で使用するために提供することもできる。一態様では、アプリケーション114および/またはアプリケーション114と関連付けられるデータは、ネットワーク112上で様々な管理インターフェースおよび動作インターフェース158を介して交換されうる。様々な態様において、アプリケーション114は、ユーザ機器130（例えば、モバイル機器、ラップトップ、第三者開発者サーバなど）内に含まれうるか、またはユーザ機器130によってアクセスされうる。別の態様では、アプリケーション114はサービスプラットフォーム112内に含まれうる（例えば、サービスプラットフォームコンピュータによってホストされ/実行され/記憶されるなど）。
【００３３】
典型的な照明関連のアプリケーションは、照明制御、照明保守、およびエネルギー管理を含みうる。例えば、照明制御アプリケーションは、ユーザが照明柱102上の照明ノードプラットフォーム104のところの光出力を制御することを可能にしうる。また、提携先アプリケーション、すなわち、特別に許可されたデータまたは機密データにアクセスすることができ、照明インフラストラクチャ所有者により特別な権限が付与されるアプリケーションもあってよい。そうしたアプリケーションは、いくつか例を挙げると、セキュリティ管理、駐車場管理、交通情報報告、環境報告、資産管理、ロジスティクス管理、および小売データ管理を提供しうる。また、消費者が汎用データにアクセスすることを可能にしうる消費者アプリケーションもあってよく、このデータへのアクセス権は、例えば照明インフラストラクチャ所有者によって付与される。一態様では、消費者アプリケーションは、サービスプラットフォーム110または他のコンピューティング機器によって管理され、かつ/または配信を許可される匿名データを利用するように構成されうる。別のタイプのアプリケーションは所有者提供のアプリケーションを含んでいてよく、所有者提供のアプリケーションは、（例えば、ある領域内の、または街路に沿った交通の流れを制御するための）照明インフラストラクチャ所有者によって開発され、使用されるアプリケーションであってよい。当然ながら、フレームワークからのカスタマイズデータを使用するアプリケーションもあってよい。
【００３４】
様々な態様において、図1Aに例示されるシステムに関与する主要な実体は、照明インフラストラクチャ所有者（例えば屋内駐車場所有者）、アプリケーションフレームワーク提供者（例えばLIAFの事業者）、アプリケーションまたはアプリケーションサービス所有者（例えば第三者サービスまたは開発者）、およびエンドユーザ（例えば車を持つ一般市民など）を含みうる。典型的な照明インフラストラクチャ所有者には、自治体、ビル所有者、テナント、施設保守会社、および/または他の実体が含まれうる。例えば、照明インフラストラクチャ所有者は、照明インフラストラクチャ（例えば屋内駐車場）を保守し、テナントに照明インフラストラクチャの使用料を請求し、あるいは、照明インフラストラクチャの使用について他の当事者に料金を支払う（例えば、テナントが屋内駐車場を維持するために所有者/第三者に支払うなど）実体としうる。
【００３５】
図1Bに、ネットワーク化を強調したよりハイレベルのLIAFシステム160のアーキテクチャを例示する。照明ノードプラットフォーム104を有する各照明柱102グループは相互通信およびゲートウェイプラットフォーム106への通信を行いうる。ゲートウェイプラットフォーム106は、さらには、通信媒体または通信技術108（例えば、「GSM」（global system for mobile communications）、GPRS、WiFi、および他のWAN接続）によってネットワーク112と通信しうる。例示するような典型的な実装では、照明ノードプラットフォーム104の複数のセット、複数のゲートウェイプラットフォーム106、および複数の通信媒体108があり、それらすべてが共にネットワーク112を介して利用可能なサービスプラットフォーム110へ結合されていてよい。このように、複数のアプリケーションが、LIAFシステム160においてゲートウェイプラットフォーム106を介して個々の照明ノードプラットフォーム104へ幅広い機能を提供しうる。
【００３６】
図1Bには、照明ノードプラットフォームのアレイのためのネットワーク化アーキテクチャも例示されている。図面の左側セクションでは、例示のために照明ノードプラットフォームのアレイ161が丸で囲まれている。アレイ161内の照明ノードプラットフォーム104間の実線は、選択された照明ノードプラットフォーム104を接続して、ローカルエリアネットワーク（LAN）通信媒体162として示されている高ローカル帯域幅トラフィックを可能にするデータプレーンを表す。これらの接続（またはLANネットワーク）は、例えば、これらの照明ノードプラットフォーム間でのローカルビデオまたはログデータの交換を可能にしうる（例えば、データが、同じアレイ161の照明ノードプラットフォーム104間で交換されうる）。LAN通信媒体162は、すべての照明ノードプラットフォーム104を相互に接続する制御プレーンを使用可能にし、イベント、使用量、ノード状況に関する情報を交換し、ゲートウェイからの制御コマンドおよびゲートウェイプラットフォーム106への応答の実行を可能にする、ローカルおよびリモートのトラフィックの搬送を提供しうる。一態様では、LAN通信媒体162は、WiFi、4G/LTEまたは他のデータ通信技術を利用しうる。例えば、照明ノードプラットフォーム104は、性能、センサ、使用量、および/またはアプリケーションデータを発行するためのDASH7センサおよび/またはリーダを含みうる。他の態様は、WiFi、ZigBeeおよび他の802.15ベースのプロトコルを含みうる。
【００３７】
図2に、LIAFシステム200の態様内の構成要素を例示する。一態様では、様々な構成要素が照明インフラストラクチャ201（例えば屋内駐車場など）と関連付けられうる。ルーメン層構成要素202は、照明器具/ヒートシンク、照明機器（例えば、OLEDまたはLED、LEDボード、白熱灯、蛍光灯など）を差し込み、または回してはめるためのソケット、電力インターフェース（例えば直流インターフェース）、熱フィードバックモジュール、コントローラへの調光インターフェース、および様々な関連したドライバ/ソフトウェア/命令を含みうる。一態様では、ルーメン層構成要素202は、システム200内の他の機器と交換されるデータを処理するためのルーメン管理層（不図示）を含みうる。センサ層構成要素204は様々なセンサを含んでいてよく、それらのセンサは例えば、占有センサ、エネルギー使用量センサ、動き検出器、光センサ（例えば、昼光センサ、周囲光センサ、光度センサなど）、環境センサ（例えば、温度センサ、風センサ、湿度センサ、気象センサ、汚染センサ、微粒子センサ、気圧センサなど）、セキュリティセンサ（例えば、動き検出センサ、ガラス破損センサ、ビデオ/オーディオセンサなど）、オーディオ/マイクロフォンセンサ、カメラ（例えばビデオカメラなど）、ガス検知センサ（例えば、二酸化炭素センサ、一酸化炭素センサ、メタンセンサ、天然ガスセンサ、酸素センサ、プロパンセンサ、ブタンセンサ、アンモニアセンサ、硫化水素センサなど）、侵入検知器、振動センサ、人検知センサ、車両検知センサ、安全センサ（例えば、放射線センサ、他の有毒ガスセンサなど）、バイオハザードセンサ、スキャンセンサ（例えば、アクティブ、パッシブ、およびハイブリッドRFID）、位置センサ（例えばGPS）、バイオメトリックセンサ（例えば人の存在）、力学的センサ（例えば、力/ひずみ、加速度計など）、信号検出器（例えば、無線周波数検出器、WiFi検出器、Bluetooth検出器など）、産業特有のセンサ（例えば、交通、駐車、医療、法執行、地震センサ、発砲センサなど）である。一態様では、センサ層構成要素204は、システム200内の他の機器と交換されるデータを処理するためのセンサ管理層（不図示）を含みうる。電源層構成要素206は、交流直流アダプタ（電力使用量、電圧、電流電力などを指し示すアダプタなど）、および降圧変圧器を含みうる。一態様では、電源層構成要素206は、システム200内の他の機器と交換されるデータを処理するための電力管理層（不図示）を含みうる。イメージング層構成要素208が含まれていてよく、イメージング層構成要素208は、静止画、動画、赤外画像といった様々な画像タイプ、様々な画像品質（例えば、低解像度、中解像度、高解像度など）を記憶し、分析し、それ以外に処理すると共に、画像認識および画像通信頻度の実現および/または調整のための動作を実行するように構成される。追加の層、例えば、照明ノードプラットフォーム機器と関連付けられたオーディオセンサからのデータを処理するためのオーディオ層（不図示）も含まれうる。
【００３８】
一態様では、コアデータ管理プラットフォーム構成要素210は、アナログ/ディジタル入力および出力、直流配電および測定ユニット、マイクロコントローラ/プロセッサ、バス、ポート、ピン、（例えば、LAN、他のプラットフォーム構成要素などのための）インターフェースといったハードウェア要素を含みうる。またコアデータ管理プラットフォーム構成要素210は、センサデータ入力/出力、様々なチャネル上の直流電力測定、照明ノードプラットフォームとゲートウェイプラットフォーム機器（または後述するサイトコントローラ）との間の低帯域幅通信（例えば無線周波数信号）、ならびにセンサデータおよび/またはアプリケーションコマンドに基づくLED調光を扱うための命令、コマンド、スクリプト、ルーチンといったソフトウェア要素も含みうる。一態様では、高度化データ管理プラットフォーム構成要素212は、マイクロプロセッサ（例えば、ハイエンド オープン マルチメディア アプリケーション プラットフォーム（Open Multimedia Applications Platform）または「OMAP」）、バス、ポート、ピン、（例えば、高帯域幅LAN、高帯域幅WAN/WIFIなど、他のプラットフォーム構成要素のための）インターフェースといったハードウェア要素を含みうる。また高度化データ管理プラットフォーム構成要素212は、ビデオ処理/インターフェースおよび高帯域幅通信（例えば、照明ノードプラットフォーム間、ゲートウェイプラットフォーム機器間の通信など）を扱うためのソフトウェア要素も含みうる。
【００３９】
様々な態様において、構成要素202〜212は、照明ノードプラットフォーム、ゲートウェイプラットフォーム、サイトコントローラコンピューティング機器、または照明インフラストラクチャ201と関連付けられた機器の任意の組み合わせの中に含まれうるか、またはこれらによって実行されうる。
【００４０】
システム200は、アプリケーションインフラストラクチャクラウド230をさらに含みうる。そうした構成要素は、サービスプラットフォームを参照して後述するようなサービスプラットフォームを使用可能にするための様々なコンピューティング機器、ルーチン、モジュール、論理、およびネットワーク化要素を含みうる。例えば、アプリケーションインフラストラクチャクラウドは、照明、電力、センサ、およびビデオに関連したデータ収集を実行すると共に、照明ノードプラットフォームに関する管理動作も実行するように構成されうる。
【００４１】
図3に、照明ノードプラットフォーム104（または照明ノードプラットフォーム機器）の態様の図示300を例示する。照明ノードプラットフォーム104は、典型的には交流/直流変換器として実装される電源302（または電源端子ブロック）を含みうる。照明ノードプラットフォームが屋外の街灯において配備される一態様では、交流電力をそうした街灯への主電源としうる。センサおよびコントローラ構造の大部分は半導体ベースの構成要素を使用しうるため、電源302は、利用可能な交流電力を、様々な照明ノードプラットフォーム構成要素を駆動するのに適した直流電力へ変換しうる。一態様では、電源302は、電源入力端子303を含み、かつ/または電源入力端子303に結合されうる。一態様では、電線304が、例えば電源入力端子303に接続することによって、電源302に接続されうる。
【００４２】
やはり図3に示すように、センサ116およびコントローラ120のアレイは電源302に接続されうる。様々な態様において、コントローラ120は、ソフトウェアおよび/またはハードウェアとしうる。アプリケーションを実行しているノードアプリケーションコントローラ306（またはプロセッサ）は、所望のローカル機能を実行するようにセンサ116およびコントローラ120の動作を協調させうる。またノードアプリケーションコントローラ306は、ローカルネットワークインターフェース314といった適切な媒体を介した他の照明ノードプラットフォームへの通信も提供しうる。またノードアプリケーションコントローラ306によって実行されるアプリケーションは、コントローラ120のうちの一つの制御下で動作する、適切な照明ソケット312（すなわち、光源、電球などのためのソケット）に結合された、LEDドライバ308（またはLEDドライバ回路）も駆動しうる。様々な構成要素間の有線接続または無線接続が、様々な代替の態様において必要に応じて提供されうる。様々な態様において、ノードアプリケーションコントローラ306は、メモリ307（例えばRAM）に結合されうるか、またはメモリ307を含みうる。
【００４３】
図示の照明ノードプラットフォーム104の照明インフラストラクチャは、照明器具の照明ソケット312（すなわち、照明器具光源のためのソケット）、発光ダイオード（LED）ドライバ308、ノードアプリケーションコントローラ306、ローカルネットワークインターフェース314、および電源302を含む照明ノードプラットフォームである照明ノードプラットフォーム104の一態様を例示している。ある態様では、ノードアプリケーションコントローラ306は、コントローラ120および/またはセンサ116に結合されうる。照明ノードプラットフォーム104と関連付けられたセンサ116は、照明ノードプラットフォームにとってローカルとすることもでき、リモートとすることもできる。LEDコントローラ以外のコントローラ120は、ハードウェアベースおよび/またはソフトウェアベースのものとすることができ、リモートにあって、無線通信を使用してよい。ノードアプリケーションコントローラ306は、照明ノードプラットフォーム104内のすべての機能を管理しうる。またノードアプリケーションコントローラ306は、アプリケーションと関連付けられる管理、データ収集、および動作の命令を実行しうる。これらの命令は、アプリケーションスクリプトとしてノードアプリケーションコントローラ306へ配信されうる。加えて、ノードアプリケーションコントローラ306上のソフトウェアは、作動、管理、セキュリティ（認証およびアクセス制御）ならびに通信の各機能も提供しうる。
【００４４】
ローカルネットワークインターフェース314は、一つまたは複数の照明ノードプラットフォーム104と、照明ノードプラットフォームがLIAFネットワークの残りの部分と通信することを可能にするゲートウェイプラットフォームとを含むローカルエリアネットワークの一部であるゲートウェイプラットフォーム機器と照明ノードプラットフォーム104が通信することを可能にしうる。
【００４５】
図4に、ゲートウェイプラットフォーム106（またはゲートウェイプラットフォーム機器）の図示400を例示する。図で示唆するように、また前述したように、一態様では、ゲートウェイプラットフォーム106は、照明ノードプラットフォームのところに位置していても、照明ノードプラットフォームとは別個に位置していてもよい。言い換えると、ゲートウェイプラットフォーム106は、少なくとも、照明ノードプラットフォームのリソースを含み、またはそれ以外の方法で利用するように構成されうる。したがって、ゲートウェイプラットフォーム106は、センサ116およびコントローラ120はもとより、電源302、メモリ307を有するノードアプリケーションコントローラ306、ローカルエリアネットワーク（またはLAN）を介した通信のためのローカルネットワークインターフェース314、LEDドライバ308および照明ソケット312を組み込みうる。ゲートウェイプラットフォーム106はさらに、WAN通信媒体またはWANネットワークインターフェースを介したサービスプラットフォームとの通信を可能にしうる広域ネットワーク（WAN）コントローラ404も含みうる。例えば、ゲートウェイプラットフォームは、WANコントローラ404を介してネットワーク112とメッセージを交換しうる。一態様では、電線304は、電源302に結合されうるか、または電源302内に含まれる電源入力端子303に接続されうる。
【００４６】
ゲートウェイプラットフォーム106のハードウェア構成要素およびソフトウェア構成要素は、高ビデオレートを受信/送信するときの処理といった、データプロセッサ402を用いた高帯域幅データ処理を可能にしうる。またこれらの構成要素は、前述のような照明ノードプラットフォームによってサポートされる機能に加えて、WANコントローラ404を介したWAN通信も可能にしうる。ゲートウェイプラットフォーム106は、追加機能を有する照明ノードプラットフォームとみなすことができる。データプロセッサ402による高帯域幅データ処理は、イベント（例えば、ガラス破損、群集形成、発砲など）を検出し、記録し、報告するビデオおよびオーディオデータ処理機能をサポートしうる。WANコントローラ404によるWAN機能サポートは、インターネットへのGSM、GPRS、WiFi、LAN、または他の広域ネットワーク技術に基づくものとしうる。一態様では、ゲートウェイプラットフォーム106は、ゲートウェイプラットフォーム106と関連付けられた照明ノードプラットフォームおよび/またはサービスプラットフォームからのデータへのユーザアクセスを提供しうるディスプレイおよび/または入力機器といったユーザインターフェース410も含みうる。様々な態様において、ゲートウェイプラットフォーム106がユーザインターフェース410と共に構成されているとき、ゲートウェイプラットフォーム106を、図12Aや図13に示すように、「サイトコントローラ」と呼ぶことができる。言い換えると、「サイトコントローラ」機器は、ゲートウェイプラットフォーム106機器の一種としうる。
【００４７】
図5Aに、サービスプラットフォーム110（またはサービスプラットフォーム機器）の態様の図示500を例示する。サービスプラットフォーム110は、様々なモジュールを実装し、（図5Aに「ICCM」として表す）インフラストラクチャコスト管理モジュール516、（図5Aに「ARMM」として表す）アプリケーション収益管理モジュール514、（図5Aに「CCM」として表す）炭素クレジットモジュール513といったモジュールによってデータを分析するためのプロセッサ508およびメモリ510を含みうる。サービスプラットフォーム110は、WANネットワークインターフェースといったネットワークインターフェース505を利用しうる。サービスプラットフォーム110は、アプリケーションゲートウェイ構成要素504およびカスタムノードアプリケーションビルダ構成要素506をサポートしうる。アプリケーションゲートウェイ構成要素504は、照明ノードプラットフォームからのセンサデータを使用するために実装される異なるタイプの第三者アプリケーションへのインターフェースを管理するように構成されうる。カスタムノードアプリケーションビルダ構成要素506は、カスタムノードアプリケーションスクリプトの開発を可能にしうる。これらのスクリプトは、図3のノードアプリケーションコントローラ306といったノードアプリケーションコントローラに対して、照明ノードプラットフォームレベルで実行されるべきデータ収集の命令および動作を実行するよう指定しうる。スクリプトは、アプリケーションゲートウェイ構成要素504に対して、スクリプトと関連付けられる結果が、カスタムアプリケーション502といったアプリケーションにどのように提供されるかを指定しうる。一態様では、アプリケーションゲートウェイ構成要素504は、WAN通信媒体を用いてなど、ネットワーク112を介してゲートウェイプラットフォームと（よって照明ノードプラットフォームと）データを交換するように構成されうる。
【００４８】
またサービスプラットフォーム110は、様々なアプリケーションに関連したデータを交換し、処理するようにも構成されうる。特に、所有者アプリケーション518、システムアプリケーション520（またはシステム事業者アプリケーション）、提携先アプリケーション522、および消費者アプリケーション524は、アプリケーションゲートウェイAPIを介してアプリケーションゲートウェイ構成要素504を利用しうる。様々なタイプのアプリケーションが、センサデータの多くの用途に共通したやり方で開発されうる。システムアプリケーション520は、LIAFシステム事業者によって開発されてよく、照明状況を提供し、ある特定の照明ノードプラットフォームのところの光源の機能を制御する様々な照明ノードプラットフォームの照明管理のためのアプリケーションを含みうる。別の例として、システムアプリケーション520は、ユーザが、例えば、各照明ノードプラットフォームのところの照明の状況をモニタすることによって、ユーザの照明ネットワークを保守することを可能にする、照明保守のためにLIAFシステム事業者によって提供される別のアプリケーションを含みうる。さらに別の例では、システムアプリケーション520は、ユーザが照明インフラストラクチャのエネルギー使用量をモニタし、したがって照明インフラストラクチャの使用をより適切に制御することを可能にする、エネルギー管理のための別のアプリケーションを含みうる。例えば、アプリケーションは、自動要求/応答アプリケーションへのインターフェースを提供しうる。提携先アプリケーション522は、照明インフラストラクチャ所有者（例えば照明柱所有者）、ならびに、以下に挙げるような様々な所望の機能についての確立された市場を有する、LIAF事業者が承認したアプリケーションおよびアプリケーションサービス会社によって開発されうる。これらのアプリケーションはアプリケーションゲートウェイAPIを利用しうる。提携先アプリケーション522の機能は、セキュリティ管理、駐車場管理、交通情報報告、環境報告、資産管理、およびロジスティクス管理を含みうる。消費者アプリケーション524は、LIAFシステム事業者によって提供される消費者のためのAPIを利用しうる。このAPIは、公開されている、匿名の、所有者が承認したデータを提供しうる。消費者アプリケーション524の例には、匿名データ（または汎用データ）を使用して、様々な位置についての気象（または環境）情報、ある位置での交通情報、ある区域で駐車スペースを見つけるための情報（例えば、利用可能なスペース、駐車料金など）といった情報をユーザに提供する第三者アプリケーションが含まれうる。一態様では、消費者アプリケーション524は、ユーザによって提供されるジップコードキーを利用して、照明インフラストラクチャから関連性を有するデータを提供しうる。所有者アプリケーション518は、照明インフラストラクチャ所有者によって、照明インフラストラクチャ所有者の様々な特定のニーズ（例えば施設の管理など）を満たすために開発され、使用されうる。所有者アプリケーション518の例には、駐車場内のセキュリティ条件を示すアプリケーション、駐車場管理アプリケーション、および収益アプリケーション（例えば収益化プログラムなど）が含まれうる。
【００４９】
様々な態様において、インフラストラクチャコスト管理モジュール516およびアプリケーション収益管理モジュール514は、LIAF構成要素使用量を分析し、使用量に基づく料金および収益を自動的に決定するように機能しうる。自動料金および収益計算の動作方法の態様は後述する。
【００５０】
図5Bに、照明インフラストラクチャアプリケーションフレームワーク内の構成要素の態様を例示する。言い換えると、図5Bには、照明ノードプラットフォーム、ゲートウェイプラットフォーム、サービスプラットフォーム、およびアプリケーション（例えば第三者アプリケーション）を含む階層アーキテクチャ550内の典型的な構成要素が示されている。特に、光エンジン構成要素552、熱管理構成要素554、電源モジュール構成要素556、定電流ドライバ構成要素558、センサ構成要素560、およびコントローラ構成要素562は、前述のような照明ノードプラットフォーム（もしくは照明ノードプラットフォーム機器）またはゲートウェイプラットフォーム（もしくはゲートウェイプラットフォーム機器）の典型的な構成要素とすることができる。また照明ノードプラットフォームは、制御LAN構成要素564やデータLAN構成要素566といったネットワーク層構成要素も含みうる。ゲートウェイプラットフォームは、制御WAN構成要素568やデータWAN構成要素570といったネットワーク層構成要素を含みうる。一態様では、制御LAN構成要素564、データLAN構成要素566、制御WAN構成要素568は、時間同期およびイベント/制御/管理トラフィック処理のための機能を含み、データWAN構成要素570は、ビデオフレームを処理するための機能を含みうる。
【００５１】
サービスプラットフォームは、データサービスおよびアプリケーションの管理と関連付けられる様々な構成要素を含んでいてよく、それらの構成要素は例えば、様々な収集データ（例えば、センサデータ、照明、電力、ビデオ、オーディオデータなど）を処理するためのデータ収集構成要素572、様々なアプリケーション（例えば、顧客アプリケーション、提携先アプリケーション、システムアプリケーション、消費者アプリケーションなど）へのデータアクセスを提供するためのアプリケーションゲートウェイ構成要素574、認証、データおよび通信アクセス制御のためのセキュリティ構成要素576、アクセス、使用量、データ閲覧、およびほぼリアルタイムの/周期的な/履歴による頻度に基づく各当事者への課金を処理するための課金構成要素578、インフラストラクチャ管理構成要素580である。一態様では、インフラストラクチャ管理構成要素580は、グラフィカルユーザインターフェース（GUI）、ゲートウェイ管理、ネットワーク管理、ユーザ管理、照明ノードプラットフォームの管理/同期/制御（例えば、処理失敗、ソフトウェア、および動作/状況）、ならびに照明ノードプラットフォームの管理（例えば、セットアップ、構成など）を扱うための機能を含みうる。
【００５２】
様々な態様において、各構成要素または類似した論理、回路、もしくは動作は、照明ノードプラットフォーム、ゲートウェイプラットフォーム、サイトコントローラ、および照明インフラストラクチャに接続された他のコンピューティング機器といった、照明インフラストラクチャアプリケーションフレームワーク内のコンピューティング機器の任意の組み合わせの中に含まれうる（またはこれらによって実行されうる）。様々な態様において、様々なアプリケーション構成要素582〜588は、サービスプラットフォーム内にあってもよく、あるいは、アプリケーションを開発する当事者と関連付けられた構成要素のように、サービスプラットフォームの外部にあってもよい。
【００５３】
様々な態様において、LIAFは、LIAFに寄与する様々な実体のための収益を生むのに使用されうる。前述のように、照明インフラストラクチャ所有者は、照明施設および電力施設（照明柱、据付け器具など）を提供し、LIAF事業者は、ハードウェア、ソフトウェア、ならびに構成リソースおよびモニタリングリソースを提供することにより、アプリケーションおよびアプリケーションサービスの毎日の使用を可能にし、アプリケーション提供者（またはアプリケーションサービス提供者）は、エンドユーザ機器によって使用される機能を提供しうる。これらの寄与に基づき、LIAF事業者、アプリケーション事業者（例えば第三者アプリ開発者）、および照明インフラストラクチャ所有者が、LIAFと関連付けられたデータ、アプリケーション、およびサービスの共用、通信、記憶、および処理に基づいて収益を生むための業務方式が実装されうる。
【００５４】
LIAFに関連した利害関係者実体は、それらのネットワークへの関与のために収益、金銭、利益、クレジット、または他の補償を受け取りうるすべての実体を含みうる。特に、照明インフラストラクチャの所有者は、照明インフラストラクチャベースのアプリケーションの主要な利害関係者とすることができる。これらの所有者は、照明柱/照明器具および照明インフラストラクチャが位置する所有物を所有する実体である。照明は、資本投資、エネルギー関連の月々の課金および追加的な保守コストのために原価中心点となりうる。照明インフラストラクチャ所有者は、照明ノードプラットフォームが照明インフラストラクチャ所有者の所有物内で設置され、利用されることを許可することに対して補償されうる（または払い戻しを受ける）。照明インフラストラクチャ所有者は、典型的には、照明インフラストラクチャ内の照明ノードプラットフォームから収集されたデータ（例えば許可されたアクセス）と引き換えに、またはそうしたデータに基づいてLIAF事業者から収益を受け取りうる。また照明インフラストラクチャ所有者の収益は、様々な契約に基づいてアプリケーション提携者からももたらされうる。この収益は、照明インフラストラクチャ所有者が、照明インフラストラクチャ内で配備される照明ノードプラットフォームおよびLIAFの関連要素と関連付けられる資本、運営、および保守の費用の少なくとも一部を相殺することを可能にしうる。
【００５５】
別の主要な利害関係者はLIAF事業者（またはLIAFサービス提供者）とすることができる。これらは、照明インフラストラクチャ（例えば屋内駐車場など）内で配備されるハードウェアおよびソフトウェアプラットフォームを提供することにより、様々なアプリケーションについて日常的にデータおよびサービスを提供する、実体としうる。LIAF事業者の収益は、LIAFからのデータを使用するアプリケーション提供者/所有者からであってよく、そうした収益は、アプリケーション提供者に提供されるデータのタイプ、頻度、量、データの位置および需要（またはデータ需要）、ならびにデータに必要とされる時間枠に基づくものである。またLIAF事業者はカスタムアプリケーションベンダによって要求されるカスタムデータの送信/記憶/処理に基づいた収益も受け取りうる。また一態様では、LIAF事業者は、LIAF事業者によって開発されたアプリケーション（例えば、小売環境/コンテキストにおけるような、LIAFデータを用いる業務のためのアプリケーション）に基づく収益も受け取りうる。様々な態様において、LIAF事業者は、共用データのタイプまたは使用に基づいてアプリケーションおよびアプリケーションサービス開発者から様々な収益を受け取りうる。例えば、LIAF事業者は、カスタムデータ、集約データ、相関データ、および/または特定のデータへのアクセスの提供について収益を受け取ることができ、それらのデータは例えば、エネルギー使用量（電圧および電流）、光状況、環境情報（例えば温度）、光の存在、ガスの存在（例えば一酸化炭素など）、加速度計状況、侵入検知器状況、無線信号情報（例えば、Bluetooth MACアドレス、RFIDデータ）、特定用途向けセンサデータ（例えば、侵入センサ、振動センサ、動きセンサ、オーディオ、人検知、車両検知、車両詳細センサなど）を指し示す。LIAFによって受信され、処理される様々なデータタイプは後述する。
【００５６】
他の重要な利害関係者実体は、アプリケーション提供者（または事業者）および所有者を含みうる。これらの実体は、LIAFによって収集され、処理され、分配されるデータを利用するアプリケーションまたはアプリケーションサービスを開発し、分配し、販売しうる。アプリケーション提供者の収益源は、アプリケーション提供者のアプリケーション、アプリケーションサービス、およびLIAFと関連付けられる関連データに結び付けられうる。一態様では、一つの収益源は、アプリケーションまたはアプリケーションサービスのユーザによる使用許諾料またはSaaS（Software As A Service）使用料の支払いとすることができ、これは、典型的には、時間間隔に基づくものであり、または1回限りの使用許諾料として支払われうる。この料金は、異なる使用量レベル、例えば、スタンダード、プロフェッショナル、管理者に基づくものであってよい。使用料は、データのタイプ（例えば、生データまたは要約データ、リアルタイム対非リアルタイムなど）、履歴データへのアクセスに依存し、需要によって動的に価格付けされるデータ、およびデータと関連付けられる位置に基づくものとしうる。アプリケーション提供者の別の収益源は広告に関連しうる。特に、広告主（またはアプリケーションおよびアプリケーションサービスのユーザに製品またはサービスを広告することを欲する企業）は、アプリケーションまたはサービスごとに広告料を支払うことができる。様々な態様において、広告主は、広告を受け取ること（例えばオプトイン/オプトアウト）のユーザによる受諾に基づいてユーザに配信されるアプリケーションに関与しうる。
【００５７】
他の主要な利害関係者は、LED照明、センサ、およびネットワークを設置してエネルギー効率および節約をさらに改善することによって達成されるエネルギーおよび環境の節約から生じる炭素クレジットを購入しようとする企業実体とすることができる。1キロワット時（kWh）が節約される都度、環境温室効果ガス（GHG: green house gas）排出回避/節約が生じる。これらの節約は炭素クレジットに変換することができ、炭素クレジットは次いで、追加の炭素クレジットを必要とする企業に売却されうる。例えば、照明ノードプラットフォーム機器を有する照明インフラストラクチャに関連したエネルギー節約の計算に基づいて、サービスプラットフォームコンピュータは、それらの節約によって達成された炭素クレジットを売買し、販売し、またはそれ以外に利用することができる。
【００５８】
図6に、照明インフラストラクチャアプリケーションフレームワーク（またはLIAF）と組み合わせて使用されうる一般的な収益モデルを実装するための方法600の態様を例示する。ブロック602で、ユーザは、照明インフラストラクチャアプリケーションフレームワークへのアクセスを伴うアプリケーションの使用と引き換えにアプリケーション提供者に補償を行う（例えば、料金を支払う、広告を受け入れる、炭素クレジットの一部分を引き渡すことに同意するなど）。これは、ユーザがアプリケーションの提供者（例えば第三者アプリ開発者）にアカウントを登録することを伴いうる。あるいは、ユーザは、サービスプラットフォーム110と関連付けられたコンピューティング機器を介してLIAF事業者にアカウントを登録してもよい。例えば、データベース登録が、ユーザと、照明インフラストラクチャを利用するアプリケーションを有するユーザ機器との間のリンクまたは関連付けを記憶しうる。LIAFにアクセスするアプリケーションをユーザの機器が使用するための許可は、時間、データ量、アプリケーション使用回数、または任意の他のそうした限度に関して制限されうる。ユーザは、LIAFからの情報のごく一部分へのアクセスをさらに選択しうる。例えばLIAFは、位置ごとに異なるコストが関連付けられている複数の地理的位置と関連付けられていてよく、ユーザは、ある地理的区域からだけ情報を受信することを選択しうる。あるいはユーザは、ある時間帯にのみLIAFデータを受信することを選択してもよく、請求は、時間帯に応じて、またはLIAFがリソース使用量のピークにある時間について変更されてもよい。さらに、ある態様では、ユーザは、LIAFの少なくとも一部分への無料アクセスと引き換えに広告を閲覧するか、それとも料金を支払うか選択しうる。
【００５９】
ブロック604で、アプリケーション提供者は、照明インフラストラクチャアプリケーションフレームワークにアクセスするためにLIAF事業者に補償を行う（例えば、LIAF事業者に料金を支払う、ユーザ向けの広告を有効にするなど）。前述のユーザについての登録および選択と同様に、アプリケーション提供者は、LIAFに登録し、アプリケーションによるLIAF使用の選択肢を選択しうる。例えば、さらに後述するように、LIAFは、カメラ、温度センサ、マイクロフォン、および他のそうした機器を含めて、多種多様なセンサおよび制御可能な機器を含みうる。あるアプリケーションは、あるタイプのそうしたLIAF機器からの情報を受信することだけを選択しうる。加えて、LIAF内の機器使用に関する任意の他のそうした時間、位置などの制限も選択されうる。さらにLIAFは、LIAFによって収集された情報に関する処理リソースまたはフィルタを提供しうる。例えば、カメラフィードへのアクセス権を受け取るのではなく、アプリケーションは代わりに、カメラの視野内を通過する歩行者または車の数といった分析情報を提供しうるカメラフィード出力からの分析結果を受け取ってもよい。代替の態様では、アプリケーション提供者はそうした分析サービスを、LIAFへ、または収益と引き換えに他のアプリケーション提供者へ提供しうる。
【００６０】
ブロック606で、照明インフラストラクチャフレームワーク事業者は、物理的な照明ノードプラットフォーム、ゲートウェイプラットフォーム、センサ、および/またはコントローラが位置する場所を所有するかまたは管理する照明インフラストラクチャ事業者に補償を行う（例えば、料金を支払う）。そうした補償は、照明ノードプラットフォーム機器、ゲートウェイプラットフォーム機器、センサ、コントローラ、または他の機器の物理的構成要素が存在する小区域の使用に基づく一律の料金、利益分配、賃借、リース、または他の利益であってよい。例えば、ビル所有者は、ビル上に複数のセンサを有する照明ノードプラットフォーム機器を配置する許可を与えることに対する料金の支払いを受けることができる。LIAF事業者から照明インフラストラクチャ所有者へ支払われる補償は、配置されるセンサおよび機器の位置、数およびタイプ、プラットフォームが利用可能な帯域幅、またはプラットフォームの任意の他のそうした品質に基づくものとしうる。補償はさらに、ユーザまたはアプリケーションによる実際の使用量に基づくものであってもよく、単に一律の料金であってもよい。
【００６１】
様々な態様において、そうした実体の組み合わせは混ざり合っていてよく、照明インフラストラクチャ所有者がユーザであり、アプリケーション提供者であってもよく、LIAF事業者が同時にアプリケーション提供者であってもよく、収益が本明細書で記述するように流れ、LIAFを支持するように作成された任意の適切な収益構成を伴う。
【００６２】
例えば以下のとおりである。照明インフラストラクチャアプリケーションフレームワークの一態様についての収益の流れが、ユーザ機器が、LIAFに関連したデータにアクセスするように構成されたアプリをダウンロードするときに開始される。ユーザ機器は、インターネット上で、インターネット上のアプリの開発者（すなわちアプリケーション提供者）と関連付けられたサーバへ金融その他の補償情報（例えばクレジットカード情報）を送信し、よって、アプリケーション提供者の収益が可能になる。ユーザ機器からの情報の受信に応答して（または周期的に）、アプリの開発者と関連付けられたサーバは、アプリケーション提供者の金融その他の補償情報を、LIAF事業者と関連付けられたコンピューティング機器（またはサーバ）へ送信し、よって、LIAF事業者の収益が可能になる。アプリの開発者と関連付けられたサーバからの情報の受信に応答して（または周期的に）、LIAF事業者のコンピューティング機器は、金融その他の補償情報（例えば均一料金のクレジットなど）を、照明インフラストラクチャ所有者（例えば屋内駐車場所有者）と関連付けられた機器へ送信し、照明インフラストラクチャ所有者の収益が可能になる。
【００６３】
図7Aに、LIAFと連携して料金/収益を計算するための動作を実行するためのコンピューティング機器のための方法700の態様を例示する。様々な態様において、収益の生成および収集はコンピューティング機器によって自動化することができ、コンピューティング機器は、LIAFの一部であるサービスプラットフォームコンピュータ（例えばサーバ）、第三者アプリケーション提供者と関連付けられ、第三者アプリケーション提供者によって維持される機器（例えばアプリケーション提供者サーバ）、またはLIAFと関連付けられたコンピューティング機器の組み合わせとしうる。
【００６４】
ブロック701で、コンピューティング機器は、受信登録情報に基づいてアプリケーションを使用すべき機器を登録し、または許可する。例えばコンピューティング機器は、サインアップデータを送信したアプリケーション提供者（あるいはアプリケーションをダウンロードしたユーザ機器）のアカウントを作成し、記憶しうる。一態様では、登録情報は、認証資格情報、アクセス制御資格情報、使用許諾情報、広告許可情報（例えば広告への関与の許可）、支払情報、および/または複数のデータタイプのうちの一つまたは複数の選択（例えば、照明ノードプラットフォームによって報告されうる複数のデータタイプの中からの要求のあったデータタイプの選択）を含みうる。様々な態様において、選択可能なデータタイプは、エネルギー使用量データ、光状況データ、温度データ、湿度データ、光検出データ、カメラデータ、動き検出データ、オーディオデータ、人検知データ、および車両検知データ、相関データ、ならびに集約データを含みうる。一態様では、ブロック701の動作は、コンピューティング機器が様々なときに様々な機器から登録情報を受信することを可能にするために頻繁に実行されうる。ブロック702で、コンピューティング機器は、照明インフラストラクチャアプリケーションフレームワーク（LIAF）または関連付けられたネットワークからのデータへのアクセスを求める第1の機器からの要求を受信する。例えば、コンピューティング機器（例えばサービスプラットフォームコンピュータ）は、空き駐車スペースデータを求める第三者機器からの要求を受信しうる。様々な態様において、第1の機器は、ユーザ機器、あるいはアプリケーション提供者と関連付けられた機器（例えば第三者サーバ/機器）としうる。しかし別の態様では、第1の機器は、コンピューティング機器のモジュール、構成要素、スレッド、サブルーチン、または他の要素としうる。一態様では、要求は、複数の照明ノードプラットフォームのうちの特定の照明ノードプラットフォームに関連したデータを求めるものでありうる。例えば要求は、パーキングデッキ内の特定の照明ノードプラットフォームに関連した周囲光センサデータを求めるものでありうる。様々な態様において、要求は、モバイル機器、第三者機器（例えば第三者サーバ）、サービスプラットフォームコンピューティング機器上で実行される屋内駐車場アプリケーションといったアプリケーションによって、またはそうしたアプリケーションと関連付けて送信されうる。例えば要求は、コンピューティング機器上で実行されているサブルーチンによって制御されるまたは実行されるアプリケーションによって送信されうる。ブロック704で、コンピューティング機器は、要求のあったLIAFからのデータに第1の機器上で動作しているアプリケーションがアクセスするための許可を検証する。そうした許可は、以前の登録、コンピューティング機器に送信された、要求側機器に関連した以前の支払い、および/または第1の機器のユーザとの間で確立された広告関係に基づくものとしうる。例えばコンピューティング機器は、要求内のパスコード、アカウントID、または他の識別情報を評価することにより、要求のあったデータを受信すべく要求側機器が登録されている、許可されている、またはそれ以外に資格を有しているかどうか判定しうる。任意選択の判定ブロック705で、コンピューティング機器は、機器が許可されているかどうか判定し、そうした許可が存在しない（例えば、支払履歴や既存の広告関係がない）場合（すなわち、任意選択の判定ブロック705＝「いいえ」）、任意選択のブロック706で、コンピューティング機器は、機器からの支払いおよび/または登録を求める要求を送信し、引き続きブロック701の動作を行う。支払要求は、ユーザからの直接支払いを求めるものであっても、アプリケーションを介した支払いまたは別の形の支払いを求めるものであってもよい。
【００６５】
ユーザ機器が要求情報の受信を許可されていることをサービスプラットフォームコンピュータが確認すると（すなわち、任意選択の判定ブロック705＝「はい」）、ブロック707で、コンピューティング機器は、LIAFからのデータ（例えば、フレームワークの第1の照明ノードプラットフォームからのデータ）に少なくとも一部基づいて、アプリケーションからの要求に対する応答を送信する。この情報は、コンピューティング機器に通信可能に結合されているデータベースに記憶されていてもよく、照明ノードプラットフォームおよび/もしくはゲートウェイプラットフォーム機器からリアルタイムで取得されてもよく、かつ/またはコンピューティング機器内のメモリから取得されてもよい。
【００６６】
ブロック708で、コンピューティング機器は、送信された応答に基づいて料金および/または収益を計算する。例えば、要求に応答して送信されたデータのタイプに基づいて、コンピューティング機器は、データ受領者（例えば、アプリケーション、提供者、ユーザなど）に請求すべき金額を計算しうる。またブロック708の計算は、要求と関連付けられる任意の収益を計算することも含みうる。例えばコンピューティング機器は、要求に応答して送信されたデータと関連付けられた照明インフラストラクチャ所有者に与えられるべきクレジット、金銭、または他の利益の量（例えば、ユーザに請求される任意の料金の割合、電力使用量に基づく払い戻し金額など）を計算しうる。一態様では、計算される料金は、照明インフラストラクチャが（よって照明ノードプラットフォームが）位置する領域/区域、照明インフラストラクチャからのデータ収集の周期、データに関連してLIAFに影響を及ぼす補助金、ならびに任意の売買される炭素クレジットといった他の要因に基づく（またはそれらの要因の影響を受ける）ものとしうる。例えば、あるタイプのデータを第三者アプリケーション提供者（またはユーザ機器上で実行されるアプリ）に送信するための料金は、報告側の照明ノードプラットフォームを含む屋内駐車場の評判に基づいて高くなりうる。言い換えると、データは動的に価格付けされうる。任意選択のブロック710で、コンピューティング機器は、計算された値を指し示すメッセージを送信する。例えばコンピューティング機器は、アプリケーション提供者への課金メッセージ、あるいは、照明インフラストラクチャ所有者への収入計算書を送信しうる。
【００６７】
図7Bに、LIAFと連携して料金/収益を計算するための動作を実行するためのコンピューティング機器のための方法750の態様を例示する。方法750は、方法750がデータのアクセスに基づいて様々な実体のための料金およびコストを計算するための動作を含むことを除けば、方法700と同様である。
【００６８】
ブロック701で、コンピューティング機器は、受信登録情報に基づいてアプリケーションを使用すべき機器を登録し、または許可する。ブロック702で、コンピューティング機器は、照明インフラストラクチャアプリケーションフレームワーク（LIAF）または関連付けられたネットワークからのデータへのアクセスを求める第1の機器、例えば、サービスプラットフォームコンピュータからのデータを要求するアプリケーションを実行している外部機器（例えば第三者サーバなど）からの要求を受信する。ブロック704で、コンピューティング機器は、要求のあったLIAFからのデータに第1の機器上で動作しているアプリケーションがアクセスするための許可を検証する。任意選択の判定ブロック705で、コンピューティング機器は、機器が許可されているかどうか判定し、そうした許可が存在しない（例えば、支払履歴や既存の広告関係がない）場合（すなわち、任意選択の判定ブロック705＝「いいえ」）、任意選択のブロック706で、コンピューティング機器は、機器からの支払いおよび/または登録を求める要求を送信し、引き続きブロック701の動作を行う。
【００６９】
ユーザ機器が要求情報の受信を許可されていることをサービスプラットフォームコンピュータが確認すると（すなわち、任意選択の判定ブロック705＝「はい」）、ブロック707で、コンピューティング機器は、LIAFからのデータ（例えば、フレームワークの第1の照明ノードプラットフォームからのデータ）に少なくとも一部基づいて、アプリケーションからの要求に対する応答を送信する。
【００７０】
ある態様では、コンピューティング機器は、要求され、伝えられた情報の記録を使用して、LIAF使用量に基づくアプリケーションからの収益または料金を自動的に決定しうる。したがって、ブロック752で、コンピューティング機器は、要求に基づいてアプリケーションについての照明インフラストラクチャアプリケーションフレームワーク使用特性を決定し、ブロック754で、コンピューティング機器は、アプリケーションについての決定された使用特性と関連付けられる使用料/収益を自動的に計算する。言い換えると、アプリケーション使用についての補償が計算されうる。そうした計算は周期的に、またはシステムのアプリケーション使用に従ってなされ、請求書が自動的に作成され、関連付けられたアプリケーション提供者あるいは第1の機器のユーザへ送信されうる。一態様では、料金/収益計算は、データの量、タイプ、配信頻度、データの位置、需要、要求時間、およびデータ時間枠、ならびに要求側機器と関連付けて記憶された任意の情報（例えば、契約条件、販促を伴ったアカウント詳細など）に少なくとも一部基づくものとしうる。
【００７１】
同様に、ある態様では、コンピューティング機器は、要求され、伝えられた情報の記録を使用して、照明インフラストラクチャ所有者と関連付けられたプラットフォームおよび機器の使用に基づいて照明インフラストラクチャ所有者に支払われるべき収益または料金を自動的に決定しうる。従って、ブロック756で、コンピューティング機器は、送信された応答に関連した照明インフラストラクチャアプリケーションフレームワークによる照明ノードプラットフォーム使用量を決定し、ブロック758で、コンピューティング機器は、決定された照明ノードプラットフォーム使用量（または照明ノードプラットフォーム機器使用量）に関連した照明インフラストラクチャ所有者のための照明インフラストラクチャコスト/使用料、例えば、所有者の照明インフラストラクチャ内の照明ノードプラットフォームから照明ノードプラットフォームデータを受信するコスト/料金を自動的に計算する。ブロック754で計算されるアプリケーション料金と全く同様に、ブロック758の計算は周期的に、またはシステムのアプリケーション使用に従ってなされ、請求書が自動的に作成され、アプリケーション提供者へ送信されうる。ある態様では、システムは、照明インフラストラクチャ所有者へ最小限の支払いを提供し、計算された使用量に基づく追加支払いが最小限の支払いに上乗せされるように構築されうる。一態様では、コンピューティング機器は、ブロック758の計算に基づいて照明インフラストラクチャ所有者と関連付けられた支払データベースまたは他のアカウントを更新するようにも構成されうる。
【００７２】
任意選択のブロック710で、コンピューティング機器は、計算された値を指し示すメッセージを送信する。メッセージは、ブロック754および/またはブロック758の様々な計算を含みうる。例えば、コンピューティング機器がLIAF内のサービスプラットフォームコンピューティング機器である場合、コンピューティング機器は、照明インフラストラクチャ所有者機器への収益計算書メッセージ、アプリケーション提供者コンピュータおよび/またはユーザ機器への料金/課金メッセージを送信しうる。別の態様では、コンピューティング機器は、金融機関機器（例えば、銀行機器、課金サービス機器など）へ、様々な計算された料金/収益を伝えるメッセージを送信しうる。
【００７３】
図8に、照明インフラストラクチャアプリケーションフレームワーク内での使用量と関連付けられる料金および/または収益を計算するための動作を実行するためのゲートウェイプラットフォーム機器のための方法800の態様を例示する。言い換えると、LIAFは、データ分析および/またはデータ処理を実行する機能を備えるゲートウェイプラットフォーム機器をサポートするように構成されうる。一態様では、ゲートウェイプラットフォーム機器は、LIAF内のセンサからの集約データ、相関データ、カスタマイズデータ、またはそれ以外のフィルタリングデータ（例えば、照明ノードプラットフォームセンサデータ）を作成しかつ送信する方法800を実行するように構成されうる。
【００７４】
ブロック802で、機器（例えば、ゲートウェイプラットフォーム機器）は、該機器およびローカルエリアネットワーク内の照明ノードプラットフォーム機器に結合されたローカルエリアネットワーク内のセンサおよび/またはコントローラについてのセンサデータおよび/またはコントローラ情報を受信する。ブロック804で、機器は、該機器のデータプロセッサを用いて、該機器およびローカルエリアネットワーク内の任意の照明ノードプラットフォーム機器と関連付けられた1または複数の照明インフラストラクチャ所有者のためのセンサデータおよび/またはコントローラ情報と関連付けられる料金および収益情報を計算する。ブロック806で、機器は、該機器および任意の照明ノードプラットフォーム機器と関連付けられる計算された機器料金および収益情報を、照明インフラストラクチャアプリケーションフレームワークと関連付けられたコンピューティング機器へ送信する。例えば、ゲートウェイプラットフォーム機器は、照明ノードプラットフォームから取得したセンサデータおよび/または収益/料金情報を、記憶し、さらに処理し、かつ/またはアプリケーションへ配信するためにサービスプラットフォームコンピュータまたはサーバへ送信しうる。別の態様では、機器は、照明インフラストラクチャ内の任意のコンピューティング機器、例えば、サイトコントローラ、照明ノードプラットフォーム機器などとすることができる。
【００７５】
図9Aに、照明ノードプラットフォームと関連付けられるエネルギー節約および炭素クレジット情報を計算するための、サービスプラットフォームコンピュータなどのコンピューティング機器のための方法900の態様を例示する。米国環境保護庁は、節約される電気のキロワット時数に基づく、電気使用の低減によって節約される炭素排出の計算のためのモデルを制定している。したがって、電気節約が一定期間にわたって認められる場合、節約されたCO2排出量を計算することができ、炭素クレジットが計算されうる。ある態様では、システムの各局面は、カーボンオフセット政策/制度の要件に準拠するように特に構築されうる。LIAFハードウェアおよびソフトウェアは、ネットワークに接続されたありとあらゆる照明器具（または照明ノードプラットフォーム）についての実際のエネルギー使用量をモニタすることができる特に適合されたシステムを含みうる。これは、事実上継続的に提供されるリアルタイム情報とすることができる。特に、LIAF内の照明器具配備ごとに、旧来の技術と比べた（例えば前述のLED光エンジンによって節約されるような）各照明器具のエネルギー節約の量が確定され（例えば節約は公知の値としうる）、節約に基づいて炭素クレジットが計算されうる。いくつかの照明器具では、調光が行われず、そのため照明点灯時にはエネルギー使用量は常に同じとしうる。しかし、多くの他の照明器具では、時間帯、占有状況、周囲光条件、または他のパラメータに基づいて調光がなされうる。これらの場合、実際のエネルギー使用量は往々にして幅広く変動することになる。一態様では、サービスプラットフォームコンピュータは、図5Aを参照して前述したような炭素クレジットモジュール512を用いてネットワーク内の照明器具についてのエネルギー使用量をモニタしうる。
【００７６】
その場合、炭素クレジットの値（またはクレジット自体）は、照明インフラストラクチャ所有者、LIAF事業者、および任意の関連付けられたアプリケーション提供者を含む、LIAFと関連付けられた実体（または利害関係者）間で割り振られうる。特に、LIAF事業者は、LIAFと関連付けられた区域または炭素フレームワークにおいて実施されているあらゆる公式のモデルに従って炭素クレジットを計算し、モニタし、販売のための取引所へ、または直接販売のために転送しうる。
【００７７】
ブロック902で、コンピューティング機器は、照明インフラストラクチャアプリケーションネットワーク/フレームワークの一部としての複数の照明ノードプラットフォームからリアルタイムのエネルギー使用量データを受信する。ブロック904で、コンピューティング機器は、照明インフラストラクチャアプリケーションフレームワーク内の複数の照明ノードプラットフォームの管理および使用と関連付けられるエネルギー節約を計算する。ブロック906で、コンピューティング機器は、照明インフラストラクチャアプリケーションフレームワーク内の複数の照明ノードプラットフォームの管理および使用と関連付けられる計算されたエネルギー節約に基づいて炭素クレジット情報を自動的に計算し、ブロック908で、計算された炭素クレジット情報に基づいて炭素クレジットを求める要求を送信する。例えば、炭素クレジットを求める送信される要求は、第三者クレジット分配サービス、行政機関、および/または炭素クレジットを提供することができる任意の実体へのものとしうる。そうした要求は、エネルギー節約報告、インボイス、および/またはエネルギー節約もしくは他の適格性を証明しうる他の情報といった、計算された炭素クレジット情報の証拠を含みうる。任意選択のブロック910で、コンピューティング機器は、要求に応答した炭素クレジット付与通知を受信し、任意選択のブロック912で、コンピューティング機器は、LIAF事業者および/または照明インフラストラクチャ所有者（例えば照明柱所有者）の追加収益を得るために、炭素クレジットを仲買人、炭素クレジット市場、または他の第三者機器へ売却する。例えば、要求に基づいて付与される炭素クレジットは、サービスプラットフォームの事業者と炭素クレジットに寄与する照明ノードプラットフォーム機器を設置した屋内駐車場所有者との間で分割され、分配されうる。一態様では、コンピューティング機器は、LIAFと関連付けられた取引所またはサービスで炭素クレジットを売買しうる。例えば、コンピューティング機器（例えばサービスプラットフォームコンピュータ）は、提携先機器へ、炭素クレジットが入札に付されることを指し示すメッセージをブロードキャストしうる。そうした入札手順の一例を以下で図9Bを参照して説明する。
【００７８】
一態様では、コンピューティング機器は、様々な方式に基づいて、LIAFと関連付けられた様々な当事者へ分配し、または割り当てるべき追加収益の量を決定し、さらに、炭素クレジットの要求/売買についてのサービス料を請求しうる。よって方法900は、本明細書で記述するネットワークまたはLIAFと関連付けた追加収益モデルを提供しうる。様々な態様において、方法900の動作は、単一の機器によって、またはLIAFシステム内の様々な機器によって実行されうる。様々な態様において、コンピューティング機器は、サービスプラットフォームコンピューティング機器または照明インフラストラクチャ内の機器（例えばゲートウェイプラットフォーム機器）としうる。
【００７９】
図9Bに、LIAFデータの受信に入札を利用するデータ市場を提供する、コンピューティング機器のための方法950の態様を例示する。一般に、コンピューティング機器（例えばサービスプラットフォームコンピューティング機器）は、照明ノードプラットフォームからのある特定データを独占させ、不足させ、またはそれ以外に動的に価格付けさせる動作を実行しうる。例えば、密集した市街地区域（例えば、ニューヨーク市のタイムズスクエア近くの屋内駐車場）の照明柱からのデータといった特定のソースからのデータは、あまり密集していない郊外または田園区域（例えばニューヨーク市外のロングアイランドにある屋内駐車場）の照明柱からのデータといった別のソースからのデータよりも重要であり、よってより高価格で評価されうる。方法950は、LIAFのある特定のデータに対してアプリケーション提供者などの実体が入札することができる市場（または取引所）を実現するために実行されうる。
【００８０】
ブロック951で、コンピューティング機器は、照明インフラストラクチャアプリケーションネットワーク/フレームワークの一部としての複数の照明ノードプラットフォームから、エネルギー使用データ、様々なタイプのセンサデータなどといったデータを受信する。ブロック952で、コンピューティング機器は、受信データの価値および入札条件を計算する。前述のように、価値を計算することは、料金/収益を計算するための動作と同様のものとしうる。例えば価値は、データがもたらされる照明インフラストラクチャ（例えば、電力使用量、公共料金、補助金など）に基づくものとしうる。しかし価値は、データのタイプ（例えば動きセンサデータ、環境データ、集約/相関データなど）、データがもたらされる収集区域（例えば、都会の屋内駐車場情報対郊外の屋内駐車場情報など）、データが報告される頻度（例えば、毎年、毎日など）、データの需要（例えば、特定のタイプのデータまたはより大量のデータのデータソースについてのより高い需要など）といった、他の価値要因によっても重み付けされ、調整され、またはそれ以外に決定されうる。入札条件は、それを超える金額であればコンピューティング機器に入札参加者へのデータの付与を許可しうる閾値入札金額を含みうる。また入札条件は、データを受信しうる入札参加者数および/または参加者がデータを受信するために入札しうる期間も含みうる。例えば入札条件は、受信データタイプの希少さ、データ収集の費用（例えば、ビデオデータは高い帯域幅またはセンサエネルギー使用を必要としうる）、および/または照明インフラストラクチャ所有者によって許可される受領者の数/タイプを指し示す記憶された情報に基づいて計算されうる。
【００８１】
任意選択のブロック954で、コンピューティング機器は、以前にそうしたデータを受信/要求したことが分かっているアプリケーション提供者などの潜在的な受領者のためにデータの利用可能性をブロードキャストする。コンピューティング機器は、ニーズ、以前の使用、または受信データへの他の利害を有しうるすべての実体、ユーザ、アプリケーション提供者などのリストを記憶しうる。例えばコンピューティング機器は、すべての記憶された関連性を有する実体に、計算された価値を電子メール送信するように構成されうる。
【００８２】
ブロック956で、コンピューティング機器は、受信データについての入札メッセージを受信する。入札メッセージは、様々な入札金額（例えば、特定のデータセットについてのあるドル/通貨価格など）、または他の有価約因（例えば、データと引き換えに売却するための炭素クレジット）を指し示しうる。例えばコンピューティング機器は、アプリケーション提供者サーバまたは他の第三者機器からインターネットを介して、データの受信のための入札金額を含む信号を受信しうる。判定ブロック958で、コンピューティング機器は、入札条件が満たされたかどうか判定する。例えばコンピューティング機器は、入札メッセージでデータの最低入札価格が受信されたかどうか、ある最大数または最小数の入札参加者が入札メッセージを送信したかどうか、入札期間が満了したかどうかなどを検出しうる。入札条件が満たされなかった場合（すなわち、判定ブロック958＝「いいえ」）、コンピューティング機器は引き続きブロック956の動作を行う。
【００８３】
入札条件が満たされた場合（すなわち、判定ブロック958＝「はい」）、ブロック960で、コンピューティング機器は落札した受領者（例えば入札参加者）へデータを送信する。例えばコンピューティング機器は、最高の入札価格を有する入札メッセージを送信したアプリケーション提供者のサーバへ照明ノードプラットフォーム機器センサデータを送信しうる。任意選択のブロック962で、コンピューティング機器は、受領者へ、データの計算された価値または落札メッセージに基づく料金を指し示すメッセージを送信する。例えば、参加者が、ある一定数の落札者の入札条件に基づいてデータを受信するよう決定される場合、メッセージは、受領者が、計算された価値を支払うべきことを指し示しうる。別の例として、入札条件が、最高価格の入札者がデータを受信することを指し示す場合、メッセージは、コンピューティング機器が受領者の最高価格の入札メッセージで受信した入札金額を、その受領者が支払うべきことを指し示しうる。
【００８４】
別の態様では、コンピューティング機器は、LIAFと関連付けられる炭素クレジットを求める入札メッセージを受信し、よってLIAFに関連して生じた（例えば、照明柱所有者によって生じた）炭素クレジットのための市場（または取引所）を提供するようにも構成されうる。例えば方法950は、データおよび/または炭素クレジット情報を、炭素クレジットおよび/またはデータの計算された値を満たすまたはその値を超える入札と引き換えに入札参加者へ送信するように実行されうる。
【００８５】
図10A〜図10Bに、LIAFと関連付けられた様々な機器へソフトウェア、ルーチン、スクリプト、命令、および/またはアプリケーションを送信するための方法の態様を例示する。前述のように、LIAFは、LIAF事業者によって開発されたシステムアプリケーション（またはアプリ）、照明インフラストラクチャ所有者によって開発された所有者アプリケーション（またはアプリ）、消費者アプリケーション、様々な使用事例（例えば、セキュリティ管理、交通情報報告、駐車場管理など）のための提携先アプリケーション（またはアプリ）、顧客アプリケーションなどといった多くのタイプのソフトウェアを利用しうる。そうしたソフトウェアは、照明ノードプラットフォーム、ゲートウェイプラットフォーム機器、サイトコントローラ、パーソナルコンピュータ、ラップトップコンピュータ、タブレット、スマートフォン、および/またはユーザのモバイル機器などといった様々な機器上で実行するように設計されうる。様々な態様において、LIAFは、これら様々なアプリケーションおよびソフトウェアを記憶し、管理し、かつLIAFと通信する機器へと配信するように構成された、サービスプラットフォームコンピュータなどのコンピューティング機器を利用しうる。
【００８６】
図10Aに、LIAF内の機器からの要求に応答してソフトウェア（例えばアプリケーション）を送信するためのコンピューティング機器のための方法1000の態様を例示する。ブロック1002で、サービスプラットフォームコンピュータなどのコンピューティング機器は、照明インフラストラクチャ機器内で実行するための（例えば、照明ノードプラットフォーム機器が実行するための）ソフトウェアを受信する。例えばそうしたソフトウェアは、照明インフラストラクチャ所有者またはアプリケーション提供者によって開発されたアプリまたはアプリケーションとすることができる。様々な態様において、ソフトウェアは、照明ノードプラットフォーム機器、ゲートウェイプラットフォーム機器、サイトコントローラ、または照明インフラストラクチャと関連付けられた他のコンピューティング機器内に含まれていることが分かっているプロセッサおよび構成要素上で動作するようにプログラムされたスクリプト、ルーチン、または他のモジュールを含みうる。一態様では、ソフトウェアは、アプリケーション提供者および/または他の第三者のためのデータを生成するように開発されたカスタムデータ処理ソフトウェアといった、サービスプラットフォームコンピューティング機器が実行するためのアプリケーション、ルーチン、または他の命令をさらに含みうる。ブロック1004で、コンピューティング機器は、例えば、照明インフラストラクチャ所有者、ソフトウェアを開発したアプリケーション提供者、および/またはソフトウェアの第三者開発者のためのアカウントへのリンクを有するデータベースにソフトウェアを記憶することによって、受信したソフトウェアを提供者に関連して記憶する。様々な態様において、コンピューティング機器は、ソフトウェアを記憶し、またはそれ以外に処理する前に、ソフトウェアが、登録または許可された実体からのものであるかどうか判定しうる。
【００８７】
ブロック1006で、コンピューティング機器は、照明インフラストラクチャ内の機器からソフトウェアを求める要求を受信する。例えば要求メッセージは、サービスプラットフォームからの新しいソフトウェアを周期的に要求するように構成された一つまたは複数の照明ノードプラットフォームおよび/またはゲートウェイプラットフォーム機器から受信されうる。一態様では、要求側機器は、屋内駐車場内のモバイル機器といったモバイル機器としうる。例えばコンピューティング機器は、空き駐車スペースの検索に関連したアプリをモバイル機器へ送信しうる。ブロック1007で、コンピューティング機器は、要求側機器のセキュリティ資格情報を検証する。一態様では、ブロック1007の動作は、前述のブロック704〜706の動作と同様としうる。例えばコンピューティング機器は、ソフトウェアを送信するための任意の他の動作を実行する前に、要求側機器が既知のものであり、または許可されているかどうか判定しうる。判定ブロック1008で、コンピューティング機器は、要求されたソフトウェアがソフトウェアを要求している機器に関連性を有するかどうか判定する。言い換えると、コンピューティング機器は、要求側機器に関連したソフトウェアの性質、特性、意図される用途、ハードウェア要件、および新しさを確認しうる。例えばコンピューティング機器は、機器がソフトウェアを正しく実行しうるかどうか判定するために、ソフトウェアのオペレーティングシステムの仕様を、要求側機器に関連した記憶された仕様情報と比較しうる。要求されたソフトウェアが関連性を有しない場合（すなわち、判定ブロック1008＝「いいえ」）、コンピューティング機器は何もせず、方法1000は終了する。一態様では、関連性判定は、要求と共に提示された認証およびアクセス制御資格情報に基づくものとしうる。
【００８８】
しかし、要求されたソフトウェアが関連性を有する場合（すなわち、判定ブロック1008＝「はい」）、ブロック1010で、コンピューティング機器は、要求されたソフトウェアを、インストールコマンド、構成データおよび他の情報と共に、照明インフラストラクチャ内の要求側機器へ送信する。例えばコンピューティング機器は、照明ノードプラットフォームにインストールするためのバイナリおよびバイナリを抽出するためのコマンドを含むパケットをインターネット上で送信しうる。任意選択のブロック1012で、コンピューティング機器は、ファームウェア更新、アプリバイナリ更新、新しい構成データ、新しいライブラリなどといった、ソフトウェアに対する更新を受信する。任意選択のブロック1014で、コンピューティング機器は、更新を要求側機器へ送信する。一態様では、コンピューティング機器は、「アプリストア」サービスを使用可能とすることができ、アプリストアでは、ソフトウェアアプリケーション、アプリ、および他のソフトウェアが要求され、機器へ配信されうる。他の態様では、コンピューティング機器は、ソフトウェアの記憶、処理、機器への送信のための金融口座への支払い/金融口座からの引き落とし、またはそれ以外にそのための補償を受け入れる動作を実行しうる。例えば前述の課金構成要素は、ソフトウェア送信ごとにアプリケーション提供者に課金する（あるいは報酬を支払う）のに利用されうる。
【００８９】
任意選択のブロック1015で、コンピューティング機器は、ソフトウェアに関連した処理に基づいて料金および/または収益を計算する。言い換えると、コンピューティング機器は、照明インフラストラクチャで使用するためのソフトウェアの記憶、処理、および配信についての各当事者にどれだけ請求すべきか決定すると共に、ソフトウェアの影響を受ける照明インフラストラクチャ所有者にどれだけ分配すべきか決定しうる。例えばコンピューティング機器は、第三者開発者のソフトウェア（またはソフトウェア更新）が屋内駐車場内の照明ノードプラットフォームへ送信される都度、料金を指し示す開発者のための代価を計算しうる。加えて、計算される料金/収益は、送信されたソフトウェアに関連して受信される任意のデータと関連付けられる金額も含みうる。特に、料金/収益は、ソフトウェアを実行する照明ノードプラットフォーム機器のうちの少なくとも一つと関連付けて送信されるデータに基づくものとしうる。例えばコンピューティング機器は、アプリケーション提供者のソフトウェアの記憶および配信についてのみならず、照明ノードプラットフォーム機器がアプリケーション提供者からのソフトウェア/スクリプトを実行したことに応答して受信され、処理された任意のデータについても、アプリケーション提供者のための料金を計算しうる。任意選択のブロック1016で、コンピューティング機器は、ソフトウェアに関連した計算された料金および/または収益を指し示すメッセージを送信する。例えばコンピューティング機器は、照明インフラストラクチャ所有者機器（例えば管理コンピュータ）、ユーザ、課金サーバ、および/またはアプリケーション開発者と関連付けられた機器へ収益計算書を送信しうる。
【００９０】
非限定的な一例では以下とおりである。アプリケーション提供者がコンピューティング機器に、アプリケーション提供者が使用するための特定のセキュリティ情報（例えば動き、ガラス破損、交通データ）を収集し、送信するように駐車場内の照明ノードプラットフォーム機器を構成するアプリケーションおよび/またはスクリプトを提供する。したがって、コンピューティング機器（例えばサービスプラットフォームコンピュータ）は、照明ノードプラットフォーム機器へのアプリケーション/スクリプトのダウンロードごと、ならびに特定のセキュリティ情報を含む送信または受信パケットごとに、アプリケーション提供者に請求する。またコンピューティング機器は、アプリケーション/スクリプトのダウンロード、ならびに特定のセキュリティ情報の最終的な送信に基づいて駐車場の所有者に支払われるべき計算された収益（または分配）を指し示すメッセージも送信する。
【００９１】
図10Bに、第三者機器からの要求に応答してソフトウェア（例えばアプリケーション）を送信するためのコンピューティング機器のための方法1050の態様を例示する。方法1050は、方法1050が開発者によって提供されるソフトウェアの幅広い配信を行うために実行されうることを除いて、前述の方法1000と同様である。例えばアプリケーション提供者（例えば行政機関）は、サービスプラットフォームコンピュータが特定の地理的領域内のすべての照明ノードプラットフォームへルーチン、スイート、またはアプリを送信することを要求することができ、実行されると、アプリ/スクリプトは、照明ノードプラットフォームに、オーディオメッセージをブロードキャストさせることができる。
【００９２】
ブロック1002で、サービスプラットフォームコンピュータなどのコンピューティング機器は、照明インフラストラクチャ機器内で実行するためのソフトウェアを受信する。ブロック1004で、コンピューティング機器は、例えば、受信したソフトウェアを、照明インフラストラクチャ所有者/ソフトウェアを開発したアプリケーション提供者のためのアカウントへのリンクを有する関係データベースに記憶することによって、ソフトウェアをアプリケーション提供者に関連して記憶する。ブロック1052で、コンピューティング機器は、ソフトウェアを宛先機器へ送信するよう求める第三者機器からの要求を受信する。例えば要求は、ソフトウェアを受信すべき特定の照明インフラストラクチャ内の照明ノードプラットフォームのリストを指し示しうる。そうした第三者機器は、自社の新しい照明ノードプラットフォームアプリケーションが特定の屋内駐車場内の照明ノードプラットフォーム機器へ配信されることを欲するアプリケーション開発者といった、アプリケーション提供者（例えばアプリ開発者）と関連付けられたコンピュータ/サーバ/機器を含みうる。様々な態様において、第三者機器は、照明インフラストラクチャ所有者と関連付けられていても、関連付けられていなくてもよい（例えば第三者機器は、照明ノードプラットフォーム機器および/またはそれらの照明ノードプラットフォームを含む屋内駐車場の所有者と直接関係していなくてよい）。ブロック1007で、コンピューティング機器は、要求側機器のセキュリティ資格情報を検証する。例えばコンピューティング機器は、第三者機器が、ソフトウェアを照明ノードプラットフォーム機器（例えば宛先機器）に送信/インストールさせるための正しい許可を有するかどうか判定しうる。
【００９３】
判定ブロック1008で、コンピューティング機器は、要求されたソフトウェアが宛先機器に関連性を有するかどうか判定する。一態様では、コンピューティング機器は、第三者機器が、宛先機器へのソフトウェアの送信をトリガするための許可を有するかどうか判定しうる。要求されたソフトウェアが関連性を有しない場合（すなわち、判定ブロック1008＝「いいえ」）、コンピューティング機器は何もせず、方法1000は終了する。一態様では、関連性判定は、ソフトウェアと共に提示された認証およびアクセス制御資格情報に基づくものとしうる。
【００９４】
しかし、要求されたソフトウェアが関連性を有する場合（すなわち、判定ブロック1008＝「はい」）、ブロック1054で、コンピューティング機器は、要求されたソフトウェアをインストールコマンド、構成データおよび他の情報と共に、宛先機器へ送信する。例えばコンピューティング機器は、ある屋内駐車場の照明ノードプラットフォームにインストールするためのバイナリおよびバイナリを抽出するためのコマンドを含むパケットをインターネット上で送信しうる。任意選択のブロック1012で、コンピューティング機器は、ファームウェア更新、アプリバイナリ更新、新しい構成データ、新しいライブラリなどといった、ソフトウェアに対する更新を受信する。任意選択のブロック1056で、コンピューティング機器は、更新を宛先機器へ送信する。任意選択のブロック1015で、コンピューティング機器は、ソフトウェアに関連した処理に基づいて料金および/または収益を計算する。任意選択のブロック1016で、コンピューティング機器は、ソフトウェアに関連した計算された料金および/または収益を指し示すメッセージを送信する。
【００９５】
図11に、LIAF内の照明ノードプラットフォームから受信したデータを処理するためのコンピューティング機器のための方法1100の態様を例示する。前述のように、LIAFは、ユーザ、照明インフラストラクチャ所有者、アプリケーション提供者などへ提供するために屋内駐車場といった照明インフラストラクチャに関連したデータを利用しうる。様々な態様において、データは、各当事者によって直接使用されてもよく、あるいは、処理され、分析され、それ以外に処理されてもよい。例えば、多数のセンサアレイからのデータが、傾向または関心対象の事前定義の状況を検出するために、サービスプラットフォーム、ゲートウェイプラットフォーム、または他の機器内で実行されているルーチンによって組み合わされ、評価され、解釈されうる。したがって、方法1100は、コンピューティング機器によって、LIAF内の照明ノードプラットフォームからのデータに関連した情報を収集し、共有するために実行されうる。一態様では、コンピューティング機器は、図5Bを参照して前述したようなデータ収集構成要素を利用するように構成されたサービスプラットフォームコンピュータとしうる。様々な態様において、方法1100は、ゲートウェイプラットフォーム機器といった、LIAF内の様々な機器または機器の組み合わせによって実行されうる。
【００９６】
ブロック1102で、コンピューティング機器は、パーキングデッキまたは車庫内の照明柱上の照明ノードプラットフォームといった、照明インフラストラクチャ内の照明ノードプラットフォームによって報告された（または収集された）データを受信する。一態様では、データはWANまたはLAN通信を介して受信されうる。
【００９７】
受信データは、ユーザアプリケーション、照明インフラストラクチャ所有者、およびLIAFと関連付けられた他の実体によって利用されうる様々なデータタイプ/カテゴリおよびコンテンツを含みうる。例えば受信データは、照明ノードプラットフォーム内のセンサから収集された生センサデータおよび/またはゲートウェイプラットフォーム機器からの処理済みデータを含みうる。特に、データは、全照明についての光エンジンごと、光エンジンチャネルごと、またはセンサごとの、照明ノードプラットフォームにおけるエネルギー使用量（例えば電圧および電流）を指し示す特定のデータを含みうる。またデータは、照明の状況を指し示す特定のデータも含んでいてよく、そうしたデータは、調光をトリガするための温度閾値またはエネルギーコスト、調光パーセンテージ（例えば二段階調光パーセンテージ）、検出間隔および報告間隔の設定を含む光状況の報告といった管理状況を含みうる。光状況情報は、照明の現在の状況（例えば、オンまたはオフ、調光されている、調光量/パーセンテージ、故障した、または異常なLEDチャネルの有無など）といった動作状況をさらに含みうる。またデータは、環境データ（例えば、照明ノードプラットフォームのところの温度、湿度、および大気圧）、ならびに照明データ（例えば、周囲光、青/赤光色など）を指し示す特定のデータも含みうる。受信データは、オーディオデータ、人検知データ（例えば、区域内の1人の人、複数の人、センサ視認性の持続期間、区域内で検知された人の数など）、車両検知データ（例えば、検知された1台の車両もしくは複数の車両、センサ視認性の持続期間など）、ならびに/または車両詳細センサデータ（例えば、カウント、タイプ、メーカ、車種、ナンバープレート認識、および色認識）を含みうる。
【００９８】
またデータは、二酸化炭素、一酸化炭素、メタン、天然ガス、酸素、プロパン、ブタン、アンモニア、硫化水素といった、照明ノードプラットフォーム内のセンサによって検出されたガスを指し示す特定のデータも含みうる。他のタイプのデータは、加速度計状況、侵入検知器状況、Bluetooth MACアドレス、アクティブ、パッシブ、およびハイブリッドRFIDタグデータ、ISO-18000-7データ、ならびにDASH7データを含みうる。
【００９９】
様々な態様において、受信データは、特定のアプリケーションに関連したデータ（または特定用途向けセンサデータ）も含みうる。特定用途向けセンサデータは、照明柱の基部のところのカバーを無許可で開ける行為または照明器具を無許可で開ける行為を検知するのに使用されうる照明柱の基部または照明器具のところの侵入センサによって収集されるデータを含みうる。特定用途向けセンサデータは、侵入、地震、および/または照明柱損傷に関連した振動を検知するのに使用されうる照明ノードプラットフォーム内の振動センサによって収集されるデータを含みうる。特定用途向けセンサデータは、動き、その動きの方向およびその動きのタイプを検出するのに使用されうる照明ノードプラットフォームのところの動きセンサによって収集されるデータを含みうる。受信データは、後述するように、相関データ、カスタムデータ、および/または集約データも含みうる。
【０１００】
コンピューティング機器は受信データを、様々な事前定義の事件、イベント、条件、および他の重要情報を検出するように処理しうる。したがって、ブロック1104で、コンピューティング機器は、受信データを分析することにより、侵入、発砲、実体の検出といった、事前定義のイベントの発生を検出する。前述のように様々なデータを構文解析し、突き合わせ、変換し、解釈し、分析し、それ以外に処理することにより、照明インフラストラクチャにおいてある条件が満たされたか、それとも満たされていないかが判定されうる。例えば、受信データを記憶されたデータパターンと比較し、または閾値と比較して評価することにより、既知のイベントまたは条件が検出されうる。特に、受信した侵入センサデータに基づき、コンピューティング機器は、照明柱の基部のところのカバーを無許可で開ける行為または照明器具を無許可で開ける行為を検知しうる。受信した振動センサデータの評価に基づき、コンピューティング機器は、侵入、地震、および/または照明柱損傷を検知しうる。受信した動きセンサデータの評価に基づき、コンピューティング機器は、動き、その動きの方向、およびその動きのタイプを検出しうる。受信したオーディオセンサデータの評価に基づき、コンピューティング機器は、ガラス破損イベント、群集形成、発砲イベント、車両エンジンオン/オフイベント、車両タイヤ騒音イベント、車両ドア閉め騒音イベント、人間のコミュニケーションイベント（例えば、わめく、話すなど）、人間の悲鳴（distress noise）イベント（例えば、検出された音声オーディオデータのピッチおよび音量など）、複数の人間のコミュニケーションイベント（例えば異なる音声の存在など）を検出しうる。一態様では、受信データを評価することにより人の存在が検出されうる。例えば、受信データに基づき、コンピューティング機器は、1人の人、複数の人々、照明インフラストラクチャの近く/内部にいる人の数を検出しうる。別の態様では、コンピューティング機器は、受信データを評価することにより、1台の車両、複数の車両といった車両、およびセンサ視認性の持続期間を検知しうる。さらに受信データは、車両カウント、またはメーカ、車種、色などに関する情報を検出するのに使用されうる。
【０１０１】
ブロック1106で、コンピューティング機器は、複数のソースと関連付けられたデータ（例えば受信データ内のデータ）を分析することにより、事前定義のイベントまたは条件の発生を検出する。言い換えると、コンピューティング機器は、あるソース（例えばある照明ノードプラットフォーム機器）からの受信データを他のソース（例えば他の照明ノード）からのデータと組み合わせ、処理することにより、単一のデータソースからのデータに基づくだけでは見えない可能性のある条件（または相関イベント）の存在を判定しうる。様々な態様において、ブロック1106の分析は、複数の照明ノードプラットフォームから受信したセンサデータを相関させること（すなわち相関データ）および/または単一の照明ノードプラットフォーム内の複数のセンサからのデータを組み合わせ、分析することを伴いうる。例えば、照明インフラストラクチャの照明ノードプラットフォーム内の動き検出器および人検知器からのセンサデータを分析することにより、照明を点灯し、消灯し、暗くし、または明るくする照明機能（またはコマンド）を作動または送信すべきことが決定されうる。別の例としては、動きセンサデータおよび人カウントデータを分析することにより、動き検出を伴う人のカウントが求められて、セキュリティ、小売活動または交通関連のイベントに関する情報が提供されうる。さらに別の例としては、車両検知データと結合された動き検出データを分析することにより、施設のセキュリティの侵害を指し示すことができる。複数のセンサからの動きセンサデータとオーディオデータを相関させることにより、ガラス破損イベント、群集形成、発砲イベント、人の話し声、タイヤ騒音（例えば、きしり音、高速走行など）が検出されうる。
【０１０２】
時間データ収集を行い、前述のようなセンサからのデータと組み合わせることにより、施設の開場時間中および閉場時間中の動き（例えば、車庫の正常な時間帯対異常な時間帯の活動）が検出されうる。周囲光と動き検出を相関させることにより、照明制御イベントの発生が検出されうる。センサからの動きデータおよびビデオ画像は、分析を行って、動き検出のような目だったイベントを検出しうる。動き、オーディオ、およびビデオ画像、ならびに動き、オーディオを相関させることができ、車両検知およびビデオ画像（またはフレーム）を相関させることもできる。一態様では、様々な環境センサから受信したデータを相関させることができる（例えば、温度と湿度、温度と気圧など）。別の態様では、環境センサデータとガスセンサデータを相関させることによりパターン（例えば空気条件など）が検出されうる。
【０１０３】
動きと車両カウントまたは動きとオーディオといった、複数のデータソース（例えばセンサ）を分析することは、任意選択のブロック1116を参照して後述するように、様々な動作を実行し、またはコマンドを送信するための情報の生成に役立ちうる。例えば、動き検出センサに結合された光度センサは、照明制御に役立つ情報を提供することができ、動き検出データをビデオと組み合わせることによりある特定のデータをあるイベントが発生するときにだけ取り込ませ、それによって帯域幅および/またはビデオデータ記憶空間を節約することができ、現在のセンサデータと履歴センサデータ（例えば交通流パターン）を相関させることにより、制御信号の送信を設定し、または調整することができる。
【０１０４】
ブロック1108で、コンピューティング機器は、データを分析することにより傾向を特定し、かつ/または前もってイベントを予測する。言い換えると、受信データの分析により、LIAFと関連付けられた機器および/または実体にとって関心対象となりうるまたは重要となりうる将来のイベント（または事前定義のイベントの将来の発生）を識別するのに使用されうる事前定義のパターンが発見されうる。例えばコンピューティング機器は、受信データを履歴センサデータと比較して分析することにより、特定の照明ノードプラットフォームからのセンサデータに関連した統計情報を識別しうる。別の例では、オーディオセンサデータから検出された発砲イベントの判定に基づき、コンピューティング機器は、車庫へ緊急サービスを呼ぶ必要がありうることを予測しうる。あるいは、照明ノードプラットフォームの下でのCO2排出イベントの検出に基づき、コンピューティング機器は、車両が特定の駐車スペースから退出しようとしていることを予測しうる。一態様では、コンピューティング機器は、記憶された受信データを分析することにより、車庫が空車/満車になる時間帯、ガラス破損のパターン、および/または「助けて！」という悲鳴の音声（例えば、組織的犯罪の指し示し）といった再発条件を識別しうる。例えば、屋内駐車場内のある特定の照明ノードプラットフォームからの履歴オーディオセンサデータの分析に基づき、コンピューティング機器は、駐車した車が、ある特定の時間帯、曜日にきまって侵入を受けることを特定しうる。
【０１０５】
ブロック1110で、コンピューティング機器は、例えば、照明インフラストラクチャ内の照明ノードプラットフォームから受信したセンサデータを平均することにより、一定期間にわたって受信したデータを集約する。集約は、平均、正規化、補正処理といった様々な技法を使用して代表的なデータセットを生成することを含みうる。集約は、照明ノードプラットフォームおよび/または照明インフラストラクチャのグループのための代表値を生成するのに使用されうる。集約データは、あるサイトにおける照明器具タイプ（例えば、柱上照明器具および壁パック照明器具）;環境的に保護された照明器具対保護されていない照明器具;露出された区域外の照明器具といった共通の特性を共有する照明ノードプラットフォーム、ある特定の照明区域（例えば、通路、駐車場、私道）内の照明ノードプラットフォーム、ある特定の施設タイプ（製造、研究開発）内の照明ノードプラットフォーム、ある特定の企業領域（例えば、国際対国内）内の照明ノードプラットフォームなどの特定のグループに関する情報を表すために生成されうる。一態様では、コンピューティング機器は、器具タイプ、施設、施設タイプ、および/または地理的領域ごとのグループ化を表すために電力使用量データを集約しうる。別の態様では、環境感知に関連した集約が、地理的区域または施設タイプについて集約されうる。別の態様では、コンピューティング機器は、時間帯といったユーザ指定の基準に基づいてデータを集約しうる。
【０１０６】
LIAFと関連付けられた様々なアプリケーションが集約データを利用しうる。例えば、セキュリティアプリケーションは、地理的区域または施設タイプについての集約を利用し、交通アプリケーションは、時間帯、週、月、年ごとの、または地理的区域（例えば、学校区域対小売業区域）ごとの集約を使用し、小売アプリケーションは、時間帯、週、月などごと、ならびに地理的区域または施設タイプ（例えば、モール対小規模買物圏）ごとの集約を利用しうる。
【０１０７】
ブロック1112で、コンピューティング機器は、受信データやブロック1104〜ブロック1110の動作から生成された任意の分析情報といったデータを、報告側の照明ノードプラットフォームおよび/または関連した照明インフラストラクチャに関連して記憶する。例えばコンピューティング機器は、集約した光センサデータを、集約した光センサデータを報告する照明ノードプラットフォームを含む屋内駐車場実体と関連付けられたデータベースレコードに関連して記憶しうる。別の例として、コンピューティング機器は、特定の照明ノードプラットフォームにリンクされたデータベースファイルに、受信データで報告されたすべてのオーディオ、ビデオ、および動きセンサデータを記憶しうる。
【０１０８】
ブロック1114で、コンピューティング機器は、例えば、データ報告を第三者機器、照明インフラストラクチャ機器、およびユーザによって使用されるウェブページへ送信することによって、データおよび/または分析を報告するメッセージを送信する。そうしたメッセージは、アプリケーション提供者によってエンドユーザへ送信されるアプリケーションといったアプリケーションによって使用されうる。例えばメッセージは、将来の侵入といった予測される事前定義のイベントを含みうる。
【０１０９】
任意選択のブロック1116で、コンピューティング機器は、受信データおよび/または分析に基づくコマンドも送信する。例えばコンピューティング機器は、コマンド、動作命令、スクリプト、ソフトウェア、制御命令、構成データ、および他の情報を、方法1100の動作に基づいて、ゲートウェイプラットフォーム、照明ノードプラットフォーム、サイトコントローラ、および他の機器へ送信しうる。例えばコマンドは、ある一定の期間中にパーキングデッキに入場する車が1台もないという傾向の特定に基づいて、照明ノードプラットフォーム（または照明ノードプラットフォームに結合されたセンサ）がその照明を調光するための命令を含みうる。一態様では、特定された傾向、集約データ、相関データもしくは情報または他のデータ評価に基づいて、コンピューティング機器は、機器に、センサ感度を上げ、構成要素を作動解除し、照明ノードプラットフォームの動作パラメータを調整するよう命令するコマンドを送信するように構成されうる。様々な態様において、コンピューティング機器は、アプリケーション、記憶されたプロトコル、またはアプリケーション提供者、照明インフラストラクチャ所有者、および/もしくはユーザから受信した他の要求に基づいてコマンドを送信しうる。任意選択のブロック1118で、コンピューティング機器は、続けてブロック1102の動作を行う前に、一定期間待機する。
【０１１０】
一態様では、カスタムアプリケーションの開発により、収集され、カスタムアプリケーションおよびサービスへ転送されるべきデータ、照明ノードプラットフォームにおいてデータに基づいて実行されるべき動作、アプリケーションまたはアプリケーションサービスへ転送されうるデータのフォーマット、ならびに履歴データの管理をユーザ（またはアプリケーション提供者）が指定することを可能としうる。カスタムデータは、さらに、センサからの生のカスタムデータを用いて作成されてもよく、生のカスタムデータは、ユーザ指定の基準に基づいてフィルタリングまたは識別されうる。一つの可能な例が、時間帯によってフィルタリングされるカスタムデータである。これは、集約データおよび相関データを含む特別に適合されたデータの提示のためのデータの分析およびフィルタリングを可能にしうる。
【０１１１】
LIAFによって受信され、処理されるデータは、多数のオープンアプリケーションによる用途を提供するのに使用されうる。照明ノードプラットフォームはデータを収集するための様々なセンサを含むだけでなく、屋内駐車場や施設といった様々なシナリオ内で配置されうるため、LIAFは、LIAF事業者、照明インフラストラクチャ所有者、アプリケーション提供者、および最終的にはエンドユーザによって使用されうるデータにアクセスしうる。図12A〜図13に、LIAF内の照明ノードプラットフォームと関連付けられるデータを利用するアプリケーションの態様の図を示す。
【０１１２】
図12Aは、駐車場管理アプリケーション1220の態様を例示する図示1200である。そうしたアプリケーションでは、様々な駐車区域1202に設置された照明ノードプラットフォーム104は、前述のようなシステムを用いて相互にネットワーク接続され、さらには、サイトコントローラ1210へ結合されうる。前述の技術を用いて、照明ノードプラットフォーム104に関する情報がサイトコントローラ1210へ報告されうる。特に、照明ノードプラットフォーム104は、駐車区域1202（例えば屋内駐車場）内の様々な駐車スペースの上方に位置決めされた一連の車両検知センサ1203、1204、1205に接続されうる。代替の態様では、照明ノードプラットフォーム104は、駐車車両識別を可能にする画像センサを含みうる。センサ1203、1204、1205は、センサの下方に駐車された車両の有無を検知する任意の周知の技術を用いて動作しうる。この実装では、各センサ1203、1204、1205は、スペースが空いているか、占有されているか、それとも予約されているか表示するLED（例えば、空きでは点灯し、占有では黒い/点灯しないなど）を含む。例えば、グレーのセンサ1203は予約済みスペースを指し示し、白いセンサ1204は空きスペースを指し示し、黒いセンサ1205は占有スペースを指し示しうる。これは、駐車区域1202内の運転者が空きスペース、使用スペース、および予約済みスペースを探し出すことを可能にしうる。またこれにより、車庫所有者が、駐車場全体を目視で点検せずに、スペースが利用可能であるときにそれを確認することも可能となりうる。
【０１１３】
センサ1203、1204、1205は、上記のシステムについて説明したように、有線または無線技術を用いて照明ノードプラットフォーム104に結合されうる。照明ノードプラットフォーム104は、サイトコントローラ1210と通信しうる。前述のように、サイトコントローラ1210は、ユーザインターフェースを含むゲートウェイプラットフォーム機器としうる。このサイトコントローラ1210は、ローカルサイトのユーザが、サービスプラットフォーム110からのデータにアクセスせずに、照明ノードプラットフォーム104（または任意のゲートウェイプラットフォーム）からのデータを直接確認することを可能にしうる。一態様では、サイトコントローラ1210は、ビル管理サービスまたは「BMS」を実行するように構成されている機器1214といった他の機器1214に接続されうるローカルエリアネットワーク（LAN）1212上で収集データを送信しうる。例えば機器1214は、商用ビル内の暖房、換気、空調などのシステムを管理する第三者サービス/アプリケーションを実行するように構成されうる。一態様では、機器1214は、サイトコントローラ1210から、報告、センサデータ、および他のイベント情報を受信しうる。またサイトコントローラ1210からのデータは、図11を参照して前述したように、サービスプラットフォーム110コンピューティング機器による処理のために広域ネットワーク112（例えばWANやインターネット）上でも送信されうる。
【０１１４】
サービスプラットフォーム110コンピューティング機器は、前述のように受信データを収集し、編成し、分析し、集約し、それ以外に処理しうる。例えば、サービスプラットフォームのコンピューティング機器は、サイトコントローラ1210から受信した履歴車両検知データに基づいて、一定期間にわたる駐車区域1202における傾向を予測しうる。
【０１１５】
LIAFシステム（ならびにサービスプラットフォーム110によって処理されるデータ）は、例えば、アプリケーション1220を実行しているモバイル機器とのWAN接続を介して、駐車場管理アプリケーション1220を用いて1または複数のユーザ機器1216によってアクセスされうる。一態様では、アプリケーション1220は、SaaS（Software As A Service）モデルに基づいてアクセスされうる（例えば、アプリケーション/関連アプリケーションデータへのアクセスに基づいて収益が生成されうる）。そうしたアプリケーション1220を用いて、ユーザ機器1216は、LIAFのデータにアクセスすることにより、駐車場の空き状況（例えば、一定期間にわたる、現在の、傾向など）を判定し、おそらくはスペースを予約しうる。一態様では、ユーザ機器1216は、アプリケーション1220の使用に基づいて、アプリケーション提供者へ、あるいはサービスプラットフォーム110または駐車区域1202の所有者へ料金を送信しうる。
【０１１６】
図12Bに、車両を駐車区域へ、例えば、利用可能なスペースへ、かつ/または出口へ誘導するLIAFのためのアプリケーションの別の態様を例示する。特に、図示1250および図示1275には、駐車区域1202（例えば屋内駐車場）内の車両1252、少なくとも動きおよび車両を検知するためのセンサに接続されうるまたはそれ以外にセンサを装備しうる照明ノードプラットフォーム104、照明ノードプラットフォーム104に接続されたLED（またはLEDセンサ）の第1のアレイ1254、第1の空き駐車スペース1255、照明ノードプラットフォーム104に接続されたLED（またはLEDセンサ）の第2のアレイ1256、ならびに第2の空き駐車スペース1257が示されている。前述のように、アレイ1254、1256のLEDは、駐車区域の床、天井、および/または壁の内部に（例えば、駐車構造物コンクリート/舗装面内に）埋め込まれると共に、有線接続または無線接続を介して照明ノードプラットフォーム104に接続されうる。様々な態様において、アレイ1254、1256のLEDは、照明ノードプラットフォーム自体とすることができる（例えば、照明ノードプラットフォーム機器内の光源は、点灯もしくは消灯したり、色/輝度を変更したり、点滅したりするように構成されうる）。
【０１１７】
図示1250では、アレイ1254、1256は点灯していない（すなわちLEDは黒い）。言い換えると、アレイ1254、1256のLEDはニュートラルな状態にありうる。車両1252に関連した車両検知センサデータおよび動きセンサデータ（および動き方向データ）に基づいて、照明ノードプラットフォーム104は、サイトコントローラ（不図示）へ、よってサービスプラットフォーム（不図示）へ、車両1252が特定の場所で検出され、駐車区域内の特定の方向へ進んでいることを指し示すデータを中継しうる。サービスプラットフォームあるいはサイトコントローラは、そのデータを処理することにより、その検出された車両1252がどのように（例えばどんな方向に）移動しているか判定しうる。サービスプラットフォームは、車両およびその進行方向の検出を、駐車区域内の様々な空き駐車スペース1255、1257を指し示すデータと相関させうる。この情報に基づき、サービスプラットフォームは、車両が駐車するのに最も近い、最も好都合な、またはそれ以外に最適な空きスペースを決定しうる。例えば、車両1252が第2の空き駐車スペース1257をすでに通過したと判定される場合、第1の空き駐車スペースは、車両1252が回って折り返し、または逆方向に進むことを必要としないはずであるため、より適切な目的地となりうる。
【０１１８】
照明ノードプラットフォーム104からの受信データの処理に基づき、サービスプラットフォームは、移動中の車両を第1の空き駐車スペース1255へ誘導するために第1のアレイ1254を作動または点灯すべきことを指し示すサイトコントローラへ、よって、照明ノードプラットフォーム104へコマンド、命令、またはソフトウェアを送信しうる。これは図示1275に示されており、図示1275では、第1のアレイ1254のLEDは白い（または点灯している）。様々な態様において、サービスプラットフォーム（またはサイトコントローラ）からのコマンドは、様々なLEDに、車両1252を誘導するために経路内の後続のLEDを順次に点灯するといった、パターンで点灯するよう命令しうる。
【０１１９】
図13は、照明管理アプリケーション1320の態様を例示する図示1300である。そうしたアプリケーションでは、様々な駐車区域1202、1302に設置された照明ノードプラットフォーム104は、前述のようなシステムを用いて相互にネットワーク接続され、さらには、サイトコントローラ1210へ結合されうる。前述の技術を用いて、電力消費、オン/オフ活動状態、センサ活動状態といった照明ノードプラットフォーム104に関する情報がサイトコントローラ1210へ報告されうる。加えて、サイトコントローラ1210は、性能データ（例えば、LEDの温度、ドライバの温度、順方向電流など）および/または状況データ（例えば、光およびセンサデータ状況情報）も収集しうる。一態様では、サイトコントローラ1210は、他の機器1214（例えばBMS機器1214）に接続されうるローカルエリアネットワーク（LAN）1212上で収集データを送信しうる。
【０１２０】
またサイトコントローラ1210からのデータは、図11を参照して前述したように、サービスプラットフォーム110コンピューティング機器による処理のために広域ネットワーク112（例えばインターネット）上でも送信されうる。例えば、サービスプラットフォームコンピューティング機器は、照明ノードプラットフォーム104から収集されたデータを分析することにより、発砲といったイベントの発生、駐車スペースの高占有率といった傾向情報、および集約データ（例えば、様々な期間にわたる平均の車両の動きなど）を判定しうる。特に、サービスプラットフォーム110は、受信データを処理することにより、照明インフラストラクチャ内の誤動作している照明や非効率的な照明といった、予防的な保守を必要とする条件を検出するように構成されうる。
【０１２１】
LIAFシステム（ならびにサービスプラットフォーム110によって処理されるデータ）は、サービスプラットフォーム110によるデータの処理に基づいてサービスが必要とされるとき、または他の注意が必要であるときにそれを決定するために、照明保守アプリケーション1320を用いて一つまたは複数の保守会社1304によってアクセスされうる。あるいは、照明保守アプリケーション1320は、単に、外部のシステムまたはアルゴリズムで処理するために照明ノードプラットフォーム104から保守会社1304へ生データを送信するだけでもよい。保守会社1304はアプリケーション1320にアクセスするための料金を支払い、アプリケーション（または関連付けられたアプリケーション提供者）はLIAFを介してセンサ情報にアクセスし、センサ情報をサポートするための料金を支払いうる。そうした態様では、照明インフラストラクチャ所有者（すなわち、駐車区域1202、1302の所有者）は、LIAFからの直接料金よりもむしろ低い保守料金および高い照明インフラストラクチャ品質を期待しうる。言い換えると、アプリケーション1320の使用のために保守会社1304によって支払われる任意の収益の一部分を受け取るのではなく、照明インフラストラクチャ所有者は、より適切に保守される施設から利益を得るこことができる。一態様では、アプリケーション1320は、SaaS（Software As A Service）に基づいてアクセスされうる。
【０１２２】
別の態様では、LIAFは、倉庫全体に位置決めされた一連のRFIDタグセンサを含む照明ノードプラットフォームを備える、前述のシステムのための倉庫在庫アプリケーションを実装するのに使用されうる。これらのタグリーダは、倉庫内の様々な品目上のRFIDタグを検出しうる。本明細書で記述するような照明ノードプラットフォームのネットワークを用いて、タグリーダは、サイトコントローラおよび/またはサービスプラットフォームへ情報を提供し、よって、倉庫に保管された品目のための位置データおよび倉庫の資材の搬入および搬出のモニタリングを可能にしうる。一態様では、ユーザ機器は、サービスプラットフォームと通信して品目情報にアクセスする在庫ソフトウェア（または在庫アプリケーション）を実行するように構成されうる。一態様では、在庫ソフトウェアは、ユーザが、サイトコントローラ、ゲートウェイプラットフォーム、および/または照明ノードプラットフォームから直接在庫情報にアクセスできるようにすることにより、効率のよいローカルシステム使用を可能にしうる。別の態様では、LIAFは、出荷ターミナルをモニタするのに使用されうる。この場合、出荷ターミナルと入荷ターミナルのところで照明ノードプラットフォームに接続されたセンサが、出荷場と入荷場へのコンテナの搬入および搬出に関するデータを収集しうる。その情報は、それらの場所にある照明ネットワーク（照明ノードプラットフォーム、ゲートウェイプラットフォームなど）を介してサイトコントローラへ送信され、サイトコントローラは次いでその情報をインターネット上で送信することにより、コンテナを発送元から発送先まで追跡しうる。
【０１２３】
本明細書では、直前に詳述した具体的な実装を含めて、ある個別的態様を記述しているが、多種多様な実装が照明インフラストラクチャアプリケーションフレームワーク内でなされてよく、様々な態様において、機能が単一のシステムによってマージされ、実行されうることが理解されるであろう。したがって、単一の態様が、特定の機能を含めて本明細書で記述するすべての機能を提供してもよいが、代替の態様では、様々な限定機能、または限定機能の混合が提供されてよく、機能の限定および混合は、センサ、機器、時間、帯域幅、または本明細書で記述する具体的態様の性能を限定しうる任意のそうしたシステム構造によって限定される。
【０１２４】
図14に、様々な態様での使用に適するコンピューティングシステム1400の図を例示する。コンピュータシステム1400は、前述のような任意の照明ノードプラットフォーム（もしくは照明ノードプラットフォーム機器）、ゲートウェイプラットフォーム（もしくはゲートウェイプラットフォーム機器）、センサ、コントローラ、ユーザ機器、および/またはサービスプラットフォーム（もしくはサービスプラットフォームコンピュータ）といった、前述のコンピュータ化ディジタル値の一部として組み入れられうる。同様に、様々な態様によるLIAFシステムの任意の構成要素、要素、またはモジュールも、様々なモジュール機器またはネットワーク化機器およびサーバを含めて、コンピュータシステム1400を含みうる。さらに、コンピューティングシステム1400は、前述の様々な方法の態様を実行するように構成されうる。
【０１２５】
図14は、様々な構成要素の一般化された例示を提供するためのものにすぎず、様々な構成要素のいずれかまたは全部が適宜利用されてよい。したがって図14には、個別システム要素が相対的に別個に、または相対的より統合されてどのように実装されうるかが例示されている。
【０１２６】
コンピュータシステム1400は、バス1405を介して電気的に結合されうる（またはそれ以外の方法で適宜通信しうる）ハードウェア要素を含みうる。ハードウェア要素は、それだけに限らないが、一つまたは複数の汎用プロセッサおよび/または一つまたは複数の専用プロセッサ（例えば、ディジタル信号処理チップ、グラフィックスアクセラレーションプロセッサなど）を含む一つまたは複数のプロセッサ1410;それだけに限らないが、マウス、キーボードなどを含みうる一つまたは複数の入力機器1415;ならびにそれだけに限らないが、表示装置、プリンタなどを含みうる一つまたは複数の出力機器1420を含みうる。
【０１２７】
コンピュータシステム1400は、一つもしくは複数の非一時的な記憶装置1425をさらに含んでいてよく（および/または一つもしくは複数の非一時的な記憶装置1425と通信していてよく）、非一時的な記憶装置1425は、それだけに限らないが、ローカル記憶および/またはネットワークアクセス可能記憶を含んでいてよく、かつ/または、それだけに限らないが、ディスクドライブ、ドライブアレイ、光記憶装置、固体記憶装置を含んでいてよく、固体記憶装置は、例えば、ランダムアクセスメモリ（「RAM」）および/または読取り専用メモリ（「ROM」）であり、プログラマブル、フラッシュアップデート可能などとすることができる。そうした記憶装置は、それだけに限らないが、様々なファイルシステム、データベース構造などを含む任意の適切なデータストアを実装するように構成されうる。
【０１２８】
またコンピュータシステム1400は通信サブシステム1430も含んでいてよいはずであり、通信サブシステム1430は、それだけに限らないが、モデム、ネットワークカード（無線または有線）、赤外線通信機器、無線通信機器および/もしくはチップセット（例えば、Bluetooth（商標）機器、802.11機器、WiFi機器、WiMax機器、セルラ通信施設など）、ならびに/または類似した通信インターフェースを含みうる。通信サブシステム1430は、データが、（一例を挙げると後述するネットワークといった）ネットワーク、他のコンピュータシステム、および/または本明細書で記述する任意の他の機器と交換されることを可能にしうる。多くの態様において、コンピュータシステム1400は、非一時的な作業メモリ1435をさらに含むことになり、作業メモリ1435は、前述のようなRAMまたはROMを含みうる。
【０１２９】
またコンピュータシステム1400は、現在作業メモリ1435内に位置するものとして示されているソフトウェア要素も含んでいてよく、ソフトウェア要素は、オペレーティングシステム1440、デバイスドライバ、実行可能ライブラリ、および/または一つもしくは複数のアプリケーションプログラム1445といった他のコードを含み、他のコードは、様々な態様によって提供されるコンピュータプログラムを含み、ならびに/または、本明細書で記述するように、他の態様によって提供される方法を実装し、かつ/もしくはシステムを構成するように設計されうる。単なる例示にすぎないが、前述の方法を参照して記述した一つもしくは複数の手順は、コンピュータ（および/またはコンピュータ内のプロセッサ）によって実行可能なコードおよび/または命令として実装されてもよいはずであり;一局面では、その場合、そうしたコードおよび/または命令は、前述の方法による一つまたは複数の動作を実行するように汎用コンピュータ（または他の機器）を構成し、かつ/または適合させるのに使用されうる。
【０１３０】
これらの命令および/またはコードのセットは、前述の記憶装置1425といったコンピュータ可読記憶媒体上に記憶されうるはずである。場合によっては、記憶媒体は、コンピュータシステム1400といったコンピュータシステム内に組み入れられうるはずである。他の態様では、記憶媒体は、コンピュータシステムとは別個のもの（例えば、コンパクトディスクといった取り外し可能媒体）とし、かつ/またはインストールパッケージとして提供されてもよいはずであり、記憶媒体は、記憶媒体上に記憶された命令/コードを用いて汎用コンピュータをプログラムし、構成し、かつ/または適合させるのに使用されうる。これらの命令は、コンピュータシステム1400によって実行可能な実行可能コードの形を取りうるはずであり、かつ/または、（例えば、様々な一般的に利用可能なコンパイラ、インストールプログラム、圧縮/伸張ユーティリティなどを用いて）コンピュータシステム1400上でコンパイルされ、かつ/またはインストールされると、実行可能コードの形を取るソースコードおよび/もしくはインストール可能コードの形を取りうるはずである。
【０１３１】
具体的な要件に従って大幅な変形がなされうる。例えば、カスタマイズされたハードウェアも使用されうるはずであり、かつ/または特定の要素がハードウェア、（アプレットなどといったポータブルソフトウェアを含む）ソフトウェア、またはその両方として実装されうるはずである。さらに、ある機能を提供するハードウェア構成要素および/またはソフトウェア構成要素が（特化）された構成要素を有する専用のシステムを構成してもよく、より包括的なシステムの一部であってもよい。例えば、センサまたはコントローラによる活動の選択に関連して本明細書で記述した特徴の一部または全部を提供するように構成された活動選択サブシステムが、特化された（例えば、特定用途向け集積回路（ASIC）、ソフトウェアメソッドなど）、または汎用の（例えば、プロセッサ1410、アプリケーションプログラム1445など）ハードウェアおよび/またはソフトウェアを含んでいてよい。さらに、ネットワーク入力/出力機器といった他のコンピューティング機器への接続も用いられうる。
【０１３２】
いくつかの態様は、（コンピュータシステム1400といった）コンピュータシステムを用いて開示の方法を実行しうる。例えば、前述の方法の手順の一部または全部が、作業メモリ1435に含まれる（オペレーティングシステム1440および/またはアプリケーションプログラム1445といった他のコードに組み入れられうるはずの）一つまたは複数の命令の一つまたは複数のシーケンスをプロセッサ1410が実行したことに応答して、コンピュータシステム1400によって実行されうる。そうした命令は、記憶装置1425のうちの一つまたは複数といった、別のコンピュータ可読媒体から、作業メモリ1435に読み込まれうる。単なる例示にすぎないが、作業メモリ1435に含まれる命令のシーケンスを実行することにより、プロセッサ1410に、本明細書で記述する方法の一つまたは複数の手順を実行させうるはずである。
【０１３３】
「機械可読媒体」および「コンピュータ可読媒体」という用語は、本明細書で使用する場合、機械に特定のやり方で動作させるデータの提供に関与する任意の媒体をいう。コンピュータシステム1400を用いて実装される一態様では、様々なコンピュータ可読媒体が、実行のためのプロセッサ1410への命令/コードの提供に関与し、ならびに/またはそうした命令/コードを（例えば信号として）記憶し、かつ/もしくは搬送するのに使用されうるはずである。多くの実装において、コンピュータ可読媒体は、物理的な、かつ/または有形の記憶媒体である。そうした媒体は、それだけに限らないが、不揮発性媒体、揮発性媒体、および伝送媒体を含む多くの形態を取りうる。不揮発性媒体は、例えば、記憶装置1425といった光ディスクおよび/または磁気ディスクを含む。揮発性媒体は、それだけに限らないが、作業メモリ1435といった動的メモリを含む。伝送媒体は、それだけに限らないが、バス1405を構成するワイヤを含む、同軸ケーブル、銅線および光ファイバ、ならびに通信サブシステム1430の様々な構成要素（および/または通信サブシステム1430が他の機器との通信を提供するための媒体）を含む。よって、伝送媒体は波の形も取りうる（波は、それだけに限らないが、電波および赤外線データ通信時に生成される波のような、電波、音波、および/または光波を含む）。他方、非一時的な記憶媒体はそうした形を取らなくてよく、様々な態様において、機械に特定のやり方で動作させるデータの提供に関与する任意の記憶媒体が、非一時的な記憶媒体を用いて実装されうる。
【０１３４】
物理的な、かつ/または有形のコンピュータ可読媒体の一般的な形態は、例えば、フロッピーディスク、フレキシブルディスク、ハードディスク、磁気テープ、もしくは任意の他の磁気媒体、CD-ROM、任意の他の光媒体、パンチカード、紙テープ、孔のパターンを有する任意の他の物理媒体、RAM、PROM、EPROM、Flash-EPROM、任意の他のメモリチップもしくはカートリッジ、後述する搬送波、またはコンピュータがそこから命令および/もしくはコードを読み取りうる任意の他の媒体を含む。
【０１３５】
様々な形態のコンピュータ可読媒体が、一つまたは複数の命令の一つまたは複数のシーケンスを実行のためにプロセッサ1410へ搬送するのに関与しうる。単なる例示にすぎないが、命令は、最初に、リモートコンピュータの磁気ディスクおよび/または光ディスク上で保持されうる。リモートコンピュータは、命令をその動的メモリへロードし、その命令を、コンピュータシステム1400によって受信されかつ/または実行されるべき伝送媒体上の信号として送信しうるはずである。これらの信号は、電磁信号、音響信号、光信号などの形を取りうるはずであり、すべて、様々な態様による、その上で命令が符号化されうる搬送波の例である。
【０１３６】
通信サブシステム1430（および/またはその構成要素）は一般に信号を受信し、次いでバス1405は、信号（および/または信号によって搬送されたデータ、命令など）を作業メモリ1435へ搬送しうるはずであり、プロセッサ1405は作業メモリ1435から命令を取得し、実行する。作業メモリ1435によって受け取られた命令は、任意選択で、プロセッサ1410による実行の前または後に、非一時的記憶装置1425上に記憶されうる。
【０１３７】
前述の方法、システム、および機器は例である。様々な態様は適宜、様々な手順または構成要素を省略し、代用し、または追加しうる。例えば、代替の構成では、前述の方法は、前述の順序と異なる順序で実行されてよく、ならびに/または様々な段階が追加され、省略され、かつ/もしくは組み合わされてよい。また、ある態様に関して記述した特徴が、様々な他の態様において組み合わされてもよい。各態様の異なる局面および要素も同様に組み合わされてよい。また、技術は進化するものであり、よって、要素の多くは、本開示の範囲をそれらの具体例だけに限定しない例である。さらに、「その後に（thereafter）」、「次いで（then）」、「次に（next）」などといった語は、工程の順序を限定するためのものではない。これらの語は単に、読み手に方法の記述を手引きして示すために使用されるものである。さらに、例えば、冠詞の「一つの（a）」、「一つの（an）」、または「その（the）」を用いた、単数形の請求要素への言及はいずれも、その要素を単数形だけに限定するものと解釈すべきではない。
【０１３８】
説明では各態様の十分な理解を提供するために具体的詳細が与えられている。しかし、各態様はこれらの具体的詳細なしでも実施されうる。例えば、周知の回路、プロセス、アルゴリズム、構造、および技法は、各態様をあいまいにしないように、不要な詳細なしで示されている。本明細書は例示的態様を提供するにすぎず、本発明の範囲、適用性、または構成を限定するためのものではない。そうではなく、各態様の上記説明は当業者に、本発明の態様の実装を可能にする説明を提供するであろう。本発明の趣旨および範囲を逸脱することなく、要素の機能および配置に様々な変更が加えられうる。
【０１３９】
また、いくつかの態様を、プロセス矢印を伴ったフローとして図示されるプロセスとして記述した。各プロセスは順次プロセスとして動作を記述しうるが、動作の多くは並行して、または同時に実行されうる。加えて、動作の順序も並べ替えられうる。プロセスは、図に含まれない追加工程を有しうる。さらに、方法の態様は、ハードウェア、ソフトウェア、ファームウェア、ミドルウェア、マイクロコード、ハードウェア記述言語、またはそれらの任意の組み合わせによって実装されうる。ソフトウェア、ファームウェア、ミドルウェア、またはマイクロコードとして実装されるとき、関連付けられたタスクを実行するためのプログラムコードまたはコードセグメントは、記憶媒体といったコンピュータ可読媒体に記憶されうる。プロセッサは関連付けられたタスクを実行しうる。
【０１４０】
本明細書で開示した態様と関連して記述した様々な例示的論理ブロック、モジュール、回路、およびアルゴリズムステップは、電子ハードウェア、コンピュータソフトウェア、または両者の組み合わせとして実装されうる。ハードウェアとソフトウェアとのこの互換性を明確に例示するために、以上では、様々な例示的構成要素、ブロック、モジュール、回路、および工程を、それらの機能に関して一般的に記述した。そうした機能がハードウェアとして実装されるか、それともソフトウェアとして実装されるかは、システム全般に課される特定の用途および設計上の制約条件に依存する。当業者は上記の機能を特定の用途ごとに様々なやり方で実装しうるが、そうした実装上の判断は、本発明の範囲からの逸脱を生じさせるものと解釈すべきではない。本明細書で開示した態様と関連して記述した様々な例示的論理、論理ブロック、モジュール、および回路を実装するのに使用されるハードウェアは、汎用プロセッサ、ディジタル信号プロセッサ（DSP）、特定用途向け集積回路（ASIC）、フィールドプログラマブルゲートアレイ（FPGA）もしくは他のプログラマブル論理デバイス、ディスクリートゲートもしくはトランジスタ論理、ディスクリートハードウェア構成要素、または本明細書で記述した機能を果たすように設計されたそれらの任意の組み合わせを用いて実装または実行されうる。汎用プロセッサはマイクロプロセッサであってよいが、代替としてプロセッサは、任意の従来のプロセッサ、コントローラ、マイクロコントローラ、または状態機械であってもよい。またプロセッサは、コンピューティング機器の組み合わせ、例えば、DSPとマイクロプロセッサの組み合わせ、複数のマイクロプロセッサ、DSPコアと連携した一つまたは複数のマイクロプロセッサ、または任意の他のそうした構成として実装されてもよい。あるいは、いくつかの工程または方法が、所与の機能に特有の回路によって実行されてもよい。
【０１４１】
一つまたは複数の例示的態様において、前述の各機能は、ハードウェア、ソフトウェア、ファームウェア、またはそれらの任意の組み合わせとして実装されうる。ソフトウェアとして実装される場合、各機能は、コンピュータ可読媒体上で一つまたは複数の命令またはコードとして記憶または伝送されうる。本明細書で開示した方法またはアルゴリズムの動作は、非一時的なプロセッサ可読またはコンピュータ可読の記憶媒体上に記憶されうるプロセッサ実行可能ソフトウェアモジュールにおいて具現化されうる。非一時的なプロセッサ可読記憶媒体は、コンピュータまたはプロセッサによってアクセスされうる任意の利用可能な媒体としうる。例えば、それだけに限らないが、非一時的なコンピュータ可読およびプロセッサ可読媒体は、RAM、ROM、EEPROM、CD-ROMもしくは他の光ディスク記憶、磁気ディスク記憶もしくは他の磁気記憶装置、または命令もしくはデータ構造の形で所望のプログラムコードを記憶するのに使用でき、コンピュータによってアクセスされうる任意の他の媒体を含みうる。ディスク（diskおよびdisc）は、本明細書で使用する場合、コンパクトディスク（CD）、レーザディスク、光ディスク、ディジタル多用途ディスク（DVD）、フロッピーディスク、およびブルーレイディスクを含み、その場合、ディスク（disk）は普通、磁気的にデータを再生し、ディスク（disc）はレーザを用いて光学的にデータを再生する。また上記の組み合わせも非一時的なコンピュータ可読およびプロセッサ可読媒体内に含めるべきである。さらに、方法またはアルゴリズムの動作は、コードおよび/または命令の一つまたは任意の組み合わせまたはセットとして、コンピュータプログラム製品に組み入れられうる、有形の、非一時的な機械可読媒体および/またはコンピュータ可読媒体上にも存在しうる。
【０１４２】
いくつかの態様を記述したが、本開示の趣旨を逸脱することなく様々な改変、代替構成、および均等物が使用されうる。例えば、上記要素は単に、より大規模なシステムの構成要素にすぎず、そうしたシステムでは、他の規則が、本発明の適用に優先し、またはそれ以外に本発明の適用を変更しうる。また、いくつかの工程が、上記要素が考慮される前、考慮される間、または考慮された後に着手されてもよい。したがって、以上の記述は本開示の範囲を限定するものではない。
【０１４３】
開示の態様の以上の説明は、当業者が本発明を作成するまたは使用することを可能にするために提供するものである。これらの態様への様々な改変が当業者には容易に明らかになり、本明細書で定義した一般原理は、本発明の趣旨または範囲を逸脱することなく他の態様に適用されうる。よって、本発明は本明細書で記述した態様だけに限定されるべきものではなく、本発明には、添付の特許請求の範囲、ならびに本明細書で開示した原理および新規の特徴と一致する最も広い範囲が与えられるべきである。本発明は、その全内容が参照により本明細書に組み入れられる、2012年6月12日に出願された、同時係属中の、同一出願人による米国非仮特許出願第61/699,968号に関連したものである。
【図１Ａ】
2015529869.tif 000004
【図１Ｂ】
2015529869.tif 000005
【図２】
2015529869.tif 000006
【図３】
2015529869.tif 000007
【図４】
2015529869.tif 000008
【図５Ａ】
2015529869.tif 000009
【図５Ｂ】
2015529869.tif 000010
【図６】
2015529869.tif 000011
【図７Ａ】
2015529869.tif 000012
【図７Ｂ】
2015529869.tif 000013
【図８】
2015529869.tif 000014
【図９Ａ】
2015529869.tif 000015
【図９Ｂ】
2015529869.tif 000016
【図１０Ａ】
2015529869.tif 000017
【図１０Ｂ】
2015529869.tif 000018
【図１１】
2015529869.tif 000019
【図１２Ａ】
2015529869.tif 000020
【図１２Ｂ】
2015529869.tif 000021
【図１３】
2015529869.tif 000022
【図１４】
2015529869.tif 000023
【国際調査報告】
2015529869.tif 000024
2015529869.tif 000025
2015529869.tif 000026
2015529869.tif 000027
2015529869.tif 000028
2015529869.tif 000029
2015529869.tif 000030